(57)【特許請求の範囲】
【請求項１】
無線通信ネットワークにおいてＣｏＭＰ送信を実行する方法であって、
第１ネットワークノードが、少なくとも１つのＣｏＭＰ仮説セットと少なくとも１つの利益メトリック情報を含むＣｏＭＰ情報を第２ネットワークノードから受信するステップと、
前記第１ネットワークノードが、前記ＣｏＭＰ情報に基づく前記ＣｏＭＰ送信を実行するステップと、
を有し、
前記少なくとも１つの利益メトリック情報は、あらかじめ定められた１つの固定値、又は特定の範囲内の値の内の１つの値を有し、
前記少なくとも１つの利益メトリック情報が前記特定の範囲内の値の内の前記１つの値を持つ場合、前記特定の範囲内の値は、前記少なくとも１つのＣｏＭＰ仮説セットの利益であり、
前記少なくとも１つの利益メトリック情報が前記あらかじめ定められた１つの固定値を持つ場合、前記あらかじめ定められた１つの固定値は、前記少なくとも１つのＣｏＭＰ仮説セットの前記利益と異なる情報である、ＣｏＭＰ送信実行方法。
【請求項２】
前記少なくとも１つの利益メトリック情報は定量化した値を有する、請求項１に記載のＣｏＭＰ送信実行方法。
【請求項３】
前記少なくとも１つのＣｏＭＰ仮説セットが使用される場合、前記定量化した値が期待値に基づいて決定される、請求項２に記載のＣｏＭＰ送信実行方法。
【請求項４】
前記少なくとも１つのＣｏＭＰ仮説セットのそれぞれは、利益メトリックのそれぞれと関連する、請求項１に記載のＣｏＭＰ送信実行方法。
【請求項５】
前記少なくとも１つのＣｏＭＰ仮説セットは、ＣｏＭＰネットワークノードのＩＤ、及び前記ＣｏＭＰネットワークノードの仮定動作に関する情報を含み、
前記ＣｏＭＰネットワークノードは、前記第１ネットワークノード及び前記第２ネットワークノードを含む、請求項１に記載のＣｏＭＰ送信実行方法。
【請求項６】
前記第１ネットワークノードと前記第２ネットワークノードとの間のリンクは、非−理想的なバックホール（ＮＩＢ）リンクを含む、請求項１に記載のＣｏＭＰ送信実行方法。
【請求項７】
前記第１ネットワークノードと前記第２ネットワークノードとの間のインターフェースは、Ｘ２インターフェースを含む、請求項１に記載のＣｏＭＰ送信実行方法。
【請求項８】
前記第２ネットワークノードは、中心型調整構造の中心制御ノードを含む、請求項１に記載のＣｏＭＰ送信実行方法。
【請求項９】
無線通信ネットワークにおいてＣｏＭＰ送信を実行する第１ネットワークノード装置であって、
送受信器と、
プロセッサと、
を備え、
前記プロセッサは、
少なくとも１つのＣｏＭＰ仮説セットと少なくとも１つの利益メトリック情報を含むＣｏＭＰ情報を第２ネットワークノードから受信し、
前記ＣｏＭＰ情報に基づく前記ＣｏＭＰ送信を実行するよう構成され、
前記少なくとも１つの利益メトリック情報は、あらかじめ定められた１つの固定値、又は特定の範囲内の値の内の１つの値を有し、
前記少なくとも１つの利益メトリック情報が前記特定の範囲内の値の内の前記１つの値を持つ場合、前記特定の範囲内の値は、前記少なくとも１つのＣｏＭＰ仮説セットの利益であり、
前記少なくとも１つの利益メトリック情報が前記あらかじめ定められた１つの固定値を持つ場合、前記あらかじめ定められた１つの固定値は、前記少なくとも１つのＣｏＭＰ仮説セットの前記利益と異なる情報である、第１ネットワークノード装置。
【発明の詳細な説明】
【技術分野】
【０００１】
以下の説明は、無線通信システムに関し、特に、無線通信システムにおいてＮＩＢ ＣｏＭＰを実行又は支援するための方法及び装置に関する。
【背景技術】
【０００２】
多重入出力（Ｍｕｌｔｉ−Ｉｎｐｕｔ  Ｍｕｌｔｉ−Ｏｕｔｐｕｔ；ＭＩＭＯ）技術は、単一の送信アンテナと単一の受信アンテナを用いることから脱皮し、複数の送信アンテナと複数の受信アンテナを用いてデータの送受信効率を向上させる技術である。受信端は、単一のアンテナを用いる場合には単一のアンテナ経路（ｐａｔｈ）を通してデータを受信するが、複数のアンテナを用いる場合には複数の経路を通してデータを受信する。したがって、データの送信速度と送信量を向上させることができ、カバレッジ（ｃｏｖｅｒａｇｅ）を増大させることができる。
【０００３】
ＭＩＭＯ動作の多重化利得を高めるために、ＭＩＭＯ受信端からチャネル状態情報（Ｃｈａｎｎｅｌ  Ｓｔａｔｕｓ  Ｉｎｆｏｒｍａｔｉｏｎ；ＣＳＩ）のフィードバックを受けてＭＩＭＯ送信端で用いることができる。受信端では、送信端からの所定の参照信号（Ｒｅｆｅｒｅｎｃｅ  Ｓｉｇｎａｌ；ＲＳ）を用いてチャネル測定を行うことによってＣＳＩを決定することができる。
【０００４】
多重セル環境で改善されたＭＩＭＯ送信を適用することによって、セル境界にいるユーザの処理量を改善するための協調マルチポイント（Ｃｏｏｒｄｉｎａｔｅｄ  Ｍｕｌｔｉ−Ｐｏｉｎｔ：ＣｏＭＰ）システムに関する研究が活発に行われている。ＣｏＭＰシステムを適用すると、多重セル環境でセル間干渉（Ｉｎｔｅｒ−Ｃｅｌｌ  Ｉｎｔｅｒｆｅｒｅｎｃｅ）を減らすことができ、システム全体の性能を向上させることができる。例えば、ＣｏＭＰ技法には、複数の隣接セルを一つのグループにまとめ、これを仮想多重アンテナシステム（ｖｉｒｔｕａｌ  ＭＩＭＯ  ｓｙｓｔｅｍ）と見なして隣接セル間に共同演算処理を行う連合プロセシング（ｊｏｉｎｔ  ｐｒｏｃｅｓｓｉｎｇ；ＪＰ）、隣接セル間のビームパターンを調節してセル間干渉問題を解決することができる協調ビームフォーミング（ｃｏｏｐｅｒａｔｉｖｅ  ｂｅａｍｆｏｒｍｉｎｇ；Ｃ−ＢＦ）などの技法がある。
【発明の概要】
【発明が解決しようとする課題】
【０００５】
本発明では、ＣｏＭＰに参加するポイント間の信号送受信に遅延が存在する場合に（例えば、ＮＩＢ（ｎｏｎ−ｉｄｅａｌ  ｂａｃｋｈａｕｌ  ｌｉｎｋ）ネットワークで）、正確に且つ效率的にＣｏＭＰ動作を実行又は支援することができる方案を提供することを目的とする。
【０００６】
本発明で達成しようとする技術的課題は、上記の技術的課題に制限されず、言及していない他の技術的課題は、以下の記載から、本発明の属する技術の分野における通常の知識を有する者に明確に理解されるであろう。
【課題を解決するための手段】
【０００７】
上記の技術的課題を解決するために、本発明の一実施例に係る、無線通信ネットワークにおいてＣｏＭＰ（Ｃｏｏｒｄｉｎａｔｅｄ  Ｍｕｌｔｉ−Ｐｏｉｎｔ）送信を行う方法は、一つ以上の第１ＣｏＭＰ仮説セット（ｈｙｐｏｔｈｅｓｉｓ  ｓｅｔ）を含む第１タイプシグナリングを、第１ネットワークノードから第２ネットワークノードに送信するステップと、一つ以上の第２ＣｏＭＰ仮説セットを含む第２タイプシグナリングを、前記第１ネットワークノードで前記第２ネットワークノードから受信するステップとを含むことができる。前記第１タイプシグナリング及び前記第２タイプシグナリングは、同じ情報要素フォーマットと定義され、前記情報要素フォーマットの特定ビットに基づいて、前記第１タイプシグナリング又は前記第２タイプシグナリングが識別されてもよい。
【０００８】
上記の技術的課題を解決するために、本発明の他の実施例に係る、無線通信ネットワークにおいてＣｏＭＰ（Ｃｏｏｒｄｉｎａｔｅｄ  Ｍｕｌｔｉ−Ｐｏｉｎｔ）送信を行うネットワークノード装置は、送受信器と、プロセッサとを備え、前記プロセッサは、一つ以上の第１ＣｏＭＰ仮説セット（ｈｙｐｏｔｈｅｓｉｓ  ｓｅｔ）を含む第１タイプシグナリングを、第１ネットワークノードから第２ネットワークノードに前記送受信器を用いて送信し、一つ以上の第２ＣｏＭＰ仮説セットを含む第２タイプシグナリングを、前記第１ネットワークノードで前記第２ネットワークノードから前記送受信器を用いて受信するように設定されてもよい。前記第１タイプシグナリング及び前記第２タイプシグナリングは、同じ情報要素フォーマットと定義され、前記情報要素フォーマットの特定ビットに基づいて、前記第１タイプシグナリング又は前記第２タイプシグナリングが識別されてもよい。
【０００９】
本発明に係る上記の実施例において以下の事項を適用することができる。
【００１０】
前記情報要素フォーマットには利益メトリック情報ビットが定義され、前記第１タイプシグナリングにおいて前記利益メトリック情報ビットは利益メトリックを示す値に設定され、前記第２タイプシグナリングにおいて前記利益メトリック情報は留保されたり、省略されたり、又は特別な値に設定されてもよい。
【００１１】
前記一つ以上の第１又は第２ＣｏＭＰ仮説セットのそれぞれは、一つの利益メトリックに関連しており、前記利益メトリックは、関連したＣｏＭＰ仮説セットを仮定した場合のＣｏＭＰ送信スケジューリングに対して期待される利益を定量化した（ｑｕａｎｔｉｚｅｄ）値を有することができる。
【００１２】
前記一つ以上の第１又は第２ＣｏＭＰ仮説セットのそれぞれは、前記ＣｏＭＰネットワークノードのそれぞれのＩＤ、及び前記ＣｏＭＰネットワークノードのそれぞれの送信仮定に関する情報を含むことができる。
【００１３】
前記ＣｏＭＰネットワークノードのそれぞれの送信仮定は、ミューティング（ｍｕｔｉｎｇ）するか否か、送信電力レベル、又はプリコーディング情報のうち一つ以上を含むことができる。
【００１４】
前記第１タイプシグナリング又は第２タイプシグナリングのうち一つ以上は、前記ＣｏＭＰ送信に関連した時間区間又は周波数帯域のうち一つ以上を示す情報を含むことができる。
【００１５】
前記時間区間を示す情報は、前記ＣｏＭＰ送信が始まるフレーム番号に関する情報を含むことができる。
【００１６】
前記周波数帯域を示す情報は、前記ＣｏＭＰ送信が行われるサブ帯域に関する情報を含み、一つのサブ帯域は複数個のリソースブロック（ＲＢ）を含み、一つのサブ帯域のサイズは、システム帯域幅が増加するにつれて増加する値を有することができる。
【００１７】
前記第１タイプシグナリング又は第２タイプシグナリングのうち一つ以上は、ＵＥ（ｕｓｅｒ  ｅｑｕｉｐｍｅｎｔ）セットに対するＣＳＩ情報の一つ以上のセット、前記ＵＥセットに対する一つ以上の測定報告、前記ＵＥセットに対するＳＲＳ受信電力、前記ＵＥセットに対するＵＰＴ（Ｕｓｅｒ  Ｐｅｒｃｅｉｖｅｄ  Ｔｈｒｏｕｇｈｐｕｔ）、又は前記ＣｏＭＰネットワークノードの一つ以上に対して、周波数、時間、電力又は空間ドメインのうち一つ以上のドメイン上で定義される送信電力情報、のうち一つ以上を含むことができる。
【００１８】
前記第１ネットワークノードは、中心型調整構造（ｃｅｎｔｒａｌｉｚｅｄ  ｃｏｏｒｄｉｎａｔｉｏｎ  ａｒｃｈｉｔｅｃｔｕｒｅ）のメンバーネットワークノードであり、前記第２ネットワークノードは、前記中心型調整構造のＣＣＮ（ｃｅｎｔｒａｌ  ｃｏｎｔｒｏｌ  ｎｏｄｅ）であってもよい。
【００１９】
前記ＣｏＭＰネットワークノード間のリンクは、非−理想的なバックホールリンク（ＮＩＢ）であってもよい。
【００２０】
前記ＣｏＭＰネットワークノード間のインターフェースは、Ｘ２インターフェースであってもよい。
【００２１】
本発明について前述した一般的な説明と後述する詳細な説明は例示的なものであり、請求項に記載の発明のさらに詳しい説明を提供するためのものである。
【発明の効果】
【００２２】
本発明によれば、ＣｏＭＰに参加するポイント間の信号送受信に遅延が存在する場合に（例えば、ＮＩＢネットワークで）、正確に且つ效率的にＣｏＭＰ動作を実行又は支援可能な方案を提供することができる。
【００２３】
本発明から得られる効果は以上で言及した効果に制限されず、言及していない他の効果は、以下の記載から、本発明の属する技術の分野における通常の知識を有する者には明らかであろう。
【図面の簡単な説明】
【００２４】
本明細書に添付される図面は、本発明に関する理解を提供するためのもので、本発明の様々な実施の形態を示し、明細書の記載と共に本発明の原理を説明する。
【００２５】
【図１】無線フレームの構造を説明するための図である。
【図２】下りリンクスロットにおけるリソースグリッド（ｒｅｓｏｕｒｃｅ  ｇｒｉｄ）を示す図である。
【図３】下りリンクサブフレームの構造を示す図である。
【図４】上りリンクサブフレームの構造を示す図である。
【図５】多重アンテナを有する無線通信システムの構成図である。
【図６】一つのリソースブロック対におけるＣＲＳ及びＤＲＳの例示的なパターンを示す図である。
【図７】ＬＴＥ−Ａシステムで定義されるＤＭＲＳパターンの一例を示す図である。
【図８】ＬＴＥ−Ａシステムで定義されるＣＳＩ−ＲＳパターンの例示を示す図である。
【図９】ＣＳＩ−ＲＳが周期的に送信される方式の一例を説明するための図である。
【図１０】下りリンクＣｏＭＰ動作の例示を示す図である。
【図１１】ＣｏＭＰが適用されない状況について説明するための図である。
【図１２】ＳＳＰＭ技法を説明するための図である。
【図１３】周波数／時間リソースマップに対してＣｏＭＰ仮説と併せてシグナルされる利益メトリックを説明するための図である。
【図１４】周波数／時間リソースに対してシグナルされる、改善されたＲＮＴＰマップ（又は、改善されたＡＢＳマップ）を説明するための図である。
【図１５】周波数／時間リソースマップに対してＣｏＭＰ仮説と共にシグナルされる利益メトリックを説明するための図である。
【図１６】ＣＢ技法を説明するための図である。
【図１７】本発明に係るシグナリング方法を説明するためのフローチャートである。
【図１８】本発明に係るネットワークノード装置の好適な実施例の構成を示す図である。
【発明を実施するための形態】
【００２６】
以下の実施例は、本発明の構成要素と特徴を所定の形態で結合したものである。各構成要素又は特徴は、特別の言及がない限り、選択的なものと考慮すればよい。各構成要素又は特徴は、他の構成要素や特徴と結合していない形態で実施されもてよく、一部の構成要素及び／又は特徴を結合して本発明の実施例を構成してもよい。本発明の実施例で説明される動作の順序は変更されてもよい。ある実施例の一部の構成や特徴は、他の実施例に含まれてもよく、他の実施例の対応する構成又は特徴に取り替えられてもよい。
【００２７】
本明細書において、本発明の実施例を、基地局と端末間のデータ送信及び受信の関係を中心に説明する。ここで、基地局は、端末と通信を直接行うネットワークの終端ノード（ｔｅｒｍｉｎａｌ  ｎｏｄｅ）としての意味を持つ。本文書で基地局によって行われるとした特定動作は、場合によっては基地局の上位ノード（ｕｐｐｅｒ  ｎｏｄｅ）によって行われることもある。
【００２８】
すなわち、基地局を含めた複数のネットワークノード（ｎｅｔｗｏｒｋ  ｎｏｄｅｓ）からなるネットワークにおいて端末との通信のために行われる様々な動作は、基地局、又は基地局以外の他のネットワークノードによって行われ得ることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ＡＰ：Ａｃｃｅｓｓ  Ｐｏｉｎｔ）、遠隔無線ヘッド（Ｒｅｍｏｔｅ  Ｒａｄｉｏ  Ｈｅａｄ；ＲＲＤ）、送信ポイント（ＴＰ）、受信ポイント（ＲＰ）などの用語に置き換えてもよい。中継機は、ＲＮ（Ｒｅｌａｙ  Ｎｏｄｅ）、ＲＳ（Ｒｅｌａｙ  Ｓｔａｔｉｏｎ）などの用語に置き換えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に置き換えてもよい。
【００２９】
以下の説明で使われる特定用語は、本発明の理解を助けるために提供されるものであり、このような特定用語の使用は、本発明の技術的思想から逸脱しない範囲で他の形態に変更してもよい。
【００３０】
場合によって、本発明の概念が曖昧になることを避けるために、公知の構造及び装置は省略されたり、各構造及び装置の核心機能を中心にしたブロック図の形式で図示されることもある。また、本明細書を通じて同一の構成要素には同一の図面符号を付して説明する。
【００３１】
本発明の実施例は、無線接続システムであるＩＥＥＥ ８０２システム、３ＧＰＰシステム、３ＧＰＰ ＬＴＥ及びＬＴＥ−Ａ（ＬＴＥ−Ａｄｖａｎｃｅｄ）システム、並びに３ＧＰＰ２システムの少なくとも一つに開示された標準文書によって裏付けることができる。すなわち、本発明の実施例において、本発明の技術的思想を明確にするために説明を省いた段階又は部分は、上記の文書によって裏付けることができる。また、本文書で開示している用語はいずれも上記の標準文書によって説明することができる。
【００３２】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡはＵＭＴＳ（Ｕｎｉｖｅｒｓａｌ  Ｍｏｂｉｌｅ  ＴｅｌｅｃｏｍｍｕｎｉｃａｔｉｏｎｓＳｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部で、下りリンクにおいてＯＦＤＭＡを採用し、上りリンクにおいてＳＣ−ＦＤＭＡを採用する。ＬＴＥ−Ａ（Ａｄｖａｎｃｅｄ）は、３ＧＰＰ ＬＴＥの進展である。ＷｉＭＡＸは、ＩＥＥＥ ８０２．１６ｅ規格（Ｗｉｒｅｌｅｓｓ  ＭＡＮ−ＯＦＤＭＡ  Ｒｅｆｅｒｅｎｃｅ  Ｓｙｓｔｅｍ）及び進展したＩＥＥＥ ８０２．１６ｍ規格（Ｗｉｒｅｌｅｓｓ  ＭＡＮ−ＯＦＤＭＡ  Ａｄｖａｎｃｅｄ  ｓｙｓｔｅｍ）によって説明することができる。明確性のために、以下では３ＧＰＰ ＬＴＥ及び３ＧＰＰ ＬＴＥ−Ａシステムを中心に説明するが、本発明の技術的思想がこれに制限されることはない。
【００３３】
図１は、無線フレームの構造を説明するための図である。
【００３４】
セルラーＯＦＤＭ無線パケット通信システムにおいて、上り／下りリンクデータパケット送信はサブフレーム（ｓｕｂｆｒａｍｅ）単位に行われ、１サブフレームは、複数のＯＦＤＭシンボルを含む一定の時間区間と定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２無線フレーム構造を支援する。
【００３５】
図１（ａ）は、タイプ１無線フレーム構造を示す図である。下りリンク無線フレームは１０個のサブフレームで構成され、１個のサブフレームは時間領域（ｔｉｍｅ  ｄｏｍａｉｎ）において２個のスロットで構成される。１個のサブフレームを送信するために掛かる時間をＴＴＩ（ｔｒａｎｓｍｉｓｓｉｏｎ  ｔｉｍｅ  ｉｎｔｅｒｖａｌ）という。例えば、１サブフレームの長さは１ｍｓであり、１スロットの長さは０．５ｍｓであってもよい。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ ＬＴＥシステムでは、下りリンクでＯＦＤＭＡを用いるので、ＯＦＤＭシンボルが１シンボル区間を表す。ＯＦＤＭシンボルはＳＣ−ＦＤＭＡシンボル又はシンボル区間と呼ばれることもある。リソースブロック（ＲＢ）はリソース割当て単位であり、１スロットにおいて複数個の連続した副搬送波（ｓｕｂｃａｒｒｉｅｒ）を含むことができる。
【００３６】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには拡張ＣＰ（ｅｘｔｅｎｄｅｄ  ＣＰ）と正規ＣＰ（ｎｏｒｍａｌ  ＣＰ）がある。例えば、ＯＦＤＭシンボルが正規ＣＰによって構成された場合、１スロットに含まれるＯＦＤＭシンボルの数は７個であってもよい。ＯＦＤＭシンボルが拡張ＣＰによって構成された場合、１ ＯＦＤＭシンボルの長さが増加するため、１スロットに含まれるＯＦＤＭシンボルの数は、正規ＣＰの場合に比べて少ない。拡張ＣＰの場合に、例えば、１スロットに含まれるＯＦＤＭシンボルの数は６個であってもよい。端末が速い速度で移動する場合などのようにチャネル状態が不安定な場合には、シンボル間干渉をより減らすために拡張ＣＰを用いることができる。
【００３７】
正規ＣＰが用いられる場合、１スロットは７個のＯＦＤＭシンボルを含み、１サブフレームは１４個のＯＦＤＭシンボルを含む。このとき、各サブフレームにおける先頭２個又は３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００３８】
図１（ｂ）は、タイプ２無線フレームの構造を示す図である。タイプ２無線フレームは、２個のハーフフレーム（ｈａｌｆ  ｆｒａｍｅ）で構成され、各ハーフフレームは、５個のサブフレーム、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）、及びＵｐＰＴＳ（Ｕｐｌｉｎｋ  Ｐｉｌｏｔ  Ｔｉｍｅ  Ｓｌｏｔ）で構成され、一つのサブフレームは２個のスロットで構成される。ＤｗＰＴＳ、ＧＰ及びＵｐＰＴＳで構成されるサブフレームを、特別サブフレーム（ｓｐｅｃｉａｌ  ｓｕｂｆｒａｍｅ）と呼ぶことができる。ＤｗＰＴＳは、端末での初期セル探索、同期化又はチャネル推定に用いられる。ＵｐＰＴＳは、基地局でのチャネル推定と端末の上り送信同期を取ることに用いられる。保護区間は、上りリンクと下りリンク間に下りリンク信号の多重経路遅延によって上りリンクで生じる干渉を除去するための区間である。一方、無線フレームのタイプにかかわらず、１個のサブフレームは２個のスロットで構成される。
【００３９】
無線フレームの構造は例示に過ぎず、無線フレームに含まれるサブフレームの数、サブフレームに含まれるスロットの数、又はスロットに含まれるシンボルの数は様々に変更することができる。
【００４０】
図２は、下りリンクスロットにおけるリソースグリッド（ｒｅｓｏｕｒｃｅ  ｇｒｉｄ）を示す図である。
【００４１】
同図では、１下りリンクスロットが時間領域で７個のＯＦＤＭシンボルを含み、１リソースブロック（ＲＢ）が周波数領域で１２個の副搬送波を含むとしているが、本発明はこれに制限されない。例えば、正規ＣＰ（Ｃｙｃｌｉｃ  Ｐｒｅｆｉｘ）の場合では１スロットが７ ＯＦＤＭシンボルを含むが、拡張ＣＰ（ｅｘｔｅｎｄｅｄ−ＣＰ）では１スロットが６ ＯＦＤＭシンボルを含むことができる。リソースグリッド上の各要素をリソース要素（ｒｅｓｏｕｒｃｅ  ｅｌｅｍｅｎｔ）と呼ぶ。１リソースブロックは１２×７個のリソース要素を含む。下りリンクスロットに含まれるリソースブロックの個数ＮＤＬは、下りリンク送信帯域幅による。上りリンクスロットの構造は下りリンクスロットの構造と同一であってもよい。
【００４２】
図３は、下りリンクサブフレームの構造を示す図である。
【００４３】
１サブフレーム内で第一のスロットの先頭における最大３個のＯＦＤＭシンボルは、制御チャネルが割り当てられる制御領域に該当する。残りのＯＦＤＭシンボルは、物理下り共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。
【００４４】
３ＧＰＰ ＬＴＥシステムで用いられる下り制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理下り制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｅｌ；ＰＨＩＣＨ）などがある。ＰＣＦＩＣＨは、サブフレームの最初のＯＦＤＭシンボルで送信され、サブフレーム内の制御チャネル送信に用いられるＯＦＤＭシンボルの個数に関する情報を含む。ＰＨＩＣＨは、上り送信の応答としてＨＡＲＱ ＡＣＫ／ＮＡＣＫ信号を含む。ＰＤＣＣＨで送信される制御情報を、下りリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、上りリンク又は下りリンクスケジューリング情報を含んだり、任意の端末グループに対する上り送信電力制御命令を含む。ＰＤＣＣＨは、下り共有チャネル（ＤＬ−ＳＣＨ）のリソース割当て及び送信フォーマット、上り共有チャネル（ＵＬ−ＳＣＨ）のリソース割当て情報、ページングチャネル（ＰＣＨ）のページング情報、ＤＬ−ＳＣＨ上のシステム情報、ＰＤＳＣＨ上で送信されるランダムアクセス応答（Ｒａｎｄｏｍ  Ａｃｃｅｓｓ  Ｒｅｓｐｏｎｓｅ）のような上位層制御メッセージのリソース割当て、任意の端末グループ内の個別端末に対する送信電力制御命令のセット、送信電力制御情報、ＶｏＩＰ（Ｖｏｉｃｅ  ｏｖｅｒ  ＩＰ）の活性化などを含むことができる。複数のＰＤＣＣＨが制御領域内で送信され、端末は複数のＰＤＣＣＨをモニタすることもできる。
【００４５】
ＰＤＣＣＨは一つ以上の連続する制御チャネル要素（Ｃｏｎｔｒｏｌ  Ｃｈａｎｎｅｌ  Ｅｌｅｍｅｎｔ；ＣＣＥ）の組合せ（ａｇｇｒｅｇａｔｉｏｎ）で送信される。ＣＣＥは、無線チャネルの状態に基づくコーディングレートでＰＤＣＣＨを提供するために用いられる論理割当て単位である。ＣＣＥは、複数個のリソース要素グループに対応する。ＰＤＣＣＨのフォーマットと利用可能なビット数は、ＣＣＥの個数とＣＣＥによって提供されるコーディングレート間の相関関係によって決定される。
【００４６】
基地局は、端末に送信されるＤＣＩによってＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者又は用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスクされる。ＰＤＣＣＨが特定端末に対するものであれば、端末のｃｅｌｌ−ＲＮＴＩ（Ｃ−ＲＮＴＩ）識別子をＣＲＣにマスクすることができる。又は、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスクすることができる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることができる。端末のランダムアクセスプリアンブルの送信に対する応答であるランダムアクセス応答を示すために、ランダムアクセス−ＲＮＴＩ（ＲＡ−ＲＮＴＩ）をＣＲＣにマスクすることができる。
【００４７】
図４は、上りリンクサブフレームの構造を示す図である。
【００４８】
上りリンクサブフレームは、周波数領域で制御領域とデータ領域とに区別できる。制御領域には上りリンク制御情報を含む物理上り制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザデータを含む物理上り共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波特性を維持するために、一つの端末はＰＵＣＣＨとＰＵＳＣＨを同時に送信しない。一つの端末のＰＵＣＣＨは、サブフレームにおいてリソースブロック対（ＲＢ  ｐａｉｒ）に割り当てられる。リソースブロック対に属するリソースブロックは、２スロットに対して互いに異なる副搬送波を占める。これを、ＰＵＣＣＨに割り当てられるリソースブロック対がスロット境界で周波数−ホップ（ｆｒｅｑｕｅｎｃｙ−ｈｏｐｐｅｄ）するという。
【００４９】
多重アンテナ（ＭＩＭＯ）システムのモデリング
図５は、多重アンテナを有する無線通信システムの構成図である。
【００５０】
図５（ａ）に示すように、送信アンテナの数をＮT個、受信アンテナの数をＮR個と増やすと、送信機又は受信機のいずれか一方のみで複数のアンテナを用いる場合とは違い、アンテナ数に比例して理論的なチャネル送信容量が増加する。したがって、送信レートを向上させ、周波数効率を画期的に向上させることができる。チャネル送信容量が増加することから、送信レートを、理論的に、単一アンテナ利用時の最大送信レート（Ｒo）にレート増加率（Ｒi）を掛けた分だけ増加させることができる。
【数１】
0006514203.tif 000002
【００５１】
例えば、４個の送信アンテナと４個の受信アンテナを用いるＭＩＭＯ通信システムでは、単一アンテナシステムに比べて理論上、４倍の伝送レートを取得することができる。多重アンテナシステムの理論的容量増加が９０年代半ばに証明されて以来、これを実質的なデータ伝送率の向上へと導くための種々の技術が現在まで活発に研究されている。それらのいくつかの技術は既に３世代移動通信と次世代無線ＬＡＮなどの様々な無線通信の標準に反映されている。
【００５２】
現在までの多重アンテナ関連研究動向をみると、様々なチャネル環境及び多元接続環境における多重アンテナ通信容量計算などと関連した情報理論側面の研究、多重アンテナシステムの無線チャネル測定及び模型導出の研究、及び伝送信頼度の向上及び伝送率の向上のための時空間信号処理技術の研究などを含め、様々な観点で活発に研究が行われている。
【００５３】
多重アンテナシステムにおける通信方法を数学的モデリングを用いてより具体的に説明する。当該システムには、ＮT個の送信アンテナとＮR個の受信アンテナが存在するとする。
【００５４】
送信信号について説明すると、ＮT個の送信アンテナがある場合に、送信可能な最大情報はＮT個である。送信情報を下記の数式２のように表現することができる。
【数２】
0006514203.tif 000003
【００５５】
【数３】
0006514203.tif 000004
【００５６】
【数４】
0006514203.tif 000005
【００５７】
【数５】
0006514203.tif 000006
【００５８】
【数６】
0006514203.tif 000007
【００５９】
【数７】
0006514203.tif 000008
【００６０】
多重アンテナ無線通信システムでチャネルをモデリングする場合、チャネルは、送受信アンテナインデックスによって区別することができる。
【数８】
0006514203.tif 000009
【００６１】
一方、図５（ｂ）は、ＮT個の送信アンテナから受信アンテナｉへのチャネルを示す図である。これらのチャネルをまとめてベクトル及び行列の形態で表示することができる。図５（ｂ）で、総ＮT個の送信アンテナから受信アンテナｉに到着するチャネルは、次のように表すことができる。
【数９】
0006514203.tif 000010
【００６２】
したがって、ＮT個の送信アンテナからＮR個の受信アンテナに到着する全てのチャネルは、次のように表現することができる。
【数１０】
0006514203.tif 000011
【００６３】
【数１１】
0006514203.tif 000012
【００６４】
上述した数式モデリングによって受信信号を次の通り表現することができる。
【数１２】
0006514203.tif 000013
【００６５】
【数１３】
0006514203.tif 000014
【００６６】
行列のランク（ｒａｎｋ）は、互いに独立している（ｉｎｄｅｐｅｎｄｅｎｔ）行又は列の個数のうち最小の個数と定義される。そのため、行列のランクは行又は列の個数よりも大きいことはない。
【数１４】
0006514203.tif 000015
【００６７】
ランクの他の定義は、行列を固有値分解（Ｅｉｇｅｎ  ｖａｌｕｅ  ｄｅｃｏｍｐｏｓｉｔｉｏｎ）したとき、０でない固有値の個数と定義することができる。同様に、ランクの更に他の定義は、特異値分解（ｓｉｎｇｕｌａｒ  ｖａｌｕｅ  ｄｅｃｏｍｐｏｓｉｔｉｏｎ）したとき、０でない特異値の個数と定義することができる。したがって、チャネル行列においてランクの物理的な意味は、与えられたチャネルで互いに異なる情報を送信できる最大数ということができる。
【００６８】
本文書の説明において、ＭＩＭＯ送信における「ランク（Ｒａｎｋ）」とは、特定時点及び特定周波数リソースで独立して信号を送信できる経路の数を表し、「レイヤ（ｌａｙｅｒ）の個数」は、各経路を通して送信される信号ストリームの個数を表す。送信端は、信号の送信に用いられるランク数に対応する個数のレイヤを送信するのが一般的であるため、特別な言及がない限り、ランクはレイヤ個数と同じ意味を有する。
【００６９】
参照信号（Ｒｅｆｅｒｅｎｃｅ  Ｓｉｇｎａｌ；ＲＳ）
無線通信システムでパケットを送信する際、送信されるパケットは無線チャネルを介して送信されるため、送信過程で信号の歪みが発生しうる。歪まれた信号を受信側で正しく受信するためには、チャネル情報を用いて受信信号から歪みを補正しなければならない。チャネル情報を把握するために、送信側も受信側も知っている信号を送信し、該信号がチャネルを介して受信される際の歪み程度を用いてチャネル情報を得る方法を主に用いる。該信号をパイロット信号（Ｐｉｌｏｔ  Ｓｉｇｎａｌ）又は参照信号（Ｒｅｆｅｒｅｎｃｅ  Ｓｉｇｎａｌ）という。
【００７０】
多重アンテナを用いてデータを送受信する場合に、正しい信号を受信するためには、各送信アンテナと受信アンテナ間のチャネル状況を知る必要がある。そのために、各送信アンテナ別に異なる参照信号が存在しなければならない。
【００７１】
移動通信システムにおいて参照信号（ＲＳ）はその目的によって２種類に大別できる。その一つは、チャネル情報の取得のために用いられるＲＳであり、もう一つは、データ復調のために用いられるＲＳである。前者は、端末が下りチャネル情報を取得するためのＲＳであるため、広帯域に送信されなければならず、特定サブフレームで下りデータを受信しない端末であっても、当該ＲＳを受信及び測定可能でなければならない。このようなＲＳは、ハンドオーバーなどのための測定などのためにも用いられる。後者は、基地局が下りデータを送る時、当該リソースで併せて送るＲＳであり、端末は当該ＲＳを受信することによってチャネル推定ができ、データを復調することができる。このようなＲＳは、データの送信される領域で送信されなければならない。
【００７２】
既存の３ＧＰＰ ＬＴＥ（例えば、３ＧＰＰ ＬＴＥリリース−８）システムでは、ユニキャスト（ｕｎｉｃａｓｔ）サービスのために２種類の下りリンクＲＳを定義する。その一つは共用参照信号（Ｃｏｍｍｏｎ  ＲＳ；ＣＲＳ）であり、もう一つは、専用参照信号（Ｄｅｄｉｃａｔｅｄ  ＲＳ；ＤＲＳ）である。ＣＲＳは、チャネル状態に関する情報取得及びハンドオーバーなどのための測定などのために用いられ、セル−特定（ｃｅｌｌ−ｓｐｅｃｉｆｉｃ）ＲＳと呼ぶことができる。ＤＲＳは、データ復調のために用いられ、端末−特定（ＵＥ−ｓｐｅｃｉｆｉｃ）ＲＳと呼ぶことができる。既存の３ＧＰＰ ＬＴＥシステムで、ＤＲＳはデータ復調のみのために用いることができ、ＣＲＳは、チャネル情報取得のためにもデータ復調のためにも用いることができる。
【００７３】
ＣＲＳは、セル−特定に送信されるＲＳであり、広帯域（ｗｉｄｅｂａｎｄ）に対して毎サブフレームごとに送信される。ＣＲＳは、基地局の送信アンテナ個数によって最大４個のアンテナポートに対して送信可能である。例えば、基地局の送信アンテナが２個である場合、０番と１番のアンテナポートに対するＣＲＳを送信し、４個の場合は、０〜３番のアンテナポートに対するＣＲＳをそれぞれ送信する。
【００７４】
図６は、一つのリソースブロック対におけるＣＲＳ及びＤＲＳの例示的なパターンを示す図である。
【００７５】
図６の参照信号パターンの例示では、基地局が４個の送信アンテナを支援するシステムで一つのリソースブロック対（正規ＣＰの場合、時間上で１４個のＯＦＤＭシンボル×周波数上で１２個の副搬送波）上でＣＲＳ及びＤＲＳのパターンを示している。図６で、「Ｒ０」、「Ｒ１」、「Ｒ２」及び「Ｒ３」と表示されたリソース要素（ＲＥ）は、それぞれ、アンテナポートインデックス０、１、２及び３に対するＣＲＳの位置を表す。一方、図６で「Ｄ」と表示されたリソース要素は、ＬＴＥシステムで定義されるＤＲＳの位置を表す。
【００７６】
ＬＴＥシステムの進展した形態のＬＴＥ−Ａシステムでは、下りリンクで最大８個の送信アンテナを支援することができる。そのため、最大８個の送信アンテナに対するＲＳも支援されなければならない。ＬＴＥシステムにおける下りリンクＲＳは最大４個のアンテナポートのみに対して定義されているため、ＬＴＥ−Ａシステムにおいて基地局が４個以上最大８個の下りリンク送信アンテナを有する場合、それらのアンテナポートに対するＲＳがさらに定義されなければならない。最大８個の送信アンテナポートに対するＲＳとして、チャネル測定のためのＲＳ、データ復調のためのＲＳの両方とも考慮されなければならない。
【００７７】
ＬＴＥ−Ａシステムを設計する上で重要な考慮事項の一つは逆方向互換性（ｂａｃｋｗａｒｄ  ｃｏｍｐａｔｉｂｉｌｉｔｙ）である。逆方向互換性とは、既存のＬＴＥ端末がＬＴＥ−Ａシステムでも正しく動作するように支援することを意味する。ＲＳ送信観点からは、ＬＴＥ標準で定義されているＣＲＳが全帯域で毎サブフレームごとに送信される時間−周波数領域に最大８個の送信アンテナポートに対するＲＳを追加すると、ＲＳオーバーヘッドが過度に大きくなる。そのため、最大８個のアンテナポートに対するＲＳを新しく設計するに当たり、ＲＳオーバーヘッドを減らすことを考慮しなければならない。
【００７８】
ＬＴＥ−Ａシステムで新しく導入されるＲＳは、大きく、２種類に分類できる。その一つは、送信ランク、変調及びコーディング技法（Ｍｏｄｕｌａｔｉｏｎ  ａｎｄ  Ｃｏｄｉｎｇ  Ｓｃｈｅｍｅ；ＭＣＳ）、プリコーディング行列インデックス（Ｐｒｅｃｏｄｉｎｇ  Ｍａｔｒｉｘ  Ｉｎｄｅｘ；ＰＭＩ）などの選択のためのチャネル測定目的のＲＳであるチャネル状態情報−参照信号（Ｃｈａｎｎｅｌ  Ｓｔａｔｅ  Ｉｎｆｏｒｍａｔｉｏｎ  ＲＳ；ＣＳＩ−ＲＳ）であり、もう一つは、最大８個の送信アンテナを通して送信されるデータを復調するための目的のＲＳである復調−参照信号（ＤｅＭｏｄｕｌａｔｉｏｎ  ＲＳ；ＤＭ ＲＳ）である。
【００７９】
チャネル測定目的のＣＳＩ−ＲＳは、既存のＬＴＥシステムにおけるＣＲＳがチャネル測定、ハンドオーバーなどの測定などの目的と同時にデータ復調のために用いられるのとは違い、チャネル測定中心の目的のために設計される特徴がある。勿論、ＣＳＩ−ＲＳは、ハンドオーバーなどの測定などの目的に用いられてもよい。ＣＳＩ−ＲＳがチャネル状態に関する情報を得る目的のみに送信されるため、既存のＬＴＥシステムにおけるＣＲＳとは違い、毎サブフレームごとに送信されなくてもよい。したがって、ＣＳＩ−ＲＳのオーバーヘッドを減らすために、ＣＳＩ−ＲＳは時間軸上で間欠的に（例えば、周期的に）送信されるように設計されてもよい。
【００８０】
仮に、ある下りリンクサブフレーム上でデータが送信されると、データ送信がスケジュールされた端末に専用で（ｄｅｄｉｃａｔｅｄ）ＤＭ ＲＳが送信される。すなわち、ＤＭＲＳは、端末特定（ＵＥ−ｓｐｅｃｉｆｉｃ）ＲＳと呼ぶこともできる。特定端末専用のＤＭ ＲＳは、当該端末がスケジュールされたリソース領域、すなわち、当該端末に対するデータが送信される時間−周波数領域でのみ送信されるように設計することができる。
【００８１】
図７は、ＬＴＥ−Ａシステムで定義されるＤＭ ＲＳパターンの一例を示す図である。
【００８２】
図７では、下りリンクデータが送信される一つのリソースブロック対（正規ＣＰの場合、時間上で１４個のＯＦＤＭシンボル×周波数上で１２個の副搬送波）上でＤＭ ＲＳが送信されるリソース要素の位置を示している。ＤＭ ＲＳは、ＬＴＥ−Ａシステムでさらに定義される４個のアンテナポート（アンテナポートインデックス７、８、９及び１０）に対して送信することができる。互いに異なるアンテナポートに対するＤＭ ＲＳは、異なる周波数リソース（副搬送波）及び／又は異なる時間リソース（ＯＦＤＭシンボル）に位置することで区別することができる（すなわち、ＦＤＭ及び／又はＴＤＭ方式で多重化できる）。また、同一の時間−周波数リソース上に位置する互いに異なるアンテナポートに対するＤＭ ＲＳは、直交コード（ｏｒｔｈｏｇｏｎａｌ  ｃｏｄｅ）によって区別することができる（すなわち、ＣＤＭ方式で多重化できる）。図７の例示で、ＤＭ ＲＳ ＣＤＭグループ１と表示されたリソース要素（ＲＥ）にはアンテナポート７及び８に対するＤＭ ＲＳを位置させることができ、これらは、直交コードによって多重化できる。同様に、図７の例示で、ＤＭ ＲＳグループ２と表示されたリソース要素にはアンテナポート９及び１０に対するＤＭ ＲＳを位置させることができ、これらは、直交コードによって多重化できる。
【００８３】
基地局でＤＭＲＳを送信するに当たり、データに適用されるプリコーディングと同じプリコーディングがＤＭＲＳに適用される。したがって、端末でＤＭＲＳ（又は、端末−特定ＲＳ）を用いて推定されるチャネル情報は、プリコーディングされたチャネル情報である。端末は、ＤＭＲＳから推定したプリコーディングされたチャネル情報を用いて、データ復調を容易に行うことができる。しかし、端末は、ＤＭＲＳに適用されたプリコーディング情報が把握できず、ＤＭＲＳを用いては、プリコーディングされていないチャネル情報を取得することができない。端末は、ＤＭＲＳ以外の別の参照信号、すなわち、前述したＣＳＩ−ＲＳを用いて、プリコーディングされていないチャネル情報を取得することができる。
【００８４】
図８は、ＬＴＥ−Ａシステムで定義されるＣＳＩ−ＲＳパターンの例示を示す図である。
【００８５】
図８では、下りリンクデータが送信される一つのリソースブロック対（正規ＣＰの場合、時間上で１４個のＯＦＤＭシンボル×周波数上で１２個の副搬送波）上でＣＳＩ−ＲＳが送信されるリソース要素の位置を示している。ある下りリンクサブフレームで、図８（ａ）乃至８（ｅ）のいずれか一つのＣＳＩ−ＲＳパターンを用いることができる。ＣＳＩ−ＲＳは、ＬＴＥ−Ａシステムでさらに定義される８個のアンテナポート（アンテナポートインデックス１５、１６、１７、１８、１９、２０、２１及び２２）に対して送信することができる。互いに異なるアンテナポートに対するＣＳＩ−ＲＳは、異なった周波数リソース（副搬送波）及び／又は異なった時間リソース（ＯＦＤＭシンボル）に位置することで区別することができる（すなわち、ＦＤＭ及び／又はＴＤＭ方式で多重化できる）。また、同一の時間−周波数リソース上に位置する互いに異なるアンテナポートに対するＣＳＩ−ＲＳは、直交コード（ｏｒｔｈｏｇｏｎａｌ  ｃｏｄｅ）によって区別することができる（すなわち、ＣＤＭ方式で多重化できる）。図８（ａ）の例示で、ＣＳＩ−ＲＳ ＣＤＭグループ１と表示されたリソース要素（ＲＥ）にはアンテナポート１５及び１６に対するＣＳＩ−ＲＳを位置させることができ、これらは、直交コードによって多重化できる。図８（ａ）の例示で、ＣＳＩ−ＲＳ ＣＤＭグループ２と表示されたリソース要素にはアンテナポート１７及び１８に対するＣＳＩ−ＲＳを位置させることができ、これらは、直交コードによって多重化できる。図８（ａ）の例示でＣＳＩ−ＲＳ ＣＤＭグループ３と表示されたリソース要素にはアンテナポート１９及び２０に対するＣＳＩ−ＲＳを位置させることができ、これらは、直交コードによって多重化できる。図８（ａ）の例示で、ＣＳＩ−ＲＳ ＣＤＭグループ４と表示されたリソース要素にはアンテナポート２１及び２２に対するＣＳＩ−ＲＳを位置させることができ、これらは、直交コードによって多重化できる。図８（ａ）を基準にして説明した同一原理を、図８（ｂ）乃至８（ｅ）に適用することもできる。
【００８６】
図６乃至図８のＲＳパターンは単なる例示であり、本発明の様々な実施例を適用するにあって特定ＲＳパターンに限定されるものでない。すなわち、図６乃至図８と異なるＲＳパターンが定義及び使用される場合にも、本発明の様々な実施例を同一に適用することができる。
【００８７】
ＣＳＩ−ＲＳ設定（ｃｏｎｆｉｇｕｒａｔｉｏｎ）
前述したように、下りリンクで最大８個の送信アンテナを支援するＬＴＥ−Ａシステムにおいて、基地局は全てのアンテナポートに対するＣＳＩ−ＲＳを送信しなければならない。最大８個の送信アンテナポートに対するＣＳＩ−ＲＳを毎サブフレームごとに送信すると過度なオーバーヘッドにつながりうるため、ＣＳＩ−ＲＳを毎サブフレームごとに送信せず、時間軸で間欠的に送信することによってそのオーバーヘッドを減らす必要がある。そのために、ＣＳＩ−ＲＳを、一つのサブフレームの整数倍の周期で周期的に送信したり、特定送信パターンで送信することができる。
【００８８】
このとき、ＣＳＩ−ＲＳが送信される周期やパターンは、ネットワーク（例えば、基地局）が設定（ｃｏｎｆｉｇｕｒａｔｉｏｎ）することができる。ＣＳＩ−ＲＳに基づく測定を行うために、端末は必ず自身の属したセル（又は、送信ポイント（ＴＰ））のそれぞれのＣＳＩ−ＲＳアンテナポートに対するＣＳＩ−ＲＳ設定（ｃｏｎｆｉｇｕｒａｔｉｏｎ）を知っていなければならない。ＣＳＩ−ＲＳ設定は、ＣＳＩ−ＲＳが送信される下りリンクサブフレームインデックス、送信サブフレームにおける、ＣＳＩ−ＲＳリソース要素（ＲＥ）の時間−周波数位置（例えば、図８（ａ）乃至図８（ｅ）のようなＣＳＩ−ＲＳパターン）、及びＣＳＩ−ＲＳシーケンス（ＣＳＩ−ＲＳ用に用いられるシーケンスであって、スロット番号、セルＩＤ、ＣＰ長などに基づいて所定の規則に従って擬似−ランダム（ｐｓｅｕｄｏ−ｒａｎｄｏｍ）に生成される）などを含むことができる。すなわち、任意の（ｇｉｖｅｎ）基地局で複数個のＣＳＩ−ＲＳ設定を用いることができ、基地局は、複数個のＣＳＩ−ＲＳ設定のうち、セル内の端末に対して用いられるＣＳＩ−ＲＳ設定を知らせることができる。
【００８９】
複数個のＣＳＩ−ＲＳ設定は、端末がＣＳＩ−ＲＳの送信電力が０でない（ｎｏｎ−ｚｅｒｏ）と仮定するＣＳＩ−ＲＳ設定を一つ含んでも含まなくてもよく、また、端末が０の送信電力であると仮定するＣＳＩ−ＲＳ設定を一つ以上含んでも含まなくてもよい。
【００９０】
また、上位層によって０の送信電力のＣＳＩ−ＲＳ設定に対するパラメータ（例えば、１６−ビットビットマップＺｅｒｏＰｏｗｅｒＣＳＩ−ＲＳパラメータ）のそれぞれのビットはＣＳＩ−ＲＳ設定（又は、ＣＳＩ−ＲＳ設定によってＣＳＩ−ＲＳを割り当て可能なＲＥ）に対応でき、端末は、当該パラメータで１に設定されるビットに対応するＣＳＩ−ＲＳ設定のＣＳＩ−ＲＳ ＲＥにおける送信電力が０であると仮定することができる。
【００９１】
また、それぞれのアンテナポートに対するＣＳＩ−ＲＳは区別される必要があるため、それぞれのアンテナポートに対するＣＳＩ−ＲＳが送信されるリソースは互いに直交（ｏｒｔｈｏｇｏｎａｌ）しなければならない。図８で説明した通り、それぞれのアンテナポートに対するＣＳＩ−ＲＳを、直交する周波数リソース、直交する時間リソース及び／又は直交するコードリソースを用いてＦＤＭ、ＴＤＭ及び／又はＣＤＭ方式で多重化できる。
【００９２】
ＣＳＩ−ＲＳに関する情報（ＣＳＩ−ＲＳ設定）を基地局がセル内の端末に知らせる時、まず、各アンテナポートに対するＣＳＩ−ＲＳがマップされる時間−周波数に関する情報を知らせなければならない。具体的に、時間に関する情報は、ＣＳＩ−ＲＳが送信されるサブフレーム番号、ＣＳＩ−ＲＳが送信される周期、ＣＳＩ−ＲＳが送信されるサブフレームオフセット、特定アンテナのＣＳＩ−ＲＳリソース要素（ＲＥ）が送信されるＯＦＤＭシンボル番号などを含むことができる。周波数に関する情報は、特定アンテナのＣＳＩ−ＲＳリソース要素（ＲＥ）が送信される周波数間隔（ｓｐａｃｉｎｇ）、周波数軸におけるＲＥのオフセット又はシフト値などを含むことができる。
【００９３】
図９は、ＣＳＩ−ＲＳが周期的に送信される方式の一例を説明するための図である。
【００９４】
ＣＳＩ−ＲＳは、一つのサブフレームの整数倍の周期（例えば、５サブフレーム周期、１０サブフレーム周期、２０サブフレーム周期、４０サブフレーム周期又は８０サブフレーム周期）で周期的に送信することができる。
【００９５】
図９では、一つの無線フレームが１０個のサブフレーム（サブフレーム番号０乃至９）で構成されている。図９では、例えば、基地局のＣＳＩ−ＲＳの送信周期が１０ｍｓ（すなわち、１０サブフレーム）であり、ＣＳＩ−ＲＳ送信オフセット（Ｏｆｆｓｅｔ）は３である場合を示している。複数セルのＣＳＩ−ＲＳが時間上で均一に分布できるように、オフセット値は、基地局ごとにそれぞれ異なる値を有することができる。１０ｍｓの周期でＣＳＩ−ＲＳが送信される場合、オフセット値は０〜９のいずれか一つを有することができる。同様に、例えば、５ｍｓの周期でＣＳＩ−ＲＳが送信される場合、オフセット値は０〜４のいずれか一つの値を有することができ、２０ｍｓの周期でＣＳＩ−ＲＳが送信される場合、オフセット値は０〜１９のいずれか一つの値を有することができ、４０ｍｓの周期でＣＳＩ−ＲＳが送信される場合、オフセット値は０〜３９のいずれか一つの値を有することができ、８０ｍｓの周期でＣＳＩ−ＲＳが送信される場合、オフセット値は０〜７９のいずれか一つの値を有することができる。このオフセット値は、所定の周期でＣＳＩ−ＲＳを送信する基地局がＣＳＩ−ＲＳ送信を開始するサブフレームの値を表す。基地局がＣＳＩ−ＲＳの送信周期とオフセット値を知らせると、端末は、その値を用いて当該サブフレーム位置で基地局のＣＳＩ−ＲＳを受信することができる。端末は、受信したＣＳＩ−ＲＳを用いてチャネルを測定し、その結果としてＣＱＩ、ＰＭＩ及び／又はＲＩ（Ｒａｎｋ  Ｉｎｄｉｃａｔｏｒ）のような情報を基地局に報告することができる。本文書で、ＣＱＩ、ＰＭＩ及びＲＩを区別して説明する場合以外は、これらを総称してＣＱＩ（又は、ＣＳＩ）ということができる。また、ＣＳＩ−ＲＳに関連した上記の情報は、セル−特定情報であり、セル内の端末に共通に適用することができる。また、ＣＳＩ−ＲＳ送信周期及びオフセットは、ＣＳＩ−ＲＳ設定別に異なるように指定することができる。例えば、後述するように、０の送信電力で送信されるＣＳＩ−ＲＳを示すＣＳＩ−ＲＳ設定及び０でない（ｎｏｎ−ｚｅｒｏ）送信電力で送信されるＣＳＩ−ＲＳを示すＣＳＩ−ＲＳ設定に対して別々のＣＳＩ−ＲＳ送信周期及びオフセットを設定することができる。
【００９６】
ＰＤＳＣＨ送信が可能な全てのサブフレームで送信されるＣＲＳとは違い、ＣＳＩ−ＲＳは、一部のサブフレームでのみ送信されるように設定することができる。例えば、上位層でＣＳＩサブフレームセットＣCSI,0及びＣCSI,1を設定することができる。ＣＳＩレファレンスリソース（すなわち、ＣＳＩ計算の基準となる所定のリソース領域）は、ＣCSI,0又はＣCSI,1のいずれかに属してもよく、ＣCSI,0及びＣCSI,1の両方に同時に属しなくてもよい。そのため、ＣＳＩサブフレームセットＣCSI,0及びＣCSI,1が上位層によって設定される場合に、端末はＣＳＩサブフレームセットのいずれにも属しないサブフレームに存在するＣＳＩレファレンスリソースに対するトリガー（又は、ＣＳＩ計算に対する指示）を受けると予想することが許容されない。
【００９７】
また、ＣＳＩレファレンスリソースは、有効な下りリンクサブフレーム上で設定されてもよい。有効な下りリンクサブフレームは、様々な要件を満たすサブフレームと設定することができる。それらの要件の一つは、周期的ＣＳＩ報告の場合に、端末に対してＣＳＩサブフレームセットが設定されると、周期的ＣＳＩ報告にリンク（ｌｉｎｋ）されるＣＳＩサブフレームセットに属するサブフレームであろう。
【００９８】
また、ＣＳＩレファレンスリソースで、端末は次のような仮定を考慮してＣＱＩインデックスを導出することができる（詳細な事項は、３ＧＰＰ ＴＳ ３６．２１３を参照する）：
−  １サブフレームの先頭３個のＯＦＤＭシンボルは制御シグナリングによって占有される
−  １次同期信号（ｐｒｉｍａｒｙ  ｓｙｎｃｈｒｏｎｉｚａｔｉｏｎ  ｓｉｇｎａｌ）、２次（ｓｅｃｏｎｄａｒｙ）同期信号又は物理放送チャネル（ＰＢＣＨ）によって用いられるリソース要素はない
−  非−ＭＢＳＦＮ（ｎｏｎ−Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームのＣＰ長
−  リダンダンシバージョン（Ｒｅｄｕｎｄａｎｃｙ  Ｖｅｒｓｉｏｎ）は０である
−  チャネル測定のためにＣＳＩ−ＲＳが用いられる場合、ＰＤＳＣＨ ＥＰＲＥ（Ｅｎｅｒｇｙ  Ｐｅｒ  Ｒｅｓｏｕｒｃｅ  Ｅｌｅｍｅｎｔ）対ＣＳＩ−ＲＳ ＥＰＲＥの比（ｒａｔｉｏ）は所定の規則に従う
−  送信モード９（すなわち、最大８レイヤ送信を支援するモード）におけるＣＳＩ報告の場合に、端末に対してＰＭＩ／ＲＩ報告が設定されると、ＤＭＲＳオーバーヘッドは最近に報告されたランクに一致すると仮定する（例えば、ＤＭＲＳオーバーヘッドは、図７で説明した通り、２個以上のアンテナポート（すなわち、ランク２以下）の場合には、一つのリソースブロック対におけるＤＭＲＳオーバーヘッドが１２ ＲＥであるが、３個以上のアンテナポート（すなわち、ランク３以上）の場合には、２４ ＲＥであるから、最近に報告されたランク値に対応するＤＭＲＳオーバーヘッドを仮定してＣＱＩインデックスを計算することができる。）
−  ＣＳＩ−ＲＳ及び０−電力ＣＳＩ−ＲＳに対してＲＥが割り当てられない
−  ＰＲＳ（Ｐｏｓｉｔｉｏｎｉｎｇ  ＲＳ）に対してはＲＥが割り当てられない
−  ＰＤＳＣＨ送信技法は、端末に対して現在設定されている送信モード（デフォルトモードであってもよい）に従う
−  ＰＤＳＣＨ ＥＰＲＥ対セル−特定参照信号ＥＰＲＥの比（ｒａｔｉｏ）は所定の規則に従う
【００９９】
このようなＣＳＩ−ＲＳ設定は、例えば、ＲＲＣ（Ｒａｄｉｏ  Ｒｅｓｏｕｒｃｅ  Ｃｏｎｔｒｏｌ）シグナリングを用いて基地局が端末に知らせることができる。すなわち、専用（ｄｅｄｉｃａｔｅｄ）ＲＲＣシグナリングを用いてＣＳＩ−ＲＳ設定に関する情報がセル内の各端末に提供されるようにすることができる。例えば、端末が初期アクセス又はハンドオーバーによって基地局と接続（ｃｏｎｎｅｃｔｉｏｎ）を確立（ｅｓｔａｂｌｉｓｈ）する過程で、基地局が当該端末にＲＲＣシグナリングでＣＳＩ−ＲＳ設定を知らせるようにすることができる。又は、基地局が端末にＣＳＩ−ＲＳ測定に基づくチャネル状態フィードバックを要求するＲＲＣシグナリングメッセージを送信する時、当該ＲＲＣシグナリングメッセージでＣＳＩ−ＲＳ設定を当該端末に知らせるようにすることもできる。
【０１００】
一方、ＣＳＩ−ＲＳが存在する時間位置、すなわち、セル−特定サブフレーム設定周期及びセル−特定サブフレームオフセットは、例えば、次の表１のようにまとめることができる。
【表１】
0006514203.tif 000016
【０１０１】
【数１５】
0006514203.tif 000017
【０１０２】
チャネル状態情報（ＣＳＩ）
ＭＩＭＯ方式は開−ループ（ｏｐｅｎ−ｌｏｏｐ）方式と閉−ループ（ｃｌｏｓｅｄ−ｌｏｏｐ）方式とに区別できる。開−ループＭＩＭＯ方式は、ＭＩＭＯ受信端からのチャネル状態情報のフィードバックが無しで送信端でＭＩＭＯ送信を行う方式を意味する。閉−ループＭＩＭＯ方式は、ＭＩＭＯ受信端からチャネル状態情報のフィードバックを受けて送信端でＭＩＭＯ送信を行う方式を意味する。閉−ループＭＩＭＯ方式では、ＭＩＭＯ送信アンテナの多重化利得（ｍｕｌｔｉｐｌｅｘｉｎｇ  ｇａｉｎ）を得るために送信端と受信端のそれぞれがチャネル状態情報に基づいてビームフォーミングを行うことができる。受信端（例えば、端末）がチャネル状態情報をフィードバックできるように、送信端（例えば、基地局）は受信端（例えば、端末）に上り制御チャネル又は上り共有チャネルを割り当てることができる。
【０１０３】
端末は、ＣＲＳ及び／又はＣＳＩ−ＲＳを用いて下りリンクチャネルに対する推定及び／又は測定を行うことができる。端末によって基地局にフィードバックされるチャネル情報（ＣＳＩ）は、ランク指示子（ＲＩ）、プリコーディング行列インデックス（ＰＭＩ）及びチャネル品質指示子（ＣＱＩ）を含むことができる。
【０１０４】
ＲＩは、チャネルランクに関する情報である。チャネルのランクは、同一の時間−周波数リソースを介して互いに異なる情報を送信できるレイヤ（又は、ストリーム）の最大個数を意味する。ランク値は、チャネルの長期間（ｌｏｎｇ  ｔｅｒｍ）フェーディングによって主に決定されるため、ＰＭＩ及びＣＱＩに比べてより長い周期でフィードバックされてもよい。
【０１０５】
ＰＭＩは、送信端からの送信に用いられるプリコーディング行列に関する情報であり、チャネルの空間特性を反映する値である。プリコーディングとは、送信レイヤを送信アンテナにマップさせることを意味し、プリコーディング行列によってレイヤ−アンテナマッピング関係を決定することができる。ＰＭＩとは、信号対雑音及び干渉比（Ｓｉｇｎａｌ−ｔｏ−Ｉｎｔｅｒｆｅｒｅｎｃｅ  ｐｌｕｓ  Ｎｏｉｓｅ  Ｒａｔｉｏ；ＳＩＮＲ）などの測定値（ｍｅｔｒｉｃ）を基準にして端末が好む（ｐｒｅｆｅｒｒｅｄ）基地局のプリコーディング行列インデックスに該当する。プリコーディング情報のフィードバックオーバーヘッドを減らすために、送信端と受信端の両方で、様々なプリコーディング行列を含むコードブックを予め共有しており、当該コードブックにおいて特定プリコーディング行列を示すインデックスのみをフィードバックする方式を用いることができる。例えば、最近に報告されたＲＩに基づいてＰＭＩを決定することができる。
【０１０６】
ＣＱＩは、チャネル品質又はチャネル強度を示す情報である。ＣＱＩは、予め決定されたＭＣＳ組合せとして表現することができる。すなわち、フィードバックされるＣＱＩインデックスは、該当する変調技法（ｍｏｄｕｌａｔｉｏｎ  ｓｃｈｅｍｅ）及びコードレート（ｃｏｄｅ  ｒａｔｅ）を示す。ＣＱＩは、特定リソース領域（例えば、有効のサブフレーム及び／又は物理リソースブロックによって特定される領域）をＣＱＩレファレンスリソースと設定し、当該ＣＱＩレファレンスリソースでＰＤＳＣＨ送信が存在すると仮定したうえ、所定のエラー確率（例えば、０．１）を越えることなくＰＤＳＣＨが受信され得る場合を仮定して計算することができる。一般に、ＣＱＩは、基地局がＰＭＩを用いて空間チャネルを構成する場合に得られる受信ＳＩＮＲを反映する値となる。例えば、最近に報告されたＲＩ及び／又はＰＭＩに基づいてＣＱＩを計算することができる。
【０１０７】
拡張されたアンテナ構成を支援するシステム（例えば、ＬＴＥ−Ａシステム）では、複数ユーザ−ＭＩＭＯ（ＭＵ−ＭＩＭＯ）方式を用いて更なる複数ユーザダイバーシティを取得することを考慮している。ＭＵ−ＭＩＭＯ方式では、アンテナ領域（ｄｏｍａｉｎ）で多重化される端末間の干渉チャネルが存在するため、複数ユーザのうち一つの端末がフィードバックするチャネル状態情報を用いて基地局で下りリンク送信を行う場合に他の端末に干渉が生じないようにする必要がある。したがって、ＭＵ−ＭＩＭＯ動作が正しく行われるためには、単一ユーザ−ＭＩＭＯ（ＳＵ−ＭＩＭＯ）方式に比べてより高正確度のチャネル状態情報がフィードバックされなければならない。
【０１０８】
このように、より正確なチャネル状態情報を測定及び報告するには、既存のＲＩ、ＰＭＩ及びＣＱＩで構成されるＣＳＩを改善した新しいＣＳＩフィードバック方案を適用することができる。例えば、受信端がフィードバックするプリコーディング情報を２個のＰＭＩ（例えば、ｉ１及びｉ２）の組合せによって示してもよい。これによって、より精度のＰＭＩがフィードバックされ、このような精度のＰＭＩに基づいてより精度のＣＱＩを計算及び報告することができる。
【０１０９】
一方、ＣＳＩは、周期的にＰＵＣＣＨで送信されてもよく、非周期的にＰＵＳＣＨで送信されてもよい。また、ＲＩ、第１のＰＭＩ（例えば、Ｗ１）、第２のＰＭＩ（例えば、Ｗ２）、ＣＱＩのいずれがフィードバックされるか、及びフィードバックされるＰＭＩ及び／又はＣＱＩが広帯域（ＷＢ）に対するものか又はサブ帯域（ＳＢ）に対するものかによって、様々な報告モードを定義することができる。
【０１１０】
ＣＱＩ計算
以下では、下りリンク受信端が端末である場合を仮定してＣＱＩ計算について具体的に説明する。しかし、本発明で説明する内容は、下りリンク受信主体としての中継機にも同一に適用することができる。
【０１１１】
端末がＣＳＩを報告する時にＣＱＩを計算する基準となるリソース（以下では、レファレンスリソース（ｒｅｆｅｒｅｎｃｅ  ｒｅｓｏｕｒｃｅ）と称する）を設定／定義する方案について説明する。まず、ＣＱＩの定義についてより具体的に説明する。
【０１１２】
端末の報告するＣＱＩは、特定インデックス値に該当する。ＣＱＩインデックスは、チャネル状態に該当する変調技法、コードレートなどを示す値である。例えば、ＣＱＩインデックス及びその解釈は、次の表２のように与えることができる。
【表２】
0006514203.tif 000018
【０１１３】
時間及び周波数で制限されない観察に基づいて、端末は、上りリンクサブフレームｎで報告されるそれぞれのＣＱＩ値に対して、上記の表２のＣＱＩインデックス１乃至１５のうち、所定の要件を満たす最高のＣＱＩインデックスを決定することができる。所定の要件は、当該ＣＱＩインデックスに該当する変調技法（例えば、ＭＣＳ）及び送信ブロックサイズ（ＴＢＳ）の組合せで、ＣＱＩレファレンスリソースと呼ばれる下りリンク物理リソースブロックのグループを占める単一ＰＤＳＣＨ送信ブロックが、０．１（すなわち、１０％）を越えない送信ブロックエラー確率で受信されるものと定めることができる。仮に、ＣＱＩインデックス１も上記の要件を満たさない場合には、端末はＣＱＩインデックス０と決定することができる。
【０１１４】
送信モード９（最大８レイヤまでの送信に該当する）及びフィードバック報告モードの場合に、端末は、ＣＳＩ−ＲＳのみに基づいて、上りリンクサブフレームｎで報告されるＣＱＩ値を計算するためのチャネル測定を行うことができる。他の送信モード及び該当する報告モードでは、端末はＣＲＳに基づいてＣＱＩ計算のためのチャネル測定を行うことができる。
【０１１５】
下記の要件を全て満たす場合に、変調技法及び送信ブロックサイズの組合せは、一つのＣＱＩインデックスに該当しうる。関連した送信ブロックサイズテーブルによってＣＱＩレファレンスリソースにおけるＰＤＳＣＨ上の送信に対して上記の組合せがシグナリングされ、変調技法が当該ＣＱＩインデックスによって指定され、及び、送信ブロックサイズ及び変調技法の組合せが上記レファレンスリソースに適用される場合に、当該ＣＱＩインデックスによって指定されるコードレートに一番近い有効チャネルコードレートを有するものが、上記の要件に該当する。送信ブロックサイズ及び変調技法の組合せの２個以上が、当該ＣＱＩインデックスによって指定されるコードレートに同程度で近い場合には、送信ブロックサイズが最小である組合せと決定されてもよい。
【０１１６】
ＣＱＩレファレンスリソースは、次のように定義される。
【０１１７】
周波数領域でＣＱＩレファレンスリソースは、導出されたＣＱＩ値が関連している帯域に該当する下りリンク物理リソースブロックのグループと定義される。
【０１１８】
時間領域でＣＱＩレファレンスリソースは、単一下りリンクサブフレームｎ−ｎＣＱＩ＿ｒｅｆと定義される。ここで、周期的ＣＱＩ報告の場合には、ｎＣＱＩ＿ｒｅｆは、４以上の値のうち、最小の値であるととともに、下りリンクサブフレームｎ−ｎＣＱＩ＿ｒｅｆが有効の下りリンクサブフレームに該当する値に決定される。非周期的ＣＱＩ報告の場合には、ｎＣＱＩ＿ｒｅｆは、上りリンクＤＣＩフォーマット（すなわち、上りリンクスケジューリング制御情報を端末に提供するためのＰＤＣＣＨ ＤＣＩフォーマット）におけるＣＱＩ要請に該当する（又は、ＣＱＩ要請が受信された）有効の下りリンクサブフレームと同じ下りリンクサブフレームが、ＣＱＩレファレンスリソースと決定される。また、非周期的ＣＱＩ報告の場合に、ｎＣＱＩ＿ｒｅｆは４であり、下りリンクサブフレームｎ−ｎＣＱＩ＿ｒｅｆは有効の下りリンクサブフレームに該当し、ここで、下りリンクサブフレームｎ−ｎＣＱＩ＿ｒｅｆは、任意接続応答グラント（ｒａｎｄｏｍ  ａｃｃｅｓｓ  ｒｅｓｐｏｎｓｅ  ｇｒａｎｔ）におけるＣＱＩ要請に該当する（又は、ＣＱＩ要請が受信された）サブフレーム以降に受信さてもよい。ここで、有効の下りリンクサブフレームとは、当該端末に対して下りリンクサブフレームと設定され、送信モード９以外はＭＢＳＦＮサブフレームではなく、ＤｗＰＴＳの長さが７６８０＊Ｔｓ（Ｔｓ＝１／（１５０００×２０４８）秒）以下である場合にＤｗＰＴＳフィールドを含まず、そして、当該端末に対して設定された測定ギャップに属しない下りリンクサブフレームを意味する。仮に、ＣＱＩレファレンスリソースのための有効の下りリンクサブフレームがないと、上りリンクサブフレームｎでＣＱＩ報告は省略されてもよい。
【０１１９】
レイヤ領域でＣＱＩレファレンスリソースは、ＣＱＩが前提とする任意のＲＩ及びＰＭＩと定義される。
【０１２０】
ＣＱＩレファレンスリソースで端末がＣＱＩインデックスを誘導するために次の事項を仮定することができる：（１）下りリンクサブフレームにおける先頭の３ ＯＦＤＭシンボルは、制御シグナリングの用途に用いられる。（２）１次同期信号、２次同期信号又は物理放送チャネルによって用いられるリソース要素はない。（３）非−ＭＢＳＦＮサブフレームのＣＰ長を有する。（４）リダンダンシバージョンは０である。（５）チャネル測定のためにＣＳＩ−ＲＳが用いられる場合、ＰＤＳＣＨ ＥＰＲＥ対ＣＳＩ−ＲＳ ＥＰＲＥの比率は、上位層によってシグナリングされる所定の値を有する。（６）送信モード別に定義されたＰＤＳＣＨ送信技法（単一アンテナポート送信、送信ダイバーシティ、空間多重化、ＭＵ−ＭＩＭＯなど）が当該端末に対して現在設定されている（デフォルトモードであってもよい）。（７）チャネル測定のためにＣＲＳが用いられる場合、ＰＤＳＣＨ ＥＰＲＥ対ＣＲＳ ＥＰＲＥは所定の要件によって決定されうる。ＣＱＩ定義に関するより具体的な事項は、３ＧＰＰ ＴＳ ３６．２１３を参照すればよい。
【０１２１】
要するに、下りリンク受信端（例えば、端末）は、現在ＣＱＩ計算を行う時点を基準に過去の特定の単一サブフレームをＣＱＩレファレンスリソースと設定し、当該ＣＱＩレファレンスリソースで基地局からＰＤＳＣＨが送信された時、そのエラー確率が１０％を越えない条件を満たすようにＣＱＩ値を計算することができる。
【０１２２】
ＣＳＩプロセス
端末に対して一つ以上のＣＳＩプロセスを設定することができる。それぞれのＣＳＩプロセスは、チャネル測定のためのＣＳＩ−ＲＳリソース及びＣＳＩ−干渉測定リソース（ＣＳＩ−ＩＭ  ｒｅｓｏｕｒｃｅ）と関連づけることができる。具体的に、一つのＣＳＩプロセスは、所望する信号測定のための一つのＮＺＰ ＣＳＩ−ＲＳリソースと、干渉測定のための一つの干渉測定リソース（ＩＭＲ）との関連（ａｓｓｏｃｉａｔｉｏｎ）と定義される。それぞれのＣＳＩプロセスは、独立したＣＳＩフィードバック設定を有する。独立したＣＳＩフィードバック設定は、フィードバックモード（いかなる種類のＣＳＩ（ＲＩ、ＰＭＩ、ＣＱＩなど）をいかなる順序で送信するか）、フィードバック周期及びオフセットなどを意味する。
【０１２３】
端末に対して、一つ以上のＣＳＩ−ＩＭリソース設定を与えることができる。それぞれのＣＳＩ−ＩＭリソース設定に対して、ＺＰ（ｚｅｒｏ  ｐｏｗｅｒ）ＣＳＩ−ＲＳ設定（すなわち、ＺＰ ＣＳＩ−ＲＳがマップされるＲＥ位置に関する設定情報）及びＺＰ ＣＳＩ−ＲＳサブフレーム設定（すなわち、ＺＰ ＣＳＩ−ＲＳが発生（ｏｃｃｕｒ）する周期及びオフセットに関する設定情報）のような上位層パラメータを設定することができる。
【０１２４】
また、端末に対して、一つ以上のＺＰ ＣＳＩ−ＲＳリソース設定を与えることができる。それぞれのＺＰ ＣＳＩ−ＲＳリソース設定に対して、ＺＰ ＣＳＩ−ＲＳ設定リスト（すなわち、ＺＰ ＣＳＩ−ＲＳに対する１６ビットサイズのビットマップ情報）及びＺＰ ＣＳＩ−ＲＳサブフレーム設定（すなわち、ＺＰ ＣＳＩ−ＲＳが発生する周期及びオフセットに関する設定情報）のような上位層パラメータを設定することができる。
【０１２５】
搬送波併合
搬送波併合を説明するに先立ち、ＬＴＥ−Ａで無線リソースを管理するために導入されたセル（Ｃｅｌｌ）の概念についてまず説明する。セルは、下りリンクリソース及び上りリンクリソースの組合せと理解できる。ここで、上りリンクリソースは必須の要素ではなく、よって、セルは、下りリンクリソース単独で構成されてもよく、又は下りリンクリソース及び上りリンクリソースで構成されてもよい。下りリンクリソースは、下りリンク構成搬送波（Ｄｏｗｎｌｉｎｋ  ｃｏｍｐｏｎｅｎｔ  ｃａｒｒｉｅｒ；ＤＬ ＣＣ）と、上りリンクリソースは上りリンク構成搬送波（Ｕｐｌｉｎｋ  ｃｏｍｐｏｎｅｎｔ  ｃａｒｒｉｅｒ；ＵＬ ＣＣ）と呼ぶことができる。ＤＬ ＣＣ及びＵＬ ＣＣは、搬送波周波数（ｃａｒｒｉｅｒ  ｆｒｅｑｕｅｎｃｙ）と表現することができ、搬送波周波数は、当該セルにおける中心周波数（ｃｅｎｔｅｒ  ｆｒｅｑｕｅｎｃｙ）を意味する。
【０１２６】
セルは、プライマリ周波数（ｐｒｉｍａｒｙ  ｆｒｅｑｕｅｎｃｙ）で動作するプライマリセル（ｐｒｉｍａｒ  ｙｃｅｌｌ、ＰＣｅｌｌ）と、セカンダリ周波数（ｓｅｃｏｎｄａｒｙ  ｆｒｅｑｕｅｎｃｙ）で動作するセカンダリセル（ｓｅｃｏｎｄａｒｙ  ｃｅｌｌ、ＳＣｅｌｌ）と分類できる。ＰＣｅｌｌとＳＣｅｌｌはサービングセル（ｓｅｒｖｉｎｇ  ｃｅｌｌ）と呼ぶことができる。ＰＣｅｌｌは、端末が初期接続設定（ｉｎｉｔｉａｌ  ｃｏｎｎｅｃｔｉｏｎ  ｅｓｔａｂｌｉｓｈｍｅｎｔ）過程を行ったり、接続再設定過程又はハンドオーバー過程で指示されたセルとすることができる。すなわち、ＰＣｅｌｌは、後述する搬送波併合環境で制御関連の中心となるセルと理解すればよい。端末は、自身のＰＣｅｌｌでＰＵＣＣＨの割当てを受けて送信することができる。ＳＣｅｌｌは、ＲＲＣ（Ｒａｄｉｏ  Ｒｅｓｏｕｒｃｅ  Ｃｏｎｔｒｏｌ）接続設定がなされた後に構成可能であり、追加の無線リソースを提供するために用いることができる。搬送波併合環境でＰＣｅｌｌ以外の残りのサービングセルをＳＣｅｌｌと見なすことができる。ＲＲＣ＿ＣＯＮＮＥＣＴＥＤ状態にあるが、搬送波併合が設定されていないか又は搬送波併合を支援しない端末の場合、ＰＣｅｌｌのみで構成されたサービングセルが一つだけ存在する。一方、ＲＲＣ＿ＣＯＮＮＥＣＴＥＤ状態にあるとともに搬送波併合が設定された端末の場合、一つ以上のサービングセルが存在し、全体サービングセルにはＰＣｅｌｌと全体ＳＣｅｌｌが含まれる。搬送波併合を支援する端末のために、ネットワークは、初期保安活性化（ｉｎｉｔｉａｌ  ｓｅｃｕｒｉｔｙ  ａｃｔｉｖａｔｉｏｎ）過程が開始された後、接続設定過程で初期に構成されるＰＣｅｌｌに付加して一つ以上のＳＣｅｌｌを構成することができる。
【０１２７】
搬送波併合は、高い高速送信率の要求に符合するために、より広い帯域を使用するように導入された技術である。搬送波併合は、搬送波周波数が互いに異なる２個以上の構成搬送波（ｃｏｍｐｏｎｅｎｔ  ｃａｒｒｉｅｒ、ＣＣ）又は２個以上のセルの併合（ａｇｇｒｅｇａｔｉｏｎ）と定義することができる。ここで、各ＣＣは、周波数上で連続していてもよく、非連続していてもよい。
【０１２８】
端末は、下りリンクデータを複数個のＤＬ ＣＣを介して同時に受信し、モニタリングすることができる。各ＤＬ ＣＣとＵＬ ＣＣ間のリンケージ（ｌｉｎｋａｇｅ）はシステム情報で示すことができる。ＤＬ ＣＣ／ＵＬ ＣＣリンクは、システムに固定していてもよく、半−静的に構成されてもよい。また、システム全体帯域がＮ個のＣＣで構成されても、特定端末がモニタリング／受信できる周波数帯域はＭ（＜Ｎ）個のＣＣに限定されてもよい。キャリア併合に関する様々なパラメータは、セル特定（ｃｅｌｌ−ｓｐｅｃｉｆｉｃ）、端末グループ特定（ＵＥ  ｇｒｏｕｐ−ｓｐｅｃｉｆｉｃ）又は端末特定（ＵＥ−ｓｐｅｃｉｆｉｃ）の方式で設定することができる。
【０１２９】
クロス−搬送波スケジューリングとは、例えば、複数サービングセルのいずれか一つのＤＬ ＣＣの制御領域に、他のＤＬ ＣＣの下りリンクスケジューリング割当て情報を全て含むこと、又は複数サービングセルのいずれか一つのＤＬ ＣＣの制御領域に、該ＤＬ ＣＣとリンクされている複数のＵＬ ＣＣに関する上りリンクスケジューリング承認情報を全て含むことを意味する。
【０１３０】
クロス−搬送波スケジューリングに関して、搬送波指示子フィールド（ｃａｒｒｉｅｒ  ｉｎｄｉｃａｔｏｒ  ｆｉｅｌｄ、ＣＩＦ）について説明する。ＣＩＦは、ＰＤＣＣＨを介して送信されるＤＣＩフォーマットに含まれてもよく（例えば、３ビットサイズで定義される）、含まれなくてもよく（例えば、０ビットサイズで定義される）、含まれた場合、クロス−搬送波スケジューリングが適用されることを示す。クロス−搬送波スケジューリングが適用されない場合には、下りリンクスケジューリング割当て情報は、現在下りリンクスケジューリング割当て情報が送信されるＤＬ ＣＣ上で有効である。また、上りリンクスケジューリング承認は、下りリンクスケジューリング割当て情報が送信されるＤＬ ＣＣとリンクされた一つのＵＬ ＣＣに対して有効である。
【０１３１】
クロス−搬送波スケジューリングが適用された場合、ＣＩＦは、いずれか一つのＤＬ ＣＣでＰＤＣＣＨを介して送信される下りリンクスケジューリング割当て情報に関連したＣＣを示す。例えば、ＤＬ ＣＣ Ａ上の制御領域におけるＰＤＣＣＨを介してＤＬ ＣＣ Ｂ及びＤＬ ＣＣ Ｃに関する下りリンク割当て情報、すなわち、ＰＤＳＣＨリソースに関する情報が送信される。端末は、ＤＬ ＣＣ Ａをモニタリングし、ＣＩＦからＰＤＳＣＨのリソース領域及び該当のＣＣが把握できる。
【０１３２】
ＰＤＣＣＨにＣＩＦが含まれるか又は含まれないかは半−静的に設定されてもよく、ＣＩＦは上位層シグナリングによって端末−特定に活性化されてもよい。
【０１３３】
ＣＩＦが非活性化（ｄｉｓａｂｌｅｄ）された場合に、特定ＤＬ ＣＣ上のＰＤＣＣＨは、該ＤＬ ＣＣ上のＰＤＳＣＨリソースを割り当て、特定ＤＬ ＣＣにリンクされたＵＬ ＣＣ上のＰＵＳＣＨリソースを割り当てることができる。この場合、既存のＰＤＣＣＨ構造と同じコーディング方式、ＣＣＥベースのリソースマッピング、ＤＣＩフォーマットなどを適用することができる。
【０１３４】
一方、ＣＩＦが活性化（ｅｎａｂｌｅｄ）された場合に、特定ＤＬ ＣＣ上のＰＤＣＣＨは、複数個の併合されたＣＣのうち、ＣＩＦが示す一つのＤＬ／ＵＬ ＣＣ上におけるＰＤＳＣＨ／ＰＵＳＣＨリソースを割り当てることができる。この場合、既存のＰＤＣＣＨ ＤＣＩフォーマットにＣＩＦをさらに定義することができ、ＣＩＦは、固定した３ビット長のフィールドと定義されてもよく、ＣＩＦ位置がＤＣＩフォーマットサイズに関わらずに固定されてもよい。この場合にも、既存のＰＤＣＣＨ構造と同じコーディング方式、ＣＣＥベースのリソースマッピング、ＤＣＩフォーマットなどを適用することができる。
【０１３５】
ＣＩＦが存在する場合にも、基地局は、ＰＤＣＣＨをモニタリングするＤＬ ＣＣセットを割り当てることができる。これによって、端末のブラインドデコーディングの負担を減少させることができる。ＰＤＣＣＨモニタリングＣＣセットは、全体併合されたＤＬ ＣＣの一部分であり、端末は、ＰＤＣＣＨの検出／デコーディングを該当のＣＣセットのみで行うことができる。すなわち、端末に対してＰＤＳＣＨ／ＰＵＳＣＨをスケジュールするために、基地局はＰＤＣＣＨをＰＤＣＣＨモニタリングＣＣセット上でのみ送信することができる。ＰＤＣＣＨモニタリングＤＬ ＣＣセットは、端末−特定、端末グループ−特定、又はセル−特定に設定することができる。例えば、３個のＤＬ ＣＣが併合される場合に、ＤＬ ＣＣ ＡをＰＤＣＣＨモニタリングＤＬ ＣＣと設定することができる。ＣＩＦが非活性化される場合、それぞれのＤＬ ＣＣ上のＰＤＣＣＨは、ＤＬ ＣＣ ＡにおけるＰＤＳＣＨのみをスケジュールすることができる。一方、ＣＩＦが活性化されると、ＤＬ ＣＣ Ａ上のＰＤＣＣＨは、ＤＬ ＣＣ Ａはもとより、他のＤＬ ＣＣにおけるＰＤＳＣＨもスケジュールすることができる。ＤＬ ＣＣ ＡがＰＤＣＣＨモニタリングＣＣと設定される場合には、ＤＬ ＣＣ Ｂ及びＤＬ ＣＣ ＣにはＰＤＣＣＨが送信されなくてもよい。
【０１３６】
ＱＣＬ（Ｑｕａｓｉ  Ｃｏ−ｌｏｃａｔｉｏｎ）
ＱＣ又はＱＣＬ（Ｑｕａｓｉ  Ｃｏ−Ｌｏｃａｔｅｄ）関係は、信号に対する観点又はチャネルに対する観点で説明することができる。
【０１３７】
一つのアンテナポート上で受信される信号の大規模特性（ｌａｒｇｅ  ｓｃａｌｅ  ｐｒｏｐｅｒｔｉｅｓ）を、他のアンテナポート上で受信される信号から類推（ｉｎｆｅｒ）できる場合に、これら２つのアンテナポートはＱＣＬされていると見なすことができる。ここで、信号の大規模特性は、遅延拡散（ｄｅｌａｙ  ｓｐｒｅａｄ）、ドップラーシフト（Ｄｏｐｐｌｅｒ  ｓｈｉｆｔ）、周波数シフト（ｆｒｅｑｕｅｎｃｙ  ｓｈｉｆｔ）、平均受信電力（ａｖｅｒａｇｅ  ｒｅｃｅｉｖｅｄ  ｐｏｗｅｒ）、受信タイミング（ｒｅｃｅｉｖｅｄ  ｔｉｍｉｎｇ）のうち一つ以上を含むことができる。
【０１３８】
又は、一つのアンテナポート上のシンボルが送信されるチャネルの大規模特性を、他のアンテナポート上のシンボルが送信されるチャネルの特性から類推できる場合に、これら２つのアンテナポートがＱＣＬされていると見なすことができる。ここで、チャネルの大規模特性は、遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、及び平均遅延（ａｖｅｒａｇｅ  ｄｅｌａｙ）のうち一つ以上を含むことができる。
【０１３９】
本発明でＱＣ又はＱＣＬという用語を使用するに当たり、上述した信号観点又はチャネル観点の定義は区別しない。
【０１４０】
端末の立場でＱＣＬに対する仮定が成立するアンテナポート間には、実際には２つのアンテナポートがｃｏ−ｌｏｃａｔｅｄされていなくても、ｃｏ−ｌｏｃａｔｅｄされていると仮定することができる。例えば、端末は、ＱＣＬ仮定が成立する２つのアンテナポートが同一の送信ポイント（ＴＰ）に存在すると仮定することができる。
【０１４１】
例えば、特定ＣＳＩ−ＲＳアンテナポートと、特定下りリンクＤＭＲＳアンテナポートと、特定ＣＲＳアンテナポートがＱＣＬされていると設定することができる。これは、特定ＣＳＩ−ＲＳアンテナポートと、特定下りリンクＤＭＲＳアンテナポートと、特定ＣＲＳアンテナポートが一つのサービングセル（ｓｅｒｖｉｎｇ−ｃｅｌｌ）からのものである場合であってもよい。
【０１４２】
また、ＣＳＩ−ＲＳアンテナポートと下りリンクＤＭＲＳアンテナポートがＱＣＬされていると設定されてもよい。例えば、複数個のＴＰが参加するＣｏＭＰ状況で、いずれのＣＳＩ−ＲＳアンテナポートが実際にいずれのＴＰから送信されるかは端末に明示的に知らせられない。この場合、特定ＣＳＩ−ＲＳアンテナポートと特定ＤＭＲＳアンテナポートとがＱＣＬされていることを端末に知らせることができる。これは、特定ＣＳＩ−ＲＳアンテナポートと特定ＤＭＲＳアンテナポートがいずれか一つのＴＰからのものである場合であってもよい。
【０１４３】
このような場合、端末はＣＳＩ−ＲＳ又はＣＲＳを用いて取得したチャネルの大規模特性情報を用いて、ＤＭＲＳを用いたチャネル推定の性能を高めることができる。例えば、ＣＳＩ−ＲＳから推定されたチャネルの遅延拡散を用いて、ＤＭＲＳから推定されたチャネルの干渉を抑制するなどの動作を行うことができる。
【０１４４】
例えば、遅延拡散及びドップラー拡散に関して、端末はいずれか一つのアンテナポートに対する電力−遅延−プロファイル（ｐｏｗｅｒ−ｄｅｌａｙ−ｐｒｏｆｉｌｅ）、遅延拡散及びドップラースペクトル、ドップラー拡散推定結果を、他のアンテナポートに対するチャネル推定時に用いられるウィナーフィルタ（Ｗｉｅｎｅｒ  ｆｉｌｔｅｒ）などに同一に適用することができる。また、周波数シフト及び受信タイミングに関して、端末はいずれか一つのアンテナポートに対する時間及び周波数同期化（ｓｙｎｃｈｒｏｎｉｚａｔｉｏｎ）を行った後、同一の同期化を他のアンテナポートの復調に適用することができる。また、平均受信電力に関して、端末は２個以上のアンテナポートに対して参照信号受信電力（ｒｅｆｅｒｅｎｃｅ  ｓｉｇｎａｌ  ｒｅｃｅｉｖｅｄ  ｐｏｗｅｒ；ＲＳＲＰ）測定を平均化することができる。
【０１４５】
例えば、端末がＰＤＣＣＨ又はＥｎｈａｎｃｅｄ−ＰＤＣＣＨ（ＥＰＤＣＣＨ）を介して特定ＤＭＲＳベースのＤＬ関連ＤＣＩフォーマット（ＤＭＲＳ−ｂａｓｅｄ  ＤＬ−ｒｅｌａｔｅｄ  ＤＣＩ  ｆｏｒｍａｔ）でＤＬスケジューリング情報を受信することがある。この場合、端末は、設定されたＤＭＲＳシーケンスを用いて該当のスケジュールされたＰＤＳＣＨに対するチャネル推定を行った後、データ復調を行う。例えば、端末がこのようなＤＬスケジューリング情報から受けたＤＭＲＳポート設定が特定ＲＳ（例えば、特定ＣＳＩ−ＲＳ、特定ＣＲＳ、又は自身のＤＬサービングセルＣＲＳなど）ポートとＱＣＬされていると仮定できるならば、端末は、当該ＤＭＲＳポートからチャネル推定時に、上記の特定ＲＳのポートから推定した遅延拡散などの大規模特性推定値をそのまま適用してＤＭＲＳベース受信の性能を向上させることができる。
【０１４６】
これは、ＣＳＩ−ＲＳ又はＣＲＳは、周波数ドメインで全帯域にわたって送信されるセル−特定信号であり、端末−特定に送信されるＤＭＲＳに比べてチャネルの大規模特性をより正確に把握できるからである。特に、ＣＲＳは、毎サブフレームで全帯域にわたって相対的に高い密度でブロードキャストされる参照信号であるから、一般に、チャネルの大規模特性に対する推定値は、ＣＲＳから安定してより正確に取得することができる。一方、ＤＭＲＳは、スケジュールされた特定ＲＢのみで端末−特定に送信されるため、チャネルの大規模特性推定値の正確度がＣＲＳ又はＣＳＩ−ＲＳに比べて劣る。また、端末に多数のＰＲＢＧがスケジュールされた場合であっても、基地局が送信に用いたプリコーディング行列は物理リソースブロックグループ（ＰＲＢＧ）単位に変わることもあるため、端末に受信される有効チャネルはＰＢＲＧ単位に変わることがある。そのため、広い帯域にわたってＤＭＲＳに基づいて大規模チャネル特性を推定しても、その正確性が低下しうる。
【０１４７】
一方、端末は、ＱＣＬされていない（ｎｏｎ−ｑｕａｓｉ−ｃｏ−ｌｏｃａｔｅｄ；ＮＱＣ）アンテナポート（ＡＰ）に対しては、これらのＡＰが同一の大規模チャネル特性を有すると仮定することができない。この場合、端末はタイミング取得及び追跡（ｔｉｍｉｎｇ  ａｃｑｕｉｓｉｔｉｏｎ  ａｎｄ  ｔｒａｃｋｉｎｇ）、周波数オフセット推定及び補償（ｆｒｅｑｕｅｎｃｙ  ｏｆｆｓｅｔ  ｅｓｔｉｍａｔｉｏｎ  ａｎｄ  ｃｏｍｐｅｎｓａｔｉｏｎ）、遅延推定（ｄｅｌａｙ  ｅｓｔｉｍａｔｉｏｎ）、及びドップラー推定（Ｄｏｐｐｌｅｒ  ｅｓｔｉｍａｔｉｏｎ）などについてＮＱＣ ＡＰ別に独立して処理しなければならない。
【０１４８】
ＰＤＳＣＨリソースマッピングパラメータ
ＱＣＬされているか否かは、下りリンク制御情報（例えば、ＤＣＩフォーマット２ＤのＰＱＩフィールド（ＰＤＳＣＨ ＲＥマッピング及びＱＣＬ指示子フィールド））を用いて端末に提供することができる。具体的に、ＱＣＬ設定に対するパラメータセット（例えば、最大４個のパラメータセット）は上位層によってあらかじめ設定されており、これらＱＣＬパラメータセットの中から特定一つのパラメータセットをＤＣＩフォーマット２ＤのＰＱＩフィールドを用いて知らせることができる。
【０１４９】
また、アンテナポートインデックス７乃至１４（すなわち、ＵＥ−ｓｐｅｃｉｆｉｃ ＲＳアンテナポート）上で送信されるＰＤＳＣＨのデコーディングのために、端末に、ＱＣＬタイプＡ又はタイプＢの一つ以上を上位層によって（例えば、上位層パラメータｑｃｌ−Ｏｐｅｒａｔｉｏｎに基づいて）設定することができる。
【０１５０】
ＱＣＬタイプＡは、端末が、サービングセルのアンテナポートインデックス０乃至３（すなわち、ＣＲＳアンテナポート）、７乃至１４（すなわち、ＵＥ−ｓｐｅｃｉｆｉｃ ＲＳアンテナポート）及び１５乃至２２（すなわち、ＣＳＩ−ＲＳアンテナポート）が、遅延拡散、ドップラー拡散、ドップラーシフト及び平均遅延に対してＱＣＬされていると仮定する動作方式といえる。
【０１５１】
ＱＣＬタイプＢは、端末が、上位層によって与えられるＮＺＰ（Ｎｏｎ−Ｚｅｒｏ  Ｐｏｗｅｒ）ＣＳＩ−ＲＳ設定情報（ｑｃｌ−ＣＳＩ−ＲＳ−ＣｏｎｆｉｇＮＺＰＩｄ−ｒ１１）によって識別されるＣＳＩ−ＲＳリソース設定に該当するアンテナポートインデックス１５乃至２２（すなわち、ＣＳＩ−ＲＳアンテナポート）及びＰＤＳＣＨに関連したアンテナポート７乃至１４（すなわち、ＵＥ−ｓｐｅｃｉｆｉｃ ＲＳアンテナポート）が、ドップラーシフト、ドップラー拡散、平均遅延及び遅延拡散に対してＱＣＬされていると仮定する動作方式といえる。
【０１５２】
ＱＣＬタイプＢに設定された端末は、検出されたＰＤＣＣＨ／ＥＰＤＣＣＨのＤＣＩフォーマット２ＤのＰＱＩフィールドが示すパラメータセットを用いてＰＤＳＣＨ ＲＥマッピングを決定し、またＰＤＳＣＨ ＡＰ ＱＣＬを決定することができる。下記の表３に、ＤＣＩフォーマット２ＤのＰＱＩフィールドを示す。
【表３】
0006514203.tif 000019
【０１５３】
上位層シグナリングによって設定されるＰＤＳＣＨ ＲＥマッピング及びＰＤＳＣＨ ＡＰ ＱＣＬを決定するためのパラメータセットのそれぞれは、ＣＲＳポート個数情報（ｃｒｓ−ＰｏｒｔｓＣｏｕｎｔ−ｒ１１）、ＣＲＳ周波数シフト情報（ｃｒｓ−ＦｒｅｑＳｈｉｆｔ−ｒ１１）、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレーム設定情報（ｍｂｓｆｎ−ＳｕｂｆｒａｍｅＣｏｎｆｉｇＬｉｓｔ−ｒ１１）、ＺＰ ＣＳＩ−ＲＳ（Ｚｅｒｏ  Ｐｏｗｅｒ  Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）設定情報（ｃｓｉ−ＲＳ−ＣｏｎｆｉｇＺＰＩｄ−ｒ１１）、ＰＤＳＣＨ開始シンボル値（ｐｄｓｃｈ−Ｓｔａｒｔ−ｒ１１）、又はＮＺＰ（Ｎｏｎ−Ｚｅｒｏ  Ｐｏｗｅｒ）ＣＳＩ−ＲＳ設定情報（ｑｃｌ−ＣＳＩ−ＲＳ−ＣｏｎｆｉｇＮＺＰＩｄ−ｒ１１）のうち一つ以上のパラメータを含むことができる。
【０１５４】
ＱＣＬタイプＢに設定された端末が、Ｃ−ＲＮＴＩでＣＲＣマスクされているＤＣＩフォーマット１ＡのＰＤＣＣＨ／ＥＰＤＣＣＨを検出する、上記の表３のパラメータセット１を用いて、アンテナポートインデックス７上で送信されるＰＤＳＣＨデコーディングを行うものと動作することができる。
【０１５５】
端末がＤＣＩフォーマット１ＡのＰＤＣＣＨ／ＥＰＤＣＣＨによってスケジュールされるＰＤＳＣＨをデコードする際、このＰＤＳＣＨがアンテナポートインデックス０乃至３（すなわち、ＣＲＳアンテナポート）上で送信される場合には、端末は、最も低いインデックスのＺＰ ＣＳＩ−ＲＳリソースを用いてＰＤＳＣＨ ＲＥマッピングを決定することができる。
【０１５６】
ＰＤＳＣＨに対するアンテナポートＱＣＬ
端末は、サービングセルのアンテナポートインデックス０乃至３（すなわち、ＣＲＳアンテナポート）が、遅延拡散、遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）及び平均遅延（ａｖｅｒａｇｅ  ｄｅｌａｙ）に対してＱＣＬされていると仮定することができる。
【０１５７】
端末は、サービングセルのアンテナポートインデックス７乃至１４（すなわち、ＵＥ−ｓｐｅｃｉｆｉｃ ＲＳアンテナポート）が、特定サブフレームで遅延拡散、ドップラー拡散、ドップラーシフト、平均利得及び平均遅延に対してＱＣＬされていると仮定することができる。
【０１５８】
端末は、サービングセルのアンテナポートインデックス０乃至３（すなわち、ＣＲＳアンテナポート）、５（すなわち、３ＧＰＰ ＬＴＥリリース８で定義されたＵＥ−Ｓｐｅｃｉｆｉｃ ＲＳアンテナポート）、７乃至１４（すなわち、３ＧＰＰ ＬＴＥリリース９以降に定義されたＵＥ−Ｓｐｅｃｉｆｉｃ ＲＳアンテナポート）及び１５乃至２２（すなわち、ＣＳＩ−ＲＳアンテナポート）が、ドップラーシフト、ドップラー拡散、平均遅延及び遅延拡散に対してＱＣＬされていると仮定することができる。
【０１５９】
ＱＣＬを考慮したＣＳＩ−ＲＳ定義
ＣＳＩ−ＲＳ設定に対して、前述した内容に加えて、ＱＣＬを考慮したＣＳＩ−ＲＳ定義について説明する。
【０１６０】
上位層によって端末に一つ以上のＣＳＩ−ＲＳリソース設定（ｒｅｓｏｕｒｃｅ  ｃｏｎｆｉｇｕｒａｔｉｏｎ）を与えることができる。ＣＳＩ−ＲＳリソース設定は、ＣＳＩ−ＲＳリソース設定識別情報、ＣＳＩ−ＲＳポートの個数、ＣＳＩ−ＲＳ設定（すなわち、ＣＳＩ−ＲＳがマップされるＲＥ位置に対する設定）、ＣＳＩ−ＲＳサブフレーム設定、ＣＳＩプロセス（ＣＳＩ  ｐｒｏｃｅｓｓ）のそれぞれに対するレファレンスＰＤＳＣＨの送信電力に対するＵＥ仮定、擬似−ランダムシーケンス生成器パラメータ、又はＱＣＬタイプＢに対するＣＲＳアンテナポートとＣＳＩ−ＲＳアンテナポートに対する仮定に対する上位層パラメータ（ｑｃｌ−ＣＲＳ−Ｉｎｆｏ−ｒ１１）のうち一つ以上の情報を含むことができる。ここで、ｑｃｌ−ＣＲＳ−Ｉｎｆｏ−ｒ１１パラメータは、擬似−ランダムシーケンス生成器パラメータ（ｑｃｌ−ＳｃｒａｍｂｌｉｎｇＩｄｅｎｔｉｔｙ−ｒ１１）、ＣＲＳポート個数パラメータ（ｃｒｓ−ＰｏｒｔｓＣｏｕｎｔ−ｒ１１）及びＭＢＳＦＮサブフレーム設定情報（ｍｂｓｆｎ−ＳｕｂｆｒａｍｅＣｏｎｆｉｇＬｉｓｔ−ｒ１１）を含むことができる。
【０１６１】
端末は、一つのＣＳＩ−ＲＳリソース設定のＣＳＩ−ＲＳアンテナポートが遅延拡散、ドップラー拡散、ドップラーシフト、平均利得及び平均遅延に対してＱＣＬされていると仮定することができる。
【０１６２】
ＱＣＬタイプＢに設定された端末は、ＣＳＩ−ＲＳリソース設定に該当するｑｃｌ−ＣＲＳ−Ｉｎｆｏ−ｒ１１パラメータに関連したＣＲＳアンテナポートインデックス０乃至３と、上記ＣＳＩ−ＲＳリソース設定に該当するＣＳＩ−ＲＳアンテナポートインデックス１５乃至２２が、ドップラーシフト及びドップラー拡散に対してＱＣＬされていると仮定することができる。
【０１６３】
協調マルチポイント（Ｃｏｏｒｄｉｎａｔｅｄ  Ｍｕｌｔｉ−Ｐｏｉｎｔ：ＣｏＭＰ）
３ＧＰＰ ＬＴＥ−Ａシステムの改善されたシステム性能要求条件に応じて、ＣｏＭＰ送受信技術（ｃｏ−ＭＩＭＯ、共同（ｃｏｌｌａｂｏｒａｔｉｖｅ）ＭＩＭＯ又はネットワークＭＩＭＯなどと表現されることもある）が提案されている。ＣｏＭＰ技術は、セル−境界（ｃｅｌｌ−ｅｄｇｅ）に位置している端末の性能を増加させ、平均セクター収率（ｔｈｒｏｕｇｈｐｕｔ）を増加させることができる。
【０１６４】
一般に、周波数再使用因子（ｆｒｅｑｕｅｎｃｙ  ｒｅｕｓｅ  ｆａｃｔｏｒ）が１である多重−セル環境で、セル−間干渉（Ｉｎｔｅｒ−Ｃｅｌｌ  Ｉｎｔｅｒｆｅｒｅｎｃｅ；ＩＣＩ）によって、セル−境界に位置している端末の性能と平均セクター収率が減少することがある。このようなＩＣＩを低減するために、既存のＬＴＥシステムでは、端末特定電力制御による部分周波数再使用（ｆｒａｃｔｉｏｎａｌ  ｆｒｅｑｕｅｎｃｙ  ｒｅｕｓｅ；ＦＦＲ）のような単純な受動的な技法を用いて、干渉によって制限を受けている環境でセル−境界に位置している端末が適切な収率性能を有するようにする方法が適用されてきた。しかし、セル当たり周波数リソース使用を減らすよりは、ＩＣＩを低減したり、ＩＣＩを端末が所望する信号として再使用することが一層好ましいだろう。このような目的を達成するために、ＣｏＭＰ送信技法を適用することができる。
【０１６５】
下りリンクで適用可能なＣｏＭＰ技法は、大きく、ジョイント−プロセシング（ｊｏｉｎｔ  ｐｒｏｃｅｓｓｉｎｇ；ＪＰ）技法と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）技法とに分類できる。
【０１６６】
ＪＰ技法は、ＣｏＭＰ協調単位のそれぞれのポイント（基地局）でデータを用いることができる。ＣｏＭＰ協調単位は、協調送信技法に用いられる基地局の集合を意味する。ＪＰ技法は、ジョイント送信（Ｊｏｉｎｔ  Ｔｒａｎｓｍｉｓｓｉｏｎ）技法と動的セル選択（Ｄｙｎａｍｉｃ  ｃｅｌｌ  ｓｅｌｅｃｔｉｏｎ）技法とに分類できる。
【０１６７】
ジョイント送信技法とは、ＰＤＳＣＨが一度に複数個のポイント（ＣｏＭＰ協調単位の一部又は全部）から送信される技法のことをさす。すなわち、単一端末に送信されるデータを複数個の送信ポイント（ｔｒａｎｓｍｉｓｓｉｏｎ  ｐｏｉｎｔ、ＴＰ）から同時に送信することができる。ジョイント送信技法によれば、コヒーレントに（ｃｏｈｅｒｅｎｔｌｙ）又はノン−コヒーレントに（ｎｏｎ−ｃｏｈｅｒｅｎｔｌｙ）受信信号の品質を向上させることができ、且つ、他の端末に対する干渉を能動的に消去することができる。
【０１６８】
動的セル選択技法とは、ＰＤＳＣＨが一度に（ＣｏＭＰ協調単位の）一つのポイントから送信される技法のことを指す。すなわち、特定時点で単一端末に送信されるデータは一つのポイントから送信され、その時点に協調単位内の他のポイントは当該端末に対してデータ送信を行わない。ここで、当該端末にデータを送信するポイントを動的に選択することができる。
【０１６９】
一方、ＣＳ／ＣＢ技法によれば、ＣｏＭＰ協調単位が単一端末に対するデータ送信のビームフォーミングを協調的に行うことができる。ここで、データはサービングセルのみで送信されるが、ユーザスケジューリング／ビームフォーミングは、当該ＣｏＭＰ協調単位におけるセルの調整によって決定されうる。
【０１７０】
一方、上りリンクでは、調整（ｃｏｏｒｄｉｎａｔｅｄ）多重−ポイント受信は、地理的に離れた複数個のポイントの調整によって送信された信号を受信することを意味する。上りリンクにおいて適用可能なＣｏＭＰ技法は、ジョイント受信（Ｊｏｉｎｔ  Ｒｅｃｅｐｔｉｏｎ；ＪＲ）と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）とに分類できる。
【０１７１】
ＪＲ技法は、ＰＵＳＣＨを介して送信された信号が複数個の受信ポイントに受信されることを意味し、ＣＳ／ＣＢ技法は、ＰＵＳＣＨが一つのポイントのみに受信されるが、ユーザスケジューリング／ビームフォーミングはＣｏＭＰ協調単位のセルの調整によって決定されることを意味する。
【０１７２】
このようなＣｏＭＰシステムを用いると、端末は、多重−セル基地局（Ｍｕｌｔｉ−ｃｅｌｌ  ｂａｓｅ  ｓｔａｔｉｏｎ）から共同にデータの支援を受けることができる。また、各基地局は、同一の無線周波数リソース（Ｓａｍｅ  Ｒａｄｉｏ  Ｆｒｅｑｕｅｎｃｙ  Ｒｅｓｏｕｒｃｅ）を用いて一つ以上の端末に同時に支援することによって、システムの性能を向上させることができる。また、基地局は、基地局と端末間のチャネル状態情報に基づいて空間分割多元接続（Ｓｐａｃｅ  Ｄｉｖｉｓｉｏｎ  Ｍｕｌｔｉｐｌｅ  Ａｃｃｅｓｓ：ＳＤＭＡ）方法を行うこともできる。
【０１７３】
ＣｏＭＰシステムでサービング基地局及び一つ以上の協調基地局はバックボーン網（Ｂａｃｋｂｏｎｅ  Ｎｅｔｗｏｒｋ）を通してスケジューラ（ｓｃｈｅｄｕｌｅｒ）に接続する。スケジューラは、バックボーン網を通して、各基地局が測定した各端末及び協調基地局間のチャネル状態に関するチャネル情報をフィードバック受けて動作することができる。例えば、スケジューラは、サービング基地局及び一つ以上の協調基地局に対して協調的ＭＩＭＯ動作のための情報をスケジュールすることができる。すなわち、スケジューラから各基地局に協調的ＭＩＭＯ動作に関する指示を直接下すことができる。
【０１７４】
上述したとおり、ＣｏＭＰシステムは、複数個のセルを一つのグループにまとめて仮想ＭＩＭＯシステムとして動作するものと見なすことができ、基本的に、ＣｏＭＰシステムには多重アンテナを用いるＭＩＭＯシステムの通信技法を適用することができる。
【０１７５】
ＣｏＭＰ及びＣＳＩプロセス
図１０は、下りリンクＣｏＭＰ動作の例示を示す図である。
【０１７６】
図１０の例示で、ＵＥは、ｅＮＢ１とｅＮＢ２との間に位置しており、両ｅＮＢは、当該ＵＥへの干渉問題を解決するために、ＪＴ（Ｊｏｉｎｔ  Ｔｒａｎｓｍｉｓｓｉｏｎ）、ＤＣＳ（Ｄｙｎａｍｉｃ  Ｃｅｌｌ  Ｓｅｌｅｃｔｉｏｎ）、ＤＰＢ（Ｄｙｎａｍｉｃ  Ｐｏｉｎｔ  Ｂｌａｎｋｉｎｇ）、ＣＳ／ＣＢ（ｃｏｏｒｄｉｎａｔｅｄ  ｓｃｈｅｄｕｌｉｎｇ／ｂｅａｍｆｏｒｍｉｎｇ）のような適切なＣｏＭＰ動作を行う。ＵＥは、このようなＣｏＭＰ動作を助けるために、適切なＣＳＩフィードバックを行う。このＣＳＩフィードバックには、各ｅＮＢに対するＲＩ情報、ＰＭＩ情報及びＣＱＩ情報が含まれ、さらに、ＪＴのための両ｅＮＢ間のチャネル情報（例えば、ｅＮＢ１からＵＥへのチャネルとｅＮＢ２からＵＥへのチャネル間の位相オフセット情報）を含めることができる。
【０１７７】
図１０で、ＵＥは、自身のサービングセルであるｅＮＢ１にＣＳＩフィードバックを報告しているが、状況によって、ｅＮＢ２にＣＳＩフィードバックを報告してもよい。或いは、両ｅＮＢがＣＳＩフィードバックを受信することもできる。
【０１７８】
ネットワークによるＣｏＭＰスケジューリングを支援するために、ＵＥは、サービングｅＮＢ／ＴＰのＤＬ（ｄｏｗｎｌｉｎｋ）ＣＳＩ情報だけでなく、ＣｏＭＰに参加する隣接ｅＮＢ／ＴＰのＤＬ ＣＳＩ情報も併せてフィードバックすることができる。このために、ＵＥは、様々なデータ送信ｅＮＢ／ＴＰと様々な干渉環境を反映する複数個のＣＳＩプロセスに対するＣＳＩを生成及びフィードバックすることができる。
【０１７９】
ＣｏＭＰ ＣＳＩの計算において、干渉の測定のために干渉リソース（ＩＭＲ）が用いられる。ＵＥには一つ以上のＩＭＲが設定され、ＩＭＲは、それぞれ独立した設定を有する。すなわち、それぞれのＩＭＲの発生周期、サブフレームオフセット、リソース設定（すなわち、ＲＥマッピング位置）は独立して与えられ、この情報を、上位層（例えば、ＲＲＣ層）を用いてネットワークからＵＥにシグナルすることができる。
【０１８０】
ＣｏＭＰ ＣＳＩ計算において、所望の（ｄｅｓｉｒｅｄ）チャネル又は信号の測定のためにＣＳＩ−ＲＳが用いられる。ＵＥには一つ以上のＣＳＩ−ＲＳが設定され、ＣＳＩ−ＲＳは、それぞれ独立した設定を有する。すなわち、それぞれのＣＳＩ−ＲＳの送信周期、サブフレームオフセット、リソース設定（すなわち、ＲＥマッピング位置）、送信電力に対する仮定（すなわち、パラメータＰｃ）、アンテナポート個数に対する設定が独立して与えられる。この情報は、上位層（例えば、ＲＲＣ層）を用いてネットワークからＵＥにシグナルすることができる。これを信号測定リソース（ＳＭＲ）と呼ぶこともできる。
【０１８１】
ＵＥに設定された一つ以上のＣＳＩ−ＲＳと一つ以上のＩＭＲのうち、信号測定のための一つのＣＳＩ−ＲＳリソースと干渉測定のための一つのＩＭＲとの関連付け（又は、組合せ）によって一つのＣＳＩプロセスが定義される。異なったＣＳＩプロセスに対して計算又は誘導されたＣＳＩ情報は、独立した周期及びサブフレームオフセットによってＵＥからネットワークにフィードバックすることができる。すなわち、それぞれのＣＳＩプロセスは、独立したＣＳＩフィードバック設定を有することができる。このようなＣＳＩ−ＲＳリソースとＩＭＲとの関連（又は、組合せ）に関する情報、及びＣＳＩフィードバック設定情報などを、ＣＳＩプロセス別に、上位層シグナリングによってネットワークからＵＥに提供することができる。図１０の例示において、例えば、下記の表４のような３個のＣＳＩプロセスをＵＥに対して設定することができる。
【表４】
0006514203.tif 000020
【０１８２】
上記の表４で、ＣＳＩ−ＲＳ０とＣＳＩ−ＲＳ１はそれぞれ、ＵＥのサービングｅＮＢであるｅＮＢ１から受信するＣＳＩ−ＲＳと、協調に参加する隣接ｅＮＢであるｅＮＢ２から受信するＣＳＩ−ＲＳを表す。
【０１８３】
下記の表５は、上記の表４の３個のＩＭＲ設定を示す。ＩＭＲ０は、ｅＮＢ１はミューティング（ｍｕｔｉｎｇ）（又は、ヌル（ｎｕｌｌ）信号送信）を行い、ｅＮＢ２はデータ送信を行うリソースと設定され、ＵＥは、ＩＭＲ０から、ｅＮＢ１以外のｅＮＢからの干渉を測定する。ＩＭＲ１は、ｅＮＢ２はミューティングを行い、ｅＮＢ１はデータ送信を行うリソースと設定され、ＵＥは、ＩＭＲ１から、ｅＮＢ２以外のｅＮＢからの干渉を測定する。ＩＭＲ２は、ｅＮＢ１、ｅＮＢ２の両方ともミューティングを行うリソースと設定され、ＵＥは、ＩＭＲ２から、ｅＮＢ１及びｅＮＢ２以外のｅＮＢからの干渉を測定する。
【表５】
0006514203.tif 000021
【０１８４】
上記の表４で、ＣＳＩ ｐｒｏｃｅｓｓ０のＣＳＩ情報は、ｅＮＢ１からデータを受信する場合に対する最適のＲＩ、ＰＭＩ、ＣＱＩ情報を示す。ＣＳＩ ｐｒｏｃｅｓｓ１のＣＳＩ情報は、ｅＮＢ２からデータを受信する場合に対する最適のＲＩ、ＰＭＩ、ＣＱＩ情報を示す。ＣＳＩ ｐｒｏｃｅｓｓ２のＣＳＩ情報は、ｅＮＢ１からデータを受信し、ｅＮＢ２から干渉を全く受けない場合に対する最適のＲＩ、ＰＭＩ、ＣＱＩ情報を示す。
【０１８５】
ＮＩＢ ＣｏＭＰに対する改善方案
非−理想的なバックホール（Ｎｏｎ−Ｉｄｅａｌ  Ｂａｃｋｈａｕｌ；ＮＩＢ）ネットワークは、地理的に離れているＣｏＭＰポイント間のバックホールリンクにおいて信号送受信にある程度の遅延（例えば、５乃至３０ｍｓ）が存在するネットワークを意味する。既存のＣｏＭＰ動作は、ＣｏＭＰポイント間のバックホールリンク上で遅延無しで制御情報を送受できる理想的な状態であるという仮定の下に設計されたものであるため、ＣｏＭＰポイント間にサブフレーム単位の動的なスケジューリング決定が可能であり、例えば、毎サブフレームごとにＰＤＳＣＨの送信ポイントが変更される動的ポイントスイッチング（ＤＰＳ）技法を支援することができる。例えば、ＤＰＳを支援するための目的で、送信モード１０（ＴＭ１０）に設定されたＵＥにＤＣＩフォーマット２Ｄで下りリンク割当て（ＤＬ  ａｓｓｉｇｎｍｅｎｔ）を提供する際、ＤＣＩフォーマット２Ｄ内の２ビットサイズのＰＱＩフィールドを特定状態値にすることによって、ＰＤＳＣＨ送信ＴＰに対するＰＤＳＣＨ ＲＥマッピング情報及びＲＳ間のＱＣＬ情報を動的に提供することができる。
【０１８６】
しかし、このような既存のＣｏＭＰ動作は、ＮＩＢネットワークにおけるＣｏＭＰ動作にはそのまま適用できないという問題がある。例えば、ＣｏＭＰ参加ポイント間のバックホールリンクがＮＩＢである場合、あるポイントが現在サブフレームでＰＱＩフィールドを含むＤＣＩフォーマット２ＤをＵＥに提供することによって、当該サブフレームで他のポイントから送信されるＰＤＳＣＨに対するスケジューリング情報を知らせるためには、ＮＩＢ上の送受信遅延以前に両ポイント間に上記ＰＤＳＣＨスケジューリングがあらかじめ決定及び共有されていなければならない。これは、動的ポイント選択というよりは、あらかじめ定義されたパターンに従う静的なＰＤＳＣＨスケジューリング動作に近いため、ＮＩＢでは既存のＣｏＭＰ方式を支援し難いという限界がある。
【０１８７】
そこで、本発明では、ＮＩＢネットワークにおけるＣｏＭＰを正確に且つ效率的に実行又は支援できる方案について提案する。
【０１８８】
以下では主に基地局（ｅＮＢ）間のＣｏＭＰを取り上げて説明するが、本発明の原理は、送信ポイント（ＴＰ）、受信ポイント（ＲＰ）、遠隔無線ヘッド（ｒｅｍｏｔｅ  ｒａｄｉｏ  ｈｅａｄ；ＲＲＨ）、中継機（ｒｅｌａｙ）間のＣｏＭＰにも適用することができる。すなわち、基地局、ＴＰ、ＲＰ、ＲＲＨ、中継機という用語のいずれか一つは、その他の用語を代表するものとして理解しなければならない。
【０１８９】
また、以下では３ＧＰＰ ＬＴＥシステムに基づいて本発明を説明するが、本発明の原理は、他の技術に基づく通信システムにも適用することができる。
【０１９０】
ＮＩＢ ＣｏＭＰのためのＸｎ−ｓｉｇｎａｌｉｎｇ情報
図１１は、ＣｏＭＰが適用されない状況について説明するための図である。
【０１９１】
図１１の例示で、ＵＥのサービングセルはＴＰ１であり、ＵＥは、ＤＬスケジューリング情報をＴＰ１から受信し、ＰＤＳＣＨもＴＰ１から受信する。
【０１９２】
図１１の例示のような非−ＣｏＭＰ（ｎｏｎ−ＣｏＭＰ）状況でＴＰ１とＴＰ２がＮＩＢリンクを介して協調送信のためのシグナリングを交換することができる。このような協調送信のためのシグナリングは、ＴＰ間のリンクを意味するＸｎリンク（例えば、Ｘ２リンク／バックホールリンク）上で送信されるという点で、Ｘｎ−ｓｉｇｎａｌｉｎｇの形態を有することができる。また、協調送信のためのシグナリングは、ローディング（ｌｏａｄｉｎｇ）情報、一つ以上のＣＳＩ−ＲＳ設定情報、一つ以上のＣＳＩ−ＩＭ（又は、ＩＭＲ）設定情報、又はＤＭＲＳ設定情報のうち一つ以上を含むことができる。
【０１９３】
上記ローディング情報（又は、混雑（ｃｏｎｇｅｓｔｉｏｎ）情報）は、特定ＴＰが自身に接続中の（すなわち、自身をサービングセルとする）ＵＥの個数に関する情報を含むことができる。これに併せて又は代わりに、上記ローディング情報は、特定ＴＰが自身に接続可能な最大ＵＥの個数を基準に、現在接続中のＵＥの個数に対する比率（又は、パーセント）情報のように、特定ＴＰがサービス可能な容量対比使用量又は余裕分を示す情報を含むことができる。このようなローディング情報は、特定ＴＰが他のＴＰにＸｎ−ｓｉｇｎａｌｉｎｇ方式で伝達したり、複数個のＴＰにマルチキャスト／ブロードキャストすることができる。また、特定ＴＰは、他のＴＰに上記のようなローディング情報を提供するように要請することもできる。
【０１９４】
上記一つ以上のＣＳＩ−ＲＳ設定情報は、特定ＴＰが自身のＮＺＰ ＣＳＩ−ＲＳ設定情報（例えば、ＮＺＰ ＣＳＩ−ＲＳ ＲＥ位置、周期、オフセットなど）及び／又は自身のＺＰ ＣＳＩ−ＲＳ設定情報（例えば、ＺＰ ＣＳＩ−ＲＳ ＲＥ位置、周期、オフセットなど）を含むことができる。上記ＮＺＰ ＣＳＩ−ＲＳ設定情報は、一つ又は複数個のＮＺＰ ＣＳＩ−ＲＳ設定に対するものであってもよく、上記ＴＰが実際に送信中のＮＺＰ ＣＳＩ−ＲＳに対するものであってもよく、又は特定ＵＥに設定されているＮＺＰ ＣＳＩ−ＲＳに対するものであってもよい。また、上記ＺＰ ＣＳＩ−ＲＳ設定情報は、一つ又は複数個のＺＰ ＣＳＩ−ＲＳ設定に対するものであってもよく、これは、ＰＤＳＣＨレートマッチングに適用されるＺＰ ＣＳＩ−ＲＳ設定情報であってもよい。このような一つ以上のＣＳＩ−ＲＳ設定情報は、特定ＴＰが他のＴＰにＸｎ−ｓｉｇｎａｌｉｎｇ方式で伝達してもよく、複数個のＴＰにマルチキャスト／ブロードキャストしてもよい。また、特定ＴＰは、他のＴＰに上記のような一つ以上のＣＳＩ−ＲＳ設定情報を提供するように要請することもできる。
【０１９５】
上記一つ以上のＣＳＩ−ＩＭ（又は、ＩＭＲ）設定情報は、特定ＴＰの一つ以上のＣＳＩ−ＩＭ設定情報（例えば、ＺＰ ＣＳＩ−ＲＳ ＲＥ位置、周期、オフセットなど）及び／又は該当のＣＳＩ−ＩＭ設定のそれぞれに対して該当のＲＥ位置に上記特定ＴＰがミューティングを行うか否か（又は、送信を行うか否か）に関する情報を含むことができる。上記特定ＴＰのＣＳＩ−ＲＳ設定情報は、特定ＴＰが特定ＵＥに設定したＣＳＩ−ＩＭ設定情報、上記特定ＴＰに関連した（ａｓｓｏｃｉａｔｅ）ＵＥに設定してはいないが、隣接ＴＰのＵＥに設定されて該当のＵＥのＣＳＩ計算／生成のための特定干渉環境を提供するためのＣＳＩ−ＩＭ設定情報（例えば、ＺＰ ＣＳＩ−ＲＳ ＲＥ位置、周期、オフセットなど）などを含むことができる。このような一つ以上のＣＳＩ−ＩＭ設定情報は、特定ＴＰが他のＴＰにＸｎ−ｓｉｇｎａｌｉｎｇ方式で伝達してもよく、複数個のＴＰにマルチキャスト／ブロードキャストしてもよい。また、特定ＴＰは、他のＴＰに上のような一つ以上のＣＳＩ−ＩＭ設定情報を提供するように要請することもできる。また、特定ＴＰは他のＴＰに、特定ＣＳＩ−ＩＭ設定の該当のＲＥ位置でミューティングするように要請（又は、送信を行うように要請）することもできる。
【０１９６】
上記ＤＭＲＳ設定情報は、ＣｏＭＰ送信の対象となるＵＥ別にそれぞれのＴＰでＰＤＳＣＨを送信する場合に適用するＤＭＲＳ設定（例えば、ＤＭＲＳシーケンススクランブリング初期化パラメータ（ｓｅｑｕｅｎｃｅ  ｓｃｒａｍｂｌｉｎｇ  ｉｎｉｔｉａｌｉｚａｔｉｏｎ  ｐａｒａｍｅｔｅｒ））情報をあらかじめＴＰの間に交換するＸｎ−ｓｉｇｎａｌｉｎｇが支援される必要がある。例えば、ＴＰ１とＴＰ２が互いに時間区間を分けてスイッチングしながらＵＥに対するＰＤＳＣＨ送信をするＣｏＭＰ状況で、ＴＰ２が当該ＵＥにＰＤＳＣＨ送信をするために用いるＤＭＲＳ設定情報を、ＴＰ２がＴＰ１にＸｎ−ｓｉｇｎａｌｉｎｇを用いてあらかじめ知らせなければならない。なぜなら、ＵＥにＰＤＳＣＨ受信を正確に行わせるためには、ＴＰ１が当該ＵＥにＤＭＲＳ設定情報をＲＲＣシグナリングを用いて知らせなければならないが、ＴＰ１とＴＰ２間のＸｎ−ｓｉｇｎａｌｉｎｇのレイテンシ（ｌａｔｅｎｃｙ）よりも、ＴＰ１からＵＥへのＲＲＣシグナリングのレイテンシが大きいためである。したがって、ＴＰ１がＴＰ２からあらかじめ受信したＴＰ２のＤＭＲＳ設定情報をＵＥにＲＲＣシグナリングを用いて知らせると、ＵＥは、ＴＰ２のＤＭＲＳ設定に基づいて、ＴＰ２からのＰＤＳＣＨを正しく受信することができる。
【０１９７】
ここで、特定ＣＳＩ−ＩＭ設定情報は、複数個のＴＰを含むネットワーク（例えば、ＣｏＭＰクラスター）内に固有（ｕｎｉｑｕｅ）に指示されなければならない。すなわち、ＴＰ１が意図する特定ＣＳＩ−ＩＭ設定を示す情報を受信したＴＰ２に、当該情報からＴＰ１が意図するＣＳＩ−ＩＭ設定を把握させるためには、複数個のＴＰ間でいずれのＣＳＩ−ＩＭ設定情報がいずれのＣＳＩ−ＩＭ設定を示すかがあらかじめ定義されていなければならない。そこで、本発明ではネットワーク−ワイズ（ｎｅｔｗｏｒｋ−ｗｉｓｅ）ＣＳＩ−ＩＭ設定情報（以下、ＮＷ−ＣＳＩ−ＩＭ設定情報）を定義することを提案する。例えば、ＮＷ−ＣＳＩ−ＩＭ設定情報は、それぞれのＣＳＩ−ＩＭ設定に対してＮＷ−ＣＳＩ−ＩＭインデックス（又は、ＮＷ−ＣＳＩ−ＩＭ設定インデックス）を与えることによって定義することができ、ＴＰ間でＸｎ−ｓｉｇｎａｌｉｎｇの形態でＮＷ−ＣＳＩ−ＩＭ設定情報を交換することができる。
【０１９８】
例えば、３個のｅＮＢが一つのＣｏＭＰクラスターを構成していると仮定し、この場合、総Ｍ個のＮＷ−ＣＳＩ−ＩＭインデックスを定義することができる。例えば、下記の表６のように、Ｍ＝７個のＮＷ−ＣＳＩ−ＩＭインデックスを与えることができる。
【表６】
0006514203.tif 000022
【０１９９】
上記の表６の例示のように、本発明で提案するＮＷ−ＣＳＩ−ＩＭ設定情報は、特定ｅＮＢ別にミューティングするか否かを直接的に示す情報ということもできる。
【０２００】
また、上記の表６は、単なる例示であり、ｎｏｎ−ｍｕｔｉｎｇと表示された項目を複数個の送信電力レベルに細分化してもよく、この場合、Ｍは、７よりも高い値に設定することもできる。このような様々な干渉仮説（ｉｎｔｅｒｆｅｒｅｎｃｅ  ｈｙｐｏｔｈｅｓｉｓ）を考慮してＮＷ−ＣＳＩ−ＩＭ設定情報を定義する場合、Ｍ値は、７よりも高い値に設定することもできる。又は、それぞれのｅＮＢがミューティングするか否かに対するあらゆる場合の数を考慮しないで一部のみを定義する場合には、Ｍ値は、７よりも低い値に設定することもできる。
【０２０１】
また、ＮＷ−ＣＳＩ−ＩＭ設定情報は、各ｅＮＢがミューティングするか否か（ｎｏｎ−ｍｕｔｉｎｇの場合には電力レベル）を示すだけでなく、特定ｅＮＢの動作（ｂｅｈａｖｉｏｒ）がいずれのものであっても構わないことを示すこともできる。例えば、ＮＷ−ＣＳＩ−ＩＭ設定情報は、ＣｏＭＰクラスター内のそれぞれのｅＮＢ別に「ｍｕｔｉｎｇ」、「ｎｏｎ−ｍｕｔｉｎｇ」又は「ｄｏｎ’ｔ ｃａｒｅ」を示すものと定義されてもよい。例えば、上記の表６の例示にＮＷ−ＣＳＩ−ＩＭ ｉｎｄｅｘ ８を追加し、下記の表７のようにＮＷ−ＣＳＩ−ＩＭ設定情報を定義することもできる。
【表７】
0006514203.tif 000023
【０２０２】
すなわち、ＮＷ−ＣＳＩ−ＩＭ ｉｎｄｅｘ ８では、ｅＮＢ２の該当のＮＷ−ＣＳＩ−ＩＭリソースにおける動作を「ｄｏｎ’ｔ ｃａｒｅ」に設定することができ、これは、ｅＮＢ２が当該ＮＷ−ＣＳＩ−ＩＭリソースでｍｕｔｉｎｇを行うか、ｎｏｎ−ｍｕｔｉｎｇを行うか、又はｎｏｎ−ｍｕｔｉｎｇの場合であっても、いかなるプリコーディング及びいかなる電力割当てが適用された信号が送信されるかなどは、ｅＮＢ２が任意に決定できるということを意味する。このため、他のｅＮＢ（例えば、ｅＮＢ１及びｅＮＢ３）は、ｅＮＢ２が当該ＮＷ−ＣＳＩ−ＩＭリソースでいかなる動作を取るかについて予想できず、ｅＮＢ２によって発生する干渉が一定であると保障できないことを意味する。
【０２０３】
上記の例示のように、個別ｅＮＢの特定ＣＳＩ−ＩＭリソースにおける動作の仮説を明示するＸｎ−ｓｉｇｎａｌｉｎｇフォーマット（例えば、バックホールシグナリングフォーマット）が設計され、これに基づいてｅＮＢの間にＣＳＩ−ＩＭ設定情報を交換することができる。例えば、それぞれのＮＷ−ＣＳＩ−ＩＭ ｉｎｄｅｘは、それぞれのｅＮＢに対して｛ミューティング、所定の最大又は最小電力レベル値、特定プリコーディング情報（例えば、ビーム方向、プリコーディング係数、又はプリコーディングセット情報）、「ｄｏｎ’ｔ ｃａｒｅ」｝で構成された集合中の一つ以上の元素を明示的に示すものと定義することができ、特定ＮＷ−ＣＳＩ−ＩＭ ｉｎｄｅｘを用いてバックホールシグナリングが行われるようにすることができる。
【０２０４】
また、上記ＮＷ−ＣＳＩ−ＩＭ設定情報は、ｅＮＢの間のシグナリングに用いられてもよく、ｅＮＢがＵＥに指示するＣｏＭＰ仮説に関する情報として用いられてもよい。例えば、ｅＮＢ１は、自身に接続しているＵＥに、ＲＲＣなどの上位層信号を用いて、上記ＮＷ−ＣＳＩ−ＩＭ ｉｎｄｅｘ１、２、３、４の一部（又は、全部）を設定することができる。例えば、ｅＮＢ１に接続しているＣｏＭＰ ＵＥ１には上記ＮＷ−ＣＳＩ−ＩＭ ｉｎｄｅｘ ４（ｎｏｎ−ＣｏＭＰ干渉環境を反映）及びＮＷ−ＣＳＩ−ＩＭ ｉｎｄｅｘ ２（ｅＮＢ２がｍｕｔｉｎｇするＣｏＭＰ環境を反映）の２つのＮＷ−ＣＳＩ−ＩＭインデックスをＲＲＣによって設定することができ、ＮＷ−ＣＳＩ−ＩＭ ｉｎｄｅｘ ２及び４を別個のＣＳＩプロセスに含めることによって、互いに異なるＣｏＭＰ仮説（例えば、互いに異なる干渉環境）に基づいてＣｏＭＰ ＵＥ１がＣＳＩを計算／生成してｅＮＢ１にフィードバックするようにすることもできる。例えば、ＣｏＭＰ ＵＥ１に、ＮＷ−ＣＳＩ−ＩＭ ｉｎｄｅｘ ４はｃｓｉ−ＩＭ−ＣｏｎｆｉｇＩｄ−ｒ１１＝１に、ＮＷ−ＣＳＩ−ＩＭ ｉｎｄｅｘ ２はｃｓｉ−ＩＭ−ＣｏｎｆｉｇＩｄ−ｒ１１＝２に設定することができる。
【０２０５】
すなわち、個別ＵＥにはｃｓｉ−ＩＭ−ＣｏｎｆｉｇＩｄ−ｒ１１値を｛１，．．．，ｍａｘＣＳＩ−ＩＭ−ｒ１１｝の中から一つを指定して設定することができるが、ネットワーク（例えば、ＣｏＭＰクラスター）の観点では、これはネットワークで固有（ｕｎｉｑｕｅ）に与えられている上記のＮＷ−ＣＳＩ−ＩＭ ｉｎｄｅｘ １、．．．、７に該当してもよい。
【０２０６】
他の例示として、ｅＮＢ２は、自身に接続しているＵＥに、ＲＲＣなどの上位層信号を用いてＮＷ−ＣＳＩ−ＩＭ ｉｎｄｅｘ１，２，５，６中の一部（又は、全部）を設定することができ、これらのＵＥは、それぞれのＮＷ−ＣＳＩ−ＩＭ ｉｎｄｅｘに該当する異なったＣｏＭＰ環境を考慮してＣＳＩを計算してフィードバックすることができる。
【０２０７】
上記の例示では主に、ＣＳＩ−ＩＭ設定を示す情報をネットワーク−ワイズで定義する方案について説明したが、このような原理は、ＮＺＰ ＣＳＩ−ＲＳ設定情報やＺＰ ＣＳＩ−ＲＳ設定情報に対しても適用することができる。すなわち、複数個のｅＮＢを含む特定規模のネットワーク（例えば、ＣｏＭＰクラスター）内で、ＮＷ−ＮＺＰ−ＣＳＩ−ＲＳ設定情報（又は、ＮＷ−ＮＺＰ−ＣＳＩ−ＲＳインデックス）及び／又はＮＷ−ＺＰ−ＣＳＩ−ＲＳ設定情報（又は、ＮＷ−ＺＰ−ＣＳＩ−ＲＳインデックス）を定義することによって、特定ＮＷ−ＮＺＰ−ＣＳＩ−ＲＳ設定及び／又は特定ＮＷ−ＺＰ−ＣＳＩ−ＲＳ設定がネットワーク内のｅＮＢ（また、当該ｅＮＢによってサービングされるＵＥ）で固有（ｕｎｉｑｕｅ）に呼ばれてもよい。
【０２０８】
さらに、ＣＳＩ−ＩＭ設定を示す情報をネットワーク−ワイズに定義する概念は、ＣＳＩプロセス設定情報に対しても適用することができる。例えば、一つのＣＳＩプロセスインデックスを（一つの）ＮＺＰ ＣＳＩ−ＲＳ ｉｎｄｅｘ及び（一つの）ＣＳＩ−ＩＭ ｉｎｄｅｘの組合せの形態で定義することができる。すなわち、複数個のｅＮＢを含む特定規模のネットワーク（例えば、ＣｏＭＰクラスター）内で、ＮＷ−ＣＳＩ−ｐｒｏｃｅｓｓ設定情報（又は、ＮＷ−ＣＳＩ−ｐｒｏｃｅｓｓ ｉｎｄｅｘ）を定義することによって、特定ＮＷ−ＣＳＩ−ｐｒｏｃｅｓｓ設定がネットワーク内のｅＮＢ（また、当該ｅＮＢによってサービングされるＵＥ）で固有（ｕｎｉｑｕｅ）に呼ばれてもよい。
【０２０９】
前述したローディング情報、一つ以上のＣＳＩ−ＲＳ設定情報、一つ以上のＣＳＩ−ＩＭ（又は、ＩＭＲ）設定情報、又はＤＭＲＳ設定情報は、ＣｏＭＰに参加するＴＰの間にＸｎ−ｓｉｇｎａｌｉｎｇなどで事前に（又は、周期的に）交換すべきな情報であってもよい。すなわち、ＮＩＢ ＣｏＭＰ動作に参加するＴＰの間にこのような情報をＸｎ−ｓｉｇｎａｌｉｎｇなどで事前に交換し、これを、Ｘｎ−ｓｉｇｎａｌｉｎｇ遅延（例えば、数十ｍｓ）が発生しても、いついかなる条件にＣｏＭＰ動作を開始すべきか（例えば、ＴＰ１のローディング状況に余裕があると、ＴＰ１はミューティングを行うなど）を判断する根拠として用することができる。
【０２１０】
また、上記のローディング情報、一つ以上のＣＳＩ−ＲＳ設定情報、一つ以上のＣＳＩ−ＩＭ（又は、ＩＭＲ）設定情報、又はＤＭＲＳ設定情報は、ＣｏＭＰ動作に限定されず、ＮＡＩＣＳ（Ｎｅｔｗｏｒｋ−Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ）方式を用いる端末の動作を支援するなどの他の用途にも用いることができる。
【０２１１】
ＳＳＰＭ技法のためのＸｎ−ｓｉｇｎａｌｉｎｇ方案
図１２は、ＳＳＰＭ技法を説明するための図である。
【０２１２】
ＮＩＢ ＣｏＭＰのためにＴＰの間のＸｎ−ｓｉｇｎａｌｉｎｇを用いる技法として、半−静的ポイントミューティング（Ｓｅｍｉ−Ｓｔａｔｉｃ  Ｐｏｉｎｔ  Ｍｕｔｉｎｇ；ＳＳＰＭ）技法を適用することができる。以下では、ＳＳＰＭの場合にさらに考慮されるＸｎ−ｓｉｇｎａｌｉｎｇ特徴について説明する。
【０２１３】
ＳＳＰＭは、特定ＴＰ（例えば、サービングＴＰ１）のみがＰＤＳＣＨを送信し、隣接ＴＰは所定の時間区間に所定の帯域に対してミューティングを行う方式である。ＴＰがミューティングを行う時間区間及び帯域に関する情報は、ＴＰの間にＸｎ−ｓｉｇｎａｌｉｎｇを用いてあらかじめ約束することができる。特定時間区間に特定帯域で隣接ＴＰが送信をしないＳＳＰＭ技法によれば、ＣｏＭＰ ＵＥの立場で隣接ＴＰからの干渉が最小化するため、サービングＴＰから送信されるＰＤＳＣＨを受信する性能を最大化することができる。
【０２１４】
ＳＳＰＭ開始のための１−ｗａｙ Ｘｎ−ｓｉｇｎａｌｉｎｇ方案
ＳＳＰＭのためのＸｎ−ｓｉｇｎａｌｉｎｇは、特定ＴＰが一方向（１−ｗａｙ）にブロードキャスト（又は、一つ以上の他のＴＰにユニキャスト又はマルチキャスト）することと定義することができる。
【０２１５】
このとき、Ｘｎ−ｓｉｇｎａｌｉｎｇを送信するＴＰが提供する情報は、「特定時間区間」に「特定帯域」に対して自身が又は他のＴＰがミューティングを行うことを知らせる（又は、約束する）メッセージであってもよい。
【０２１６】
ここで、「特定時間区間」は、所定の時間単位（例えば、サブフレーム）によって表現される値であってもよい。また、「特定時間区間」は、ＴＰ間に互いに確実に知っている基準時間に基づいて、いつからミューティングを始め、いつ終えるかを示す時間情報（例えば、サブフレームビットマップの形態で構成され、連続的又は不連続的な時間情報）で表現することもできる。また、このようなサブフレームビットマップ形態に加えて、いずれの時点（例えば、特定サブフレームインデックスなど）から当該「特定時間区間」が始まるかを明示的に示すこともでき、上記サブフレームビットマップが何回循環した後にいずれの時点（例えば、特定サブフレームインデックスなど）で「特定時間区間」が終了するかを明示的に示すこともできる。
【０２１７】
このような「特定時間区間」を表現するために、ＣｏＭＰ動作（ｍｕｔｉｎｇ／ｎｏｎ−ｍｕｔｉｎｇなど）が適用される（又は、始まる）フレーム番号（ｆｒａｍｅ  ｎｕｍｂｅｒ）（例えば、システムフレーム番号（ＳＦＮ））を用いることができる。例えば、Ｘｎ−ｓｉｇｎａｌｉｎｇに含まれたＳＦＮが明示的に示す無線フレームでＣｏＭＰ動作が適用されることを表すことができる。この時のフレーム番号（例えば、ＳＦＮ）は、Ｘｎ−ｓｉｇｎａｌｉｎｇを送信するＴＰのタイミングを基準とすると定義することができる。又は、Ｘｎ−ｓｉｇｎａｌｉｎｇを受信するＴＰのタイミングに関する情報を、Ｘｎ−ｓｉｇｎａｌｉｎｇを送信するＴＰが知っている場合には、上記ＳＦＮ値をＸｎ−ｓｉｇｎａｌｉｎｇを受信するＴＰのタイミングを基準とする値に設定して送信することもできる。
【０２１８】
また、「特定帯域」は、所定の周波数単位（例えば、ＲＢ単位）によって表現される値であってもよい。
【０２１９】
ＳＳＰＭ開始のための２−ｗａｙ Ｘｎ−ｓｉｇｎａｌｉｎｇ方案
ＳＳＰＭのためのＸｎ−ｓｉｇｎａｌｉｎｇは、ＴＰ１がＴＰ２にミューティングを行うこと（すなわち、リソース調整（ｒｅｓｏｕｒｃｅ  ｃｏｏｒｄｉｎａｔｉｏｎ））を要請（ｒｅｑｕｅｓｔ）し、ＴＰ２がそれに対してＴＰ１に応答する形態の両−方向（２−ｗａｙ）シグナリングと定義することができる。このとき、ＴＰ２が送信する応答メッセージは、ＴＰ１及び他のＴＰ（例えば、ＴＰ３，ＴＰ４，．．．）にマルチキャスト／ブロードキャスト方式で伝達することもでき、ＴＰ１及び他のＴＰに個別的にユニキャスト方式で伝達することもできる。
【０２２０】
このとき、ＴＰ１が送信する要請メッセージに含まれる情報は、「特定時間区間」に「特定帯域」に対してＴＰ２がミューティングを行うように要請するメッセージであってもよい。
【０２２１】
また、「特定時間区間」及び「特定帯域」は、上記のＳＳＰＭのための１−ｗａｙ Ｘｎ−ｓｉｇｎａｌｉｎｇ方案で説明した事項を同様に適用することができる。
【０２２２】
上記の例示で、ＴＰ１が要請メッセージを送信するための「特定条件」を定義することができる。
【０２２３】
例えば、ＴＰ１が、自身に関連した（ａｓｓｏｃｉａｔｅ）ＵＥにそれぞれ事前に複数個のＣＳＩプロセスをＲＲＣシグナリング（ＲＲＣシグナリングは１００ｍｓ以上の遅延が発生しうると仮定する）を用いて設定し、それぞれのＣＳＩプロセスに対するフィードバックを続けて受信しながら、異なったＣＳＩプロセスに対してフィードバックされるＣＱＩの差が所定の基準値以上になる場合に、ＴＰ１は上記要請メッセージを送信することができる。上記複数個のＣＳＩプロセスは、ＣＳＩプロセス１及びＣＳＩプロセス２を含むことができ、例えば、ＣＳＩプロセス１は、ＮＺＰ ＣＳＩ−ＲＳ１と、ＴＰ２がｎｏｎ−ｍｕｔｉｎｇする時を反映するＣＳＩ−ＩＭ１との組合せと設定し、ＣＳＩプロセス２は、ＮＺＰ ＣＳＩ−ＲＳ１と、ＴＰ２がｍｕｔｉｎｇする時を反映するＣＳＩ−ＩＭ２の組合せと設定することができる。ＣＳＩプロセス１に対してフィードバックされるＣＱＩ １とＣＳＩプロセス２に対してフィードバックされるＣＱＩ ２との差が所定の基準値以上になる場合、上記要請メッセージ送信に対する条件を満たすということができる。
【０２２４】
このような「特定条件」には、ＴＰ１とＴＰ２間のローディング情報も考慮されるようにすることができる。例えば、ＴＰ２のローディング状況が所定の基準値よりも余裕がある場合にのみ上記要請を許容すると定義することができる。又は、ＴＰ２のローディング状況が所定が基準値より混雑している場合には、上記要請が伝達されてもＴＰ２がそれを拒絶することもできる。
【０２２５】
また、このような「特定条件」としては、ＴＰ間に事前に優先順位が設定されるようにし（例えば、ＴＰ１がマスター（ｍａｓｔｅｒ）であり、ＴＰ２がスレーブ（ｓｌａｖｅ）である関係とあらかじめ設定されてもよい）、この優先順位によってＴＰ１が上記要請を送ると、ＴＰ２は必ず従わなければならない方式と定義することもできる。
【０２２６】
上記ローディング情報、一つ以上のＣＳＩ−ＲＳ設定情報、一つ以上のＣＳＩ−ＩＭ（又は、ＩＭＲ）設定情報、又はＤＭＲＳ設定情報のようにＸｎ−ｓｉｇｎａｌｉｎｇで事前に交換される情報を用いて、ＴＰ２が上記のような要請を受け入れるという事前確認（ｃｏｎｆｉｒｍ）に該当する情報をＴＰ１にあらかじめ提供した場合、ＴＰ１がＴＰ２に送るＳＳＰＭのためのミューティング要請だけでも（すなわち、ＴＰ２の応答がなくても）ＳＳＰＭ動作を開始することができる。
【０２２７】
上記のような要請メッセージ送信に対する特定条件が定義されており、当該条件を満たしてＴＰ１から上記要請メッセージが送信される場合には、このような要請メッセージを受信するＴＰ２はそれをそのまま受け入れるようにすることもできる。このように、特定条件を満たすと、ＴＰ２がＴＰ１の要請に必ず従うべき場合（又は、ＴＰ２がＴＰ１に応答メッセージを送信せずにも上記要請に従う場合）を、条件付き１−ｗａｙ方式のＸｎ−ｓｉｇｎａｌｉｎｇと表現することもできる。
【０２２８】
ＳＳＰＭ動作中のＸｎ−ｓｉｇｎａｌｉｎｇ方案
前述したような１−ｗａｙ又は２−ｗａｙ Ｘｎ−ｓｉｇｎａｌｉｎｇなどによって特定時間区間に特定帯域におけるＳＳＰＭが開始された場合、当該時間区間が終了すると自動でＳＳＰＭは終了すると定義することができる。又は、当該時間区間が終了する前に追加のＸｎ−ｓｉｇｎａｌｉｎｇ（例えば、１−ｗａｙ方式又は２−ｗａｙ方式）によって当該時間区間の延長が成立するようにすることもできる。延長される時間区間に関する情報は、新しい形態の時間情報で更新されてもよく、帯域情報も新しい形態の帯域情報で更新されてもよい。
【０２２９】
例えば、ＣＳＩプロセス１は、ＮＺＰ ＣＳＩ−ＲＳ１と、ＴＰ２がｎｏｎ−ｍｕｔｉｎｇする時を反映するＣＳＩ−ＩＭ１との組合せと設定し、ＣＳＩプロセス２は、ＮＺＰ ＣＳＩ−ＲＳ１とＴＰ２がｍｕｔｉｎｇする時を反映するＣＳＩ−ＩＭ２との組合せと設定することができる。この場合、ＳＳＰＭが開始される前には、ＴＰ１は、ＣＳＩプロセス１に対するＵＥのフィードバック報告に基づくスケジューリング（すなわち、ＣＱＩ １を反映したＭＣＳ １に設定など）でＵＥにＰＤＳＣＨ送信をすることができる。一方、ＳＳＰＭが開始された区間では、ＴＰ１は、ＣＳＩプロセス２に対するＵＥのフィードバック報告に基づくスケジューリング（すなわち、ＴＰ２のミューティングが反映されたＣＱＩ ２を反映した（例えば、ＭＣＳ １よりも高いＭＣＳである）ＭＣＳ ２に設定など）でＵＥにＳＳＰＭ−ＰＤＳＣＨ送信をすることができる。このように、ＵＥにＰＤＳＣＨを送信するＴＰの立場では、ＣＳＩプロセス１及びＣＳＩプロセス２に対するフィードバック報告は全て受信しているが、ＳＳＰＭ区間か否かによって特定ＣＳＩプロセスに対するＣＳＩフィードバック情報に基づいてＰＤＳＣＨスケジューリングを適用することができる。
【０２３０】
ＳＳＰＭに対するフィードバックのためのＸｎ−ｓｉｇｎａｌｉｎｇ方案
ＳＳＰＭ時間区間に又は時間区間が終了した後に、ＳＳＰＭ−ＰＤＳＣＨを送信するＴＰが、隣接ＴＰのミューティング帯域をどれくらい活用してＣｏＭＰ ＵＥをスケジューリングしてＳＳＰＭ−ＰＤＳＣＨを送信したかという活用度情報をフィードバックするＸｎ−ｓｉｇｎａｌｉｎｇをさらに定義することができる。
【０２３１】
例えば、ＳＳＰＭに参加するＴＰ間調整（ｃｏｏｒｄｉｎａｔｉｏｎ）によって指示されるリソース（例えば、周波数、時間、電力、空間ドメインのうちの一つ以上のドメインによって定義されるリソース）のどれくらい（例えば、パーセント比率）が、上記調整を必要としたＵＥ（又は、ＣｏＭＰ ＵＥ）のためのスケジューリングに用いられたかを示す使用度ｕｓａｇｅ）フィードバック情報を、Ｘｎ−ｓｉｇｎａｌｉｎｇ形態でＴＰ間に交換することができる。また、ＳＳＰＭに参加するＴＰ間調整によって指示されるリソースのどれくらい（例えば、パーセント比率）が、上記調整を必要としないＵＥ（又は、ｎｏｎ−ＣｏＭＰ ＵＥ）のためのスケジューリングに用いられたかを示す使用度フィードバック情報をＸｎ−ｓｉｇｎａｌｉｎｇ形態でＴＰ間に交換することもできる。
【０２３２】
上記のＣｏＭＰ ＵＥ使用度フィードバック情報とｎｏｎ−ＣｏＭＰ ＵＥ使用度フィードバック情報を併せて送信するものとＸｎ−ｓｉｇｎａｌｉｎｇが定義されてもよい。ＣｏＭＰ ＵＥ使用度フィードバック情報とｎｏｎ−ＣｏＭＰ ＵＥ使用度フィードバック情報を併せて提供することによって、上記ＴＰ間調整によって指示されるリソースが、利益（ｂｅｎｅｆｉｔ）を享受するＵＥ（すなわち、ＣｏＭＰ ＵＥ）にどれくらい使われたかを示すことができ、次のＳＳＰＭリソース設定の基礎とすることができるためである。このため、隣接ＴＰがミューティングを行った時間区間及び帯域が、実際に該当のＣｏＭＰ ＵＥをスケジュールするために使われるかの活用度を把握することによって、余分のミューティングリソース消耗を防止し、その分のリソースを他のＵＥへのデータ送信に活用することができ、全体ネットワークの性能を高めることができる。
【０２３３】
ＣｏＭＰネットワーク構造及びリソース調整のためのＸｎ−ｓｉｇｎａｌｉｎｇ方案
本発明の様々な例示で、調整決定（ｃｏｏｒｄｉｎａｔｉｏｎ  ｄｅｃｉｓｉｏｎ）を行い、且つ調整結果（ｃｏｏｒｄｉｎａｔｉｏｎ  ｒｅｓｕｌｔ）（又は、リソース調整結果）を伝達する主体は、ＣｏＭＰに参加する複数個のＴＰのいずれか一つであってもよく、特別に定義される中心制御ノード（ｃｅｎｔｒａｌ  ｃｏｎｔｒｏｌ  ｎｏｄｅ；ＣＣＮ）であってもよい。ＣｏＭＰに参加する複数個のＴＰを制御するＣＣＮがない形態を、分散型調整構造（ｄｉｓｔｒｉｂｕｔｅｄ  ｃｏｏｒｄｉｎａｔｉｏｎ  ａｒｃｈｉｔｅｃｔｕｒｅ）と呼ぶことができ、ＣＣＮが存在する形態を、中心型調整構造（ｃｅｎｔｒａｌｉｚｅｄ  ｃｏｏｒｄｉｎａｔｉｏｎ  ａｒｃｈｉｔｅｃｔｕｒｅ）と呼ぶことができる。本発明の様々な例示では、説明の明瞭性のために、特定ＴＰ間のＸｎ−ｓｉｇｎａｌｉｎｇと総称するが、これは、分散型調整構造のＴＰ間のＸｎ−ｓｉｇｎａｌｉｎｇを意味することもでき、中心型調整構造のＣＣＮとＴＰ間のＸｎ−ｓｉｇｎａｌｉｎｇを意味することもできる。
【０２３４】
上記ＳＳＰＭのためのＸｎ−ｓｉｇｎａｌｉｎｇ方案で提案した事項において、上記リソース調整要請又はリソース調整結果を指示するためのＸｎ−ｓｉｇｎａｌｉｎｇは、下記の表８のように、送信側ＴＰ（又は、ｓｅｎｄｅｒ  ｅＮＢ）が知っているＮＷ−ＣＳＩ−ＩＭインデックスのうちの特定インデックスを、特定周波数−時間リソース単位（例えば、ＰＲＢ単位及び／又はサブフレーム単位）で示す形態で設計することができる。
【表８】
0006514203.tif 000024
【０２３５】
上記の表８で示すように、Ｘｎ−ｓｉｇｎａｌｉｎｇで指示されるＮＷ−ＣＳＩ−ＩＭインデックスの意味は、次のように解釈することができる。
【０２３６】
ＮＷ−ＣＳＩ−ＩＭ指示情報を送信する送信者ｅＮＢがこれを受信する受信者ｅＮＢに、該ＮＷ−ＣＳＩ−ＩＭ指示情報がリソース調整通知／結果に対するものであることを知らせたり、又はリソース調整要請に対するものであることを知らせるために、所定の選択子ビット（ｓｅｌｅｃｔｏｒ  ｂｉｔ）を用いることができる。例えば、ＮＷ−ＣＳＩ−ＩＭ指示情報に含まれた選択子ビットの値によって、上記ＮＷ−ＣＳＩ−ＩＭ指示情報が、リソース調整通知／結果を示す情報と解釈されてもよく、リソース調整要請に対するものと解釈されてもよい。又は、上記ＮＷ−ＣＳＩ−ＩＭ指示情報は、別の指示がないと、リソース調整通知／結果に対するものと解釈されるように（すなわち、ＮＷ−ＣＳＩ−ＩＭ指示情報は、デフォルト（ｄｅｆａｕｌｔ）としてリソース調整通知／結果を示す情報と解釈されるように）定義することもできる。この場合、ＮＷ−ＣＳＩ−ＩＭ指示情報がリソース調整要請に対するものであることを示すためには特別な指示情報を含まなければならない（例えば、特定フィールドが特別な値を有する場合は、リソース調整要請と解釈し、その他の場合はいずれも、リソース調整通知／結果と解釈することができる）。又は、リソース調整通知／結果の場合とリソース調整要請の場合に対して別個のＸｎ−ｓｉｇｎａｌｉｎｇフォーマットを設計することもできる。
【０２３７】
ＮＷ−ＣＳＩ−ＩＭ指示情報がリソース調整通知／結果を指示する場合
ＮＷ−ＣＳＩ−ＩＭ指示情報は、ＮＷ−ＣＳＩ−ＩＭ指示情報においてリストされたＮＷ−ＣＳＩ−ＩＭインデックスで設定されたＲＥ位置（時間／周波数リソース位置）で送信者ｅＮＢが送信する（干渉）信号に対する特性（例えば、送信電力及び／又はプリコーディング情報）が、指示されたＰＲＢ及び／又はサブフレームインデックス位置で実際に当該送信者ｅＮＢが送信する信号（例えば、ＰＤＳＣＨなど）に対する特性と同一であると仮定してもよいことを知らせるものと解釈することができる。
【０２３８】
このようなＮＷ−ＣＳＩ−ＩＭ指示情報の解釈は主に、分散型調整構造に適用することができる。例えば、上記の表６又は表７の例示のような一つ以上のＣＳＩ−ＩＭ（又は、ＩＭＲ）設定情報の形態で、送信者ｅＮＢが「ｎｏｎ−ｍｕｔｉｎｇ」で特定ＮＷ−ＣＳＩ−ＩＭリソースで信号送信を行う場合、上記送信者ｅＮＢは、当該ＮＷ−ＣＳＩ−ＩＭリソースに対して適用される信号特性が、特定周波数／時間リソース（又は、他の周波数／時間リソースマップ）に対して適用される信号特性と同一であることを、受信者ｅＮＢに通知することができる。このような通知情報を受信した他のｅＮＢは、受信した情報が示す特定周波数／時間リソースでＵＥスケジューリングを行う時に、上記送信者ｅＮＢが上記特定周波数／時間リソースと連動する情報として知らせたＮＷ−ＣＳＩ−ＩＭ ｉｎｄｅｘに対して当該ＵＥがＣＳＩフィードバックした情報に基づいて、下りリンク送信に適用されるプリコーダ、ＭＣＳなどを決定又は選択することができる。
【０２３９】
また、ある受信者ｅＮＢが特定周波数／時間リソースマップに対して複数の送信者ｅＮＢからＮＷ−ＣＳＩ−ＩＭ指示情報をＸｎ−ｓｉｇｎａｌｉｎｇで受信した場合、それぞれの送信者ｅＮＢが提供する情報が示すＮＷ−ＣＳＩ−ＩＭインデックスの積集合に該当する、共通に指示される特定ＮＷ−ＣＳＩ−ＩＭインデックスを決定することができる。これによって、上記共通に指示される特定ＮＷ−ＣＳＩ−ＩＭインデックスが含まれるＣＳＩプロセスインデックスが決定され、上記受信者ｅＮＢは、上記ＣＳＩプロセスインデックスが設定され、ＣＳＩフィードバックを行うＵＥをスケジューリングの対象として考慮することができる。すなわち、特定ＮＷ−ＣＳＩ−ＩＭインデックスに対して「ｎｏｎ−ｍｕｔｉｎｇ」と設定され、当該リソースで特定信号を加えるｅＮＢが複数個である場合（例えば、上記の表６又は表７の例示でＮＷ−ＣＳＩ−ＩＭインデックス４、６、７の場合）、できるだけ多いｅＮＢから上記ＮＷ−ＣＳＩ−ＩＭ指示情報を受信した特定時間／周波数リソースマップに対してＵＥスケジューリングを行うことによって、指示されたＮＷ−ＣＳＩ−ＩＭインデックスにおける当該ＵＥによって測定された干渉特性に基づくＣＳＩフィードバック報告から把握されるチャネル情報が、ＵＥスケジューリングに用いられる特定時間／周波数リソースにおけるチャネル状態と最大限に類似になる。
【０２４０】
また、このようなＮＷ−ＣＳＩ−ＩＭ指示情報は、特定ｅＮＢ集合（例えば、ＣｏＭＰクラスター）に属したｅＮＢに、マルチキャスト／ブロードキャスト形態で送信されるように定義又は設定することができる。ここで、上記特定ｅＮＢ集合は、事前にあらかじめ定義されたものであってもよく、又は別途のＸｎ−ｓｉｇｎａｌｉｎｇで事前に特定ｅＮＢ（又は、ｅＮＢ集合）間の交渉を通じて決定又は設定されてもよい。すなわち、上記ＮＷ−ＣＳＩ−ＩＭ指示情報は、一つの受信者ｅＮＢに伝達されるユニキャストシグナリングではなく、ＣｏＭＰクラスターに属した複数のｅＮＢに向かうマルチキャスト／ブロードキャストシグナリングで上記の表８のような情報要素を伝達することによって、これを受信する複数のｅＮＢは、当該送信者ｅＮＢが指示する周波数／時間リソースマップを参考して、最善の努力（ｂｅｓｔ  ｅｆｆｏｒｔ）形態で最大限に類似の周波数／時間リソースマップに互いに関連づいたＮＷ−ＣＳＩ−ＩＭインデックスを指示し、順次に（又は、連鎖的に）Ｘｎ−ｓｉｇｎａｌｉｎｇを交換できるようにすることができる。これは、例えば、周波数選択性（ｆｒｅｑｕｅｎｃｙ  ｓｅｌｅｃｔｉｖｉｔｙ）に大差のないＰＲＢに対して、上記ＮＷ−ＣＳＩ−ＩＭ指示情報を受信した受信者ｅＮＢは、上記Ｘｎ−ｓｉｇｎａｌｉｎｇを先に提供した送信者ｅＮＢの周波数／時間リソースマップを参考して可能なかぎり同一のＮＷ−ＣＳＩ−ＩＭインデックスを選択し、受信者ｅＮＢがさらに他のｅＮＢに向かうＸｎ−ｓｉｇｎａｌｉｎｇを送信するようにすることが好ましい。例えば、上記の表６又は表７の例示で、ｅＮＢ２が先に特定周波数／時間リソースマップに対して「ＮＷ−ＣＳＩ−ＩＭ ｉｎｄｅｘ３、４、７」を指示したとすれば、これを受信したｅＮＢ３は、最大限に当該周波数／時間リソースマップと類似の形態に従いながら（例えば、一部の周波数／時間リソースは互いに重複しても異なってもよいが、できるだけ多くの周波数／時間リソースが重なるように周波数／時間リソースマップを設定して）ここに「ＮＷ−ＣＳＩ−ＩＭ ｉｎｄｅｘ ２、４、６」を指示してｅＮＢ１にＸｎ−ｓｉｇｎａｌｉｎｇすることができる。ｅＮＢ２及びｅＮＢ３からのＮＷ−ＣＳＩ−ＩＭ指示情報を受信したｅＮＢ１は、ここに積集合を取ってＮＷ−ＣＳＩ−ＩＭ ｉｎｄｅｘ ４を選択し、これを含んでいる特定ＣＳＩプロセスが設定されたＵＥをスケジューリング対象として優先的に考慮することができる。
【０２４１】
また、上記周波数／時間リソースマップに関して、事前に別途のＸｎ−ｓｉｇｎａｌｉｎｇなどによって、ＣｏＭＰ可能な領域及びＣｏＭＰ不可能な領域などをあらかじめ分けてｅＮＢ間に交渉することによって、できるだけＣｏＭＰ可能な領域をｅＮＢ間に一致（ａｌｉｇｎ）させておく方法が効果的であろう。すなわち、それぞれのｅＮＢにおいてはＧＢＲ（Ｇｕａｒａｎｔｅｅｄ  Ｂｉｔ  Ｒａｔｅ）ベアラーなどのためにＣｏＭＰを適用しない特定周波数／時間リソースを事前に定めておくことができ、このような情報をあらかじめ交換し、上記ＣｏＭＰ可能な領域を事前に交渉する上で活用することができる。より具体的に、上記ＮＷ−ＣＳＩ−ＩＭ ｉｎｄｅｘ別に当該ＣＳＩ−ＩＭリソースに大きく影響を与えるｅＮＢの細部の集合を事前に構成／設定することができ（例えば、地理的によって隣接しているｅＮＢを事前にサブセットとして構成／設定するなど）、このようなｅＮＢ間に上記周波数／時間リソースマップの一致（ａｌｉｇｎｍｅｎｔ）のための交渉が主に行われるようにすることができる。例えば、このような周波数／時間リソースマップ交渉のためのＸｎ−ｓｉｇｎａｌｉｎｇを、ＣｏＭＰクラスターなどの特定ｅＮＢ集合に向かってマルチキャスト／ブロードキャストしても、このうち、いかなるｅＮＢがより高い優先順位を有する交渉対象となるかを別に指定することもできる。
【０２４２】
このような動作が円滑に行われるようにするために、上記ＣｏＭＰクラスターのような特定ｅＮＢ集合内では前述のようなＸｎ−ｓｉｇｎａｌｉｎｇが互いに重ならないようにしなければならない。そのために、事前に定義又は設定された周期及び／又はオフセットにしたがって、上記特定ｅＮＢ内のｅＮＢが順番で又は、連鎖的に）上記Ｘｎ−ｓｉｇｎａｌｉｎｇを送信する方式を適用することができる。
【０２４３】
ＮＷ−ＣＳＩ−ＩＭ指示情報がリソース調整要請を指示する場合
ＮＷ−ＣＳＩ−ＩＭ指示情報は、ＮＷ−ＣＳＩ−ＩＭ指示情報においてリストされたＮＷ−ＣＳＩ−ＩＭインデックスで設定されたＲＥ位置（時間／周波数リソース位置）で受信者ｅＮＢが送信する（干渉）信号に対する特性（例えば、送信電力及び／又はプリコーディング情報）を、指示されたＰＲＢ及び／又はサブフレームインデックス位置で実際に当該受信者ｅＮＢが送信する信号（例えば、ＰＤＳＣＨなど）に対する特性と同一にさせることを要請するものと解釈することができる。
【０２４４】
ＮＷ−ＣＳＩ−ＩＭ指示情報がリソース調整要請を指示する場合は、上記ＮＷ−ＣＳＩ−ＩＭ指示情報がリソース調整通知／結果を指示する場合と比較して、送信者ｅＮＢと受信者ｅＮＢが互いに換わった形態である。また、上記ＮＷ−ＣＳＩ−ＩＭ指示情報がリソース調整通知／結果を指示する場合に対して提案した本発明の例示は、送信者ｅＮＢと受信者ｅＮＢを互いに換えて、ＮＷ−ＣＳＩ−ＩＭ指示情報を、リソース調整要請を指示する場合の例示として適用することができる。
【０２４５】
さらに、リソース調整要請を指示するＮＷ−ＣＳＩ−ＩＭ指示情報を受信した受信者ｅＮＢは、このような要請に対する受容（ａｃｃｅｐｔ）又は拒絶（ｒｅｊｅｃｔ）を示すシグナリングを応答することができる。
【０２４６】
このような応答メッセージが単純に受容又は拒絶を示すこともできるが、他の方式で受容又は拒絶の意味が伝達されてもよい。
【０２４７】
例えば、「拒絶」に対するＸｎ−ｓｉｇｎａｌｉｎｇは、上記リソース調整通知／結果を指示するＮＷ−ＣＳＩ−ＩＭ指示情報に代替されてもよい。この場合、リソース調整要請を受信した受信者ｅＮＢは、上記要請に対する「拒絶」であると同時に、受信者ｅＮＢが他の形態で再構成したリソース調整通知／結果を、リソース調整要請を送信した送信者ｅＮＢにＸｎ−ｓｉｇｎａｌｉｎｇしたことと理解することができる。
【０２４８】
また、「受容」に対するＸｎ−ｓｉｇｎａｌｉｎｇは、受信者ｅＮＢが送信者ｅＮＢに応答シグナリングを送信しない場合（すなわち、応答が省略される場合）を含むものと設定することができる。すなわち、送信者ｅＮＢがリソース調整要請を指示するＮＷ−ＣＳＩ−ＩＭ指示情報を受信者ｅＮＢにＸｎ−ｓｉｇｎａｌｉｎｇする場合、受信者ｅＮＢからの別の応答がない限り、デフォルトとして上記要請が受容されることと定義又は設定することができる。このような動作は、中心型調整構造で効果的に用いることができる。例えば、ＣＣＮ（又は、ＣＣＮ役割を行う特定ｅＮＢ（例えば、Ｍａｃｒｏ−ｅＮＢ）、以下では総称してＣＣＮという）が他のｅＮＢに、リソース調整要請を指示するＮＷ−ＣＳＩ−ＩＭ指示情報をＸｎ−ｓｉｇｎａｌｉｎｇする場合、これを受信する受信者ｅＮＢが応答メッセージをシグナルしないように設定したり、又は受信者ｅＮＢが送信者ｅＮＢのタイプによって（例えば、送信者ｅＮＢがＣＣＮ又はＭａｃｒｏ−ｅＮＢである場合にのみ）、受容を示す応答メッセージをシグナルするように設定することもできる。この場合、送信者ｅＮＢが送信するＸｎ−ｓｉｇｎａｌｉｎｇはリソース調整要請の形態であるが、実質的にはリソース調整命令の機能を持つようになり、結局として、送信者ｅＮＢ（例えば、ＣＣＮ）と他の受信者ｅＮＢ（例えば、ｎｏｎ−ＣＣＮ）を含む中心型調整構造を構成することができる。
【０２４９】
一方、分散型調整構造では、リソース調整要請を指示するＮＷ−ＣＳＩ−ＩＭ指示情報を受信する受信者ｅＮＢがこれに対して受容するというメッセージを応答すると、リソース調整要請を指示するＮＷ−ＣＳＩ−ＩＭ指示情報を送信した送信者ｅＮＢは、ＮＷ−ＣＳＩ−ＩＭ指示情報で指示された特定周波数／時間リソースにＵＥをスケジュールする時、上記特定周波数／時間リソースに連動した特定ＮＷ−ＣＳＩ−ＩＭ ｉｎｄｅｘに対して当該ＵＥがＣＳＩフィードバック１情報に基づいて、下りリンク送信に適用されるプリコーダ、ＭＣＳなどを決定又は選択することができる。
【０２５０】
中心型調整構造Ｘｎ−ｓｉｇｎａｌｉｎｇ方案
本発明で提案する様々な例示において、特に中心型調整構造に有利な追加のＸｎ−ｓｉｇｎａｌｉｎｇとして利益メトリック（ｂｅｎｅｆｉｔ  ｍｅｔｒｉｃ）について以下に説明する。利益メトリックは、それぞれのｅＮＢがＣＣＮに特定周波数／時間リソースマップに対する自身のＵＥスケジューリングメトリック又は有用性（ｕｔｉｌｉｔｙ）メトリックと説明することができる。以下では有用性メトリック（ｕｔｉｌｉｔｙ  ｍｅｔｒｉｃ）という用語を主に使用するが、これはＵＥスケジューリングメトリック（ＵＥ  ｓｃｈｅｄｕｌｉｎｇ  ｍｅｔｒｉｃ）又は利益メトリック（ｂｅｎｅｆｉｔ  ｍｅｔｒｉｃ）を代表する用語として理解しなければならない。
【０２５１】
有用性メトリック（Ｕｔｉｌｉｔｙ  ｍｅｔｒｉｃ）は、特定周波数／時間リソース（例えば、ＰＲＢ及び／又はサブフレームインデックス単位で定義されるリソース）で特定ＵＥをスケジューリングした時に期待できるデータレート（ｄａｔａ  ｒａｔｅ）又は処理率（ｔｈｒｏｕｇｈｐｕｔ）に対する値と定義することができる。具体的な例示として、有用性メトリックは、特定ＵＥに対して期待可能なデータレート（又は、処理率）を当該ＵＥの平均データレート（又は、平均処理率）で割った値と定義することができる。これに加えて又は代わりに、有用性メトリックは、特定ＵＥに対して期待可能なデータレート（又は、処理率）を当該ＵＥのＱｏＳを反映して導出された値（例えば、当該ＵＥのＱｏＳなどによって事前に定義又は設定された特定関数によって計算された値）と定義することができる。
【０２５２】
例えば、有用性メトリック値が大きいほど、該当の周波数／時間リソースにＵＥスケジューリングをすることが、該当のｅＮＢ立場で有利であることを意味できる。したがって、このような有用性メトリックをＣＣＮなどにＸｎ−ｓｉｇｎａｌｉｎｇする送信者ｅＮＢの場合、有用性メトリック値の大きい周波数／時間リソースでは、上記送信者ｅＮＢがミューティングを行うよりは、データ（例えば、ＰＤＳＣＨ）送信をすることを好むという情報をＣＣＮに提供すると解釈することができる。
【０２５３】
また、特定周波数／時間リソースに対して複数個の有用性メトリックｓがＸｎ−ｓｉｇｎａｌｉｎｇされてもよい。この場合、それぞれの有用性メトリックは、互いに異なるＣｏＭＰ仮説（ｈｙｐｏｔｈｅｓｉｓ）を仮定して計算された値であってもよい。ここで、互いに異なるＣｏＭＰ仮説は、互いに異なる干渉環境を意味してもよく、上記の表６又は表７のように、複数個のｅＮＢがそれぞれミューティングするか否かを示すパターンと定義されてもよく、互いに異なるＣＳＩプロセス単位を意味してもよい。
【０２５４】
送信者ｅＮＢが仮定する互いに異なるＣｏＭＰ仮説をＸｎ−ｓｉｇｎａｌｉｎｇで表現する方法として、上記の表６又は表７の例示のような一つ以上のＣＳＩ−ＩＭ（又は、ＩＭＲ）設定情報の形態を用いることができる。例えば、「ＮＷ−ＣＳＩ−ｐｒｏｃｅｓｓインデックス」別に有用性メトリック値を計算してＸｎ−ｓｉｇｎａｌｉｎｇしたり、又は「ＮＷ−ＮＺＰ−ＣＳＩ−ＲＳインデックス及び／又はＮＷ−ＣＳＩ−ＩＭインデックス」別に有用性メトリック値を計算してＸｎ−ｓｉｇｎａｌｉｎｇする方式を提案する。
【０２５５】
例えば、下記の表９のように、特定周波数／時間リソース単位（例えば、ＰＲＢ単位及び／又はサブフレームインデックス単位）に対して特定ＮＷ−ＣＳＩ−ｐｒｏｃｅｓｓインデックスによる該当のＵＥのＣＳＩフィードバック結果を反映したデータ（例えば、ＰＤＳＣＨ）送信を仮定し、この時の有用性メトリックを計算してその値をＸｎ−ｓｉｇｎａｌｉｎｇすることができる。
【表９】
0006514203.tif 000025
【０２５６】
上記の表９で説明するように、有用性メトリックはＵビットサイズ有することができ、有用性メトリックとＮＷ−ＣＳＩ−ｐｒｏｃｅｓｓインデックスで構成される対（ｐａｉｒ）の形態でＸｎ−ｓｉｇｎａｌｉｎｇすることができる。
【０２５７】
また、互いに異なるＮＷ−ＣＳＩ−ｐｒｏｃｅｓｓ仮定に基づいて計算された他の有用性メトリックをＸｎ−ｓｉｇｎａｌｉｎｇすることができる。すなわち、上記の表９で説明するように、｛ｕｔｉｌｉｔｙ ｍｅｔｒｉｃ，ＮＷ−ＣＳＩ−ｐｒｏｃｅｓｓ ｉｎｄｅｘ（ｅｓ）｝の一つの対又は複数個の対をＸｎ−ｓｉｇｎａｌｉｎｇすることができる。
【０２５８】
一つのＮＷ−ＣＳＩ−ｐｒｏｃｅｓｓインデックスが一つのＮＷ−ＮＺＰ−ＣＳＩ−ＲＳインデックスと一つのＮＷ−ＣＳＩ−ＩＭインデックスとの組合せで構成されることを考慮すれば、前述したようにＮＷ−ＣＳＩ−ｐｒｏｃｅｓｓインデックス別に有用性メトリックを計算することは、ＮＷ−ＣＳＩ−ｐｒｏｃｅｓｓインデックスによって指示されたＮＷ−ＮＺＰ−ＣＳＩ−ＲＳに基づいてチャネル（又は、所望の信号）を測定し、ＮＷ−ＣＳＩ−ｐｒｏｃｅｓｓインデックスによって指示されたＮＷ−ＣＳＩ−ＩＭに基づいて干渉を測定し、これらの測定結果に基づいて計算／生成されたＣＳＩフィードバック情報（例えば、ＲＩ、ＰＭＩ、ＣＱＩ）に基づいてＰＤＳＣＨが送信されると仮定した時の有用性メトリックを計算するという意味と解釈することができる。
【０２５９】
このような有用性メトリックを含むＸｎ−ｓｉｇｎａｌｉｎｇを複数のｅＮＢから受信するＣＣＮは、受信した情報を総合的に考慮して、上記複数のｅＮＢが含まれる特定ｅＮＢ集合（例えば、ＣｏＭＰクラスター）内における全般的な最適化（ｇｌｏｂａｌ  ｏｐｔｉｍｉｚａｔｉｏｎ）を行うことができる。これによって、それぞれのｅＮＢにおけるリソース調整要請を指示する情報を含むＸｎ−ｓｉｇｎａｌｉｎｇをｅＮＢに送信することによって（例えば、前述の例示で説明したように、リソース調整要請を指示するＮＷ−ＣＳＩ−ＩＭ指示情報（実質的にはリソース調整命令）をＸｎ−ｓｉｇｎａｌｉｎｇして）、ＮＩＢ ＣｏＭＰ動作を效率的に行わせることができる。
【０２６０】
例えば、ＣＣＮが、特定周波数／時間リソースに対して有用性メトリック値が最も高いものをリソース調整結果として選択すると、ＣＣＮは、選択された有用性メトリックの計算の基礎となるＮＷ−ＣＳＩ−ｐｒｏｃｅｓｓインデックスを知っているため（すなわち、上記の表９のように｛ｕｔｉｌｉｔｙ ｍｅｔｒｉｃ， ＮＷ−ＣＳＩ−ｐｒｏｃｅｓｓ ｉｎｄｅｘ（ｅｓ）｝の対を知っているため）、当該ＮＷ−ＣＳＩ−ｐｒｏｃｅｓｓインデックスに関連した特定ＮＷ−ＣＳＩ−ＩＭインデックスがわかる。これによって、ＣＣＮは、リソース調整要請（又は、リソース調整命令）を指示するＮＷ−ＣＳＩ−ＩＭ指示情報の形態でＸｎ−ｓｉｇｎａｌｉｎｇを構成してｅＮＢに送信することができる。
【０２６１】
前述したように、上記の表９の例示で「ＮＷ−ＣＳＩ−ｐｒｏｃｅｓｓ ｉｎｄｅｘ（ｅｓ）」は、「ＮＷ−ＮＺＰ−ＣＳＩ−ＲＳインデックス及び／又はＮＷ−ＣＳＩ−ＩＭインデックス」に取り替えてもよい。この場合、下記の表１０のように有用性メトリック ＩＥを定義することができる。
【表１０】
0006514203.tif 000026
【０２６２】
上記の表９のように定義される有用性メトリックＩＥに対するＸｎ−ｓｉｇｎａｌｉｎｇを利用する実施例は、上記の表８に関する説明で「ＮＷ−ＣＳＩ−ｐｒｏｃｅｓｓインデックス」を「ＮＷ−ＮＺＰ−ＣＳＩ−ＲＳインデックス及び／又はＮＷ−ＣＳＩ−ＩＭインデックス」に取り替えた実施例として適用することができる。
【０２６３】
具体的に、それぞれのｅＮＢは、指示されたＮＷ−ＮＺＰ−ＣＳＩ−ＲＳに基づいてチャネル（又は、所望の信号）を測定し、指示されたＮＷ−ＣＳＩ−ＩＭに基づいて干渉を測定し、これらの測定結果に基づいて計算／生成されたＣＳＩフィードバック情報（例えば、ＲＩ、ＰＭＩ、ＣＱＩ）に基づいてＰＤＳＣＨが送信されると仮定した時の有用性メトリックを計算するという意味と解釈することができる。
【０２６４】
また、上記の表９のような例示で、ＮＺＰ−ＣＳＩ−ＲＳインデックスを指示する情報は省略され、｛ｕｔｉｌｉｔｙ ｍｅｔｒｉｃ（Ｕ  ｂｉｔｓ），ＮＷ−ＣＳＩ−ＩＭ ｉｎｄｅｘ(ｅｓ)｝に対する一つ以上の対の形態でのみＸｎ−ｓｉｇｎａｌｉｎｇが構成されてもよい。この場合、有用性メトリック計算の基礎となるＮＷ−ＮＺＰ−ＣＳＩ−ＲＳインデックスは、有用性メトリックを送信する送信者ｅＮＢが別途に知らせると解釈してもよく、送信者ｅＮＢが設定／送信している特定ＮＷ−ＮＺＰ−ＣＳＩ−ＲＳインデックスが暗黙的に指示されると解釈してもよい。
【０２６５】
有用性メトリック類似情報のＸｎ−ｓｉｇｎａｌｉｎｇ方案
前述した例示で説明した有用性メトリック（又は、ＵＥスケジューリングメトリック、又は利益メトリック）のためのＸｎ−ｓｉｇｎａｌｉｎｇ動作は、他の類似の情報（例えば、選好度等級（ｐｒｅｆｅｒｅｎｃｅ  ｒａｔｉｎｇ）又は優先順位マップ（ｐｒｉｏｒｉｔｙ  ｍａｐ））のＸｎ−ｓｉｇｎａｌｉｎｇ動作としても適用することができる。以下では、有用性メトリック、選好度等級及び優先順位マップについて具体的に説明する。
【０２６６】
有用性メトリックは、前述したように、特定周波数／時間リソース（例えば、ＰＲＢ単位及び／又はサブフレームインデックス単位）で特定ＵＥをスケジューリングした時に期待できるデータレート又は処理率を示す値と定義される。さらに、有用性メトリックは、計算された値を事前に定義された量子化（ｑｕａｎｔｉｚａｔｉｏｎ）基準によってマップされた値で表現されてもよい。しかし、ネットワーク販売者（ｎｅｔｗｏｒｋ  ｖｅｎｄｅｒ）ごとのｅＮＢ具現方式が完全に一致せず、ｅＮＢごとに有用性メトリック計算方式が同一でない可能性が高い。仮に、ネットワーク事業者が互いに異なるネットワーク販売者によって具現されたｅＮＢが一つのＣｏＭＰクラスターを構成する場合には、それぞれのｅＮＢによって計算されてＸｎ−ｓｉｇｎａｌｉｎｇされる有用性メトリック値が互いに異なる基準によって表現された値であってもよく、これを互いに比較不可能な場合もある。したがって、有用性メトリックと類似しているが、より単純化した比較基準を用いることもできる。
【０２６７】
選好度等級（ｐｒｅｆｅｒｅｎｃｅ  ｒａｔｉｎｇ）又は優先順位マップ（ｐｒｉｏｒｉｔｙ  ｍａｐ）は、有用性メトリックと違い、簡略化したレベルに設定（例えば、４段階レベルのいずれか一つを指示すると定義）することができる。選好度等級又は優先順位マップは、上記の表９又は表１０で説明した有用性メトリックと同様に、ＮＷ ＣＳＩインデックスとペアリングすることができる。具体的に、Ｘｎ−ｓｉｇｎａｌｉｎｇで、｛選好度等級（又は、優先順位マップ）、ＮＷ−ＣＳＩ−ｐｒｏｃｅｓｓインデックス｝の一つ以上の対、｛選好度等級（又は、優先順位マップ）、ＮＷ−ＣＳＩ−ＩＭインデックス｝の一つ以上の対、又は｛選好度等級（又は、優先順位マップ）、ＮＷ−ＮＺＰ−ＣＳＩ−ＲＳインデックス及び／又はＮＷ−ＣＳＩ−ＩＭインデックス｝の一つ以上の対をリストすることができる。
【０２６８】
このような選好度等級（又は、優先順位マップ）は、ｅＮＢ具現によって異なりうるスケジューラアルゴリズムに依存するメトリックである必要がなく、簡略化した選好度又は優先順位を表示する形態で活用することができる。このような選好度又は優先順位値を表現するとき、ネットワーク販売者ではなくネットワーク事業者が直接ソフトウェアベースのアルゴリズムで挿入できるようにすることによって、互いに異なるネットワーク販売者によって具現されたｅＮＢ間でも比較可能な値として上記選好度又は優先順位を任意のＣｏＭＰクラスター内で活用することができる。
【０２６９】
前述した有用性メトリック、ＵＥスケジューリングメトリック、利益メトリック、選好度等級、優先順位マップなどのシグナリングは、ＮＷ−ＣＳＩ−ｐｒｏｃｅｓｓインデックス（又は、ＮＷ−ＣＳＩ−ＩＭインデックス）によって表示される特定ＣｏＭＰ仮説（すなわち、ＣｏＭＰクラスター内のそれぞれのｅＮＢの動作（例えば、ミューティングするか否か、送信仮定（ｔｒａｎｓｍｉｓｓｉｏｎ  ａｓｓｕｍｐｔｉｏｎｓ）など））を仮定した状態で送信者ｅＮＢが自身の活用／利益／選好程度を他のｅＮＢに知らせることであり、これは、上記特定ＣｏＭＰ仮説が適用される場合、上記送信者ｅＮＢの立場からは、好ましい他のｅＮＢの動作を知らせることと解釈することができる。
【０２７０】
本発明で提案する有用性メトリック、ＵＥスケジューリングメトリック、利益メトリック、選好度等級、優先順位マップなどのシグナリングは、従来技術でｅＮＢ間のシグナリングの基本的な原則（すなわち、送信者ｅＮＢは自身の動作を他のｅＮＢに知らせるだけであり、他のｅＮＢの動作には関与しない）を超えて、送信者ｅＮＢは、自身の動作だけでなく、ＣｏＭＰクラスター内の他のｅＮＢの動作（すなわち、ネットワーク性能の最適化という観点で送信者ｅＮＢが判断したところ、他のｅＮＢの好ましい動作及び／又は送信者ｅＮＢが所望する他のｅＮＢの動作）を知らせるシグナリングであるという点で、従来のｅＮＢ−間シグナリングと明らかに相違する。
【０２７１】
有用性メトリック関連情報のＸｎ−ｓｉｇｎａｌｉｎｇ方案
上記の表９又は表１０のような有用性メトリックをＸｎ−ｓｉｇｎａｌｉｎｇすることに加えて又は代わりに、このような有用性メトリックを計算し得る要素情報を、周波数／時間リソース単位にＸｎ−ｓｉｇｎａｌｉｎを用いてｅＮＢ間に交換することができる。また、中心型調整構造では、有用性メトリックを計算し得る要素情報をＣＣＮ以外のｅＮＢがＣＣＮに送信することと設計することができる。
【０２７２】
上記の要素情報は、次の例示の一つ以上を含むことができる。
−スケジュールされるＵＥのＣＳＩ報告（例えば、ＲＩ、ＰＭＩ、ＣＱＩ）の一つ以上のセット
−スケジュールされるＵＥの測定報告（例えば、ＲＳＲＰ）の一つ以上のセット
−スケジュールされるＵＥのＳＲＳ（Ｓｏｕｎｄｉｎｇ  Ｒｅｆｅｒｅｎｃｅ  Ｓｉｇｎａｌ）受信電力
−スケジュールされるＵＥのユーザ認知処理率（Ｕｓｅｒ  ｐｅｒｃｅｉｖｅｄ  ｔｈｒｏｕｇｈｐｕｔ；ＵＰＴ）
−スケジュールされるＵＥのＰＦメトリック（Ｐｒｏｐｏｒｔｉｏｎａｌ  Ｆａｉｒ  ｍｅｔｒｉｃ）
−スケジュールされるＵＥのＱＣＩ（ＱｏＳ  Ｃｌａｓｓ  Ｉｄｅｎｔｉｆｉｅｒ）
【０２７３】
上記例示で「スケジュールされるＵＥ」は、ｅＮＢが該当の周波数／時間リソースでスケジューリングしようとする特定ＵＥに関する情報が上記要素情報に含まれているという意味と解釈されるように定義又は設定することができる。すなわち、送信者ｅＮＢがサービングする全ての個別ＵＥに対する上記要素情報を受信者ｅＮＢに伝達するという意味ではなく、最適の（ｂｅｓｔ）ＵＥ又は代表者（ｒｅｐｒｅｓｅｎｔａｔｉｖｅ）ＵＥに対する上記要素情報を伝達するという意味と理解することができる。このため、Ｘｎ−ｓｉｇｎａｌｉｎｇオーバーヘッドを大幅に減らすことができ、全体ＵＥではなく一部のＵＥに関する要素情報のみをＣＣＮが収集しても、該当のＣｏＭＰクラスターで全般的な最適化を行う上で問題はない。
【０２７４】
より具体的に、上記の例示で「スケジュールされるＵＥ」は、「（活性化された）ＵＥのセット」と解釈することもできる。これは、活性化（ａｃｔｉｖｅ）状態の全てのＵＥに対する要素情報がシグナルされることと解釈してもよく、又は活性化された状態のＵＥの一部のＵＥ（一部のＵＥは、送信者ｅＮＢが選択することができる）に対する要素情報がシグナルされることと解釈してもよい。
【０２７５】
一部のＵＥに対する要素情報がシグナルされても、「ＵＥのセット」のＵＥ個数の下限は、１に設定することができる。すなわち、送信者ｅＮＢは必ず少なくとも一つのＵＥに対する要素情報をシグナルする動作を定義することができる。例えば、Ｘｎ−ｓｉｇｎａｌｉｎｇプロトコル上で、上記のような要素情報を送信するように要請されたり指示を受ける場合（例えば、他のネットワークノードからの所定の作動メッセージ（ｉｎｖｏｋｅ  ｍｅｓｓａｇｅ）によって要請／指示することができる）、又は送信者ｅＮＢが最初に上記要素情報をｅＮＢ−間Ｘｎ−ｓｉｇｎａｌｉｎｇで送信しようとする場合に、「ＵＥのセット」のＵＥ個数の下限は、１に設定することができる。
【０２７６】
又は、Ｘｎ−ｓｉｇｎａｌｉｎｇプロトコル上で「ＵＥのセット」のＵＥ個数の下限は、要素情報のタイプ別に０に設定することを許容することもできる。例えば、上記「スケジュールされるＵＥのＣＳＩ報告（例えば、ＲＩ、ＰＭＩ、ＣＱＩ）の一つ以上のセット」のスケジュールされるＵＥ（すなわち、「ＵＥのセット」）に属したＵＥ個数は、少なくとも１と定義され、「スケジュールされるＵＥの測定報告（例えば、ＲＳＲＰ）の一つ以上のセット」のスケジュールされるＵＥ（すなわち、「ＵＥのセット」）に属したＵＥ個数は、少なくとも０と定義されてもよい。これは、要素情報に対するＸｎ−ｓｉｇｎａｌｉｎｇにおいてＣＳＩ情報は、少なくとも一つのＵＥに対するものが他のｅＮＢに提供されなければならないが、ＲＳＲＰ情報は、選択的に提供されるものと解釈することができる。又は、ＲＳＲＰ情報を提供しない（すなわち、０個のＵＥに対するＲＳＲＰ情報を提供する）場合は、以前に提供された特定ＵＥに対するＲＳＲＰ情報が変動されず、その値をアップデートしないことを意味することもできる。
【０２７７】
また、「スケジュールされるＵＥ」又は「ＵＥのセット」に属するＵＥは、最小限の要件を満たすＵＥの中から選択することもできる。例えば、ＣｏＭＰ設定が可能なＵＥ（例えば、送信モード１０及びそれ以上と設定されたＵＥ）、２個以上のＣＳＩプロセスが設定されたＵＥ、ＵＥケーパビリティ情報上で最大限に支援可能なＣＳＩプロセスの個数が２以上であるＵＥが、「ＵＥのセット」に含まれるように定義することができる。
【０２７８】
上記の有用性メトリックに関連した要素情報の例示に加えて、送信バッファー情報（例えば、送信キューの状態（「Ｓｔａｔｕｓ  ｏｆ  ｔｒａｎｓｍｉｓｓｉｏｎ  ｑｕｅｕｅｓ」））をＸｎ−ｓｉｇｎａｌｉｎｇすることができる。
【０２７９】
送信キューの状態情報は、パケット伝達遅延を最小化するために用いることができる。例えば、キュー（ｑｕｅｕｅ）の長さが長いほど、より高い有用性メトリック値が設定されるようにすることができる。例えば、ｅＮＢの送信キュー（Ｔｒａｎｓｍｉｓｓｉｏｎ  ｑｕｅｕｅ）の長さ情報をＸｎ−ｓｉｇｎａｌｉｎｇすることによって、ＣＣＮで判断してキューの長さが長いほど有用性メトリックの値を高い値と付与することができる（これを、最大遅延スケジューリングアルゴリズムに従うと表現することもできる）。
【０２８０】
また、送信キューの状態情報をＴｍｓ間隔で送信者ｅＮＢがＸｎ−ｓｉｇｎａｌｉｎｇで送信することができる。この場合、特定時点で送信キューの状態は、次の情報の一つ以上を含むことができる。
−特定ＵＥ別に現在の送信バッファー状態を示す情報
−以前Ｘｎ−ｓｉｇｎａｌｉｎｇ時点（例えば、Ｔｍｓ以前時点）に比べてどれくらいのデータ（パケット）量が既にスケジュールされたかを示す情報
−以前Ｘｎ−ｓｉｇｎａｌｉｎｇ時点（例えば、Ｔｍｓ以前時点）に比べてどれくらいの新しいデータ（パケット）量がさらにバッファーに蓄えられたかを示す情報
−現在時点まで送信キューに積もっているＱ状態を示す情報
【０２８１】
上記情報の一つ以上の情報を用いて、このような情報をＸｎ−ｓｉｇｎａｌｉｎｇされるネットワークノード（例えば、ＣＣＮ）は、当該情報を送信する送信者ｅＮＢに積もっているデータ量を把握し、リソース調整／割当て時に、多量のデータが積もっているｅＮＢであるほど高い重みを付けることができる。
【０２８２】
一方、後述する「統合Ｘｎ−ｓｉｇｎａｌｉｎｇ」方案において、利益メトリック（「ｂｅｎｅｆｉｔ  ｍｅｔｒｉｃ」）又は選好度等級値（「ｐｒｅｆｅｒｅｎｃｅ  ｒａｔｅ  ｖａｌｕｅ」）と呼ばれるＸｎ−ｓｉｇｎａｌｉｎｇ情報に送信バッファー及びキュー状態情報（「Ｔｒａｎｓｍｉｔ  ｂｕｆｆｅｒ  ａｎｄ  ｑｕｅｕｅ  ｓｔａｔｕｓ  ｉｎｆｏｒｍａｔｉｏｎ」）を含めることができる。前述した「送信キューの状態」情報に含まれる例示は、「送信バッファー及びキュー状態情報」の形態で送信されるように定義又は設定することができる。例えば、「送信バッファー及びキュー状態情報」で送信バッファー状態（「ｔｒａｎｓｍｉｔ  ｂｕｆｆｅｒ  ｓｔａｔｕｓ」）情報は、上記の「特定ＵＥ別に現在の送信バッファー状態を示す情報」を意味し、キュー状態（「ｑｕｅｕｅ  ｓｔａｔｕｓ」）情報は、上記「現在時点まで送信キューに積もっているキュー状態を示す情報」を意味することができる。このように、上記「送信キューの状態」の細部例示のうちの一部又は複数個の組合せを、様々なバッファー状態関連情報を伝達するメッセージの内容物としてＸｎ−ｓｉｇｎａｌｉｎｇすることができる。
【０２８３】
ＮＩＢ ＣｏＭＰ ｅＮＢ−間シグナリングに対する追加例示１
ＮＩＢ ＣｏＭＰのために、ｅＮＢ間のＸｎインターフェース（例えば、Ｘ２インターフェース）上で次のような情報をシグナルすることができる。
−  ＣｏＭＰ仮説。ＣｏＭＰ仮説は、時間／周波数ドメインで少なくとも受信ノードのための仮説的な（ｈｙｐｏｔｈｅｔｉｃａｌ）リソース割当てを含むことができる。
−  ＵＥのセットに対するＣＳＩ情報（ＲＩ、ＰＭＩ、ＣＱＩ）の一つ以上のセット。
−  ＵＥのセットに対する一つ以上の測定報告（ＲＳＲＰ）。
−改善されたＲＮＴＰ（Ｅｎｈａｎｃｅｄ  Ｒｅｌａｔｉｖｅ  Ｎａｒｒｏｗｂａｎｄ  Ｔｘ  Ｐｏｗｅｒ）。改善されたＲＮＴＰの情報設定単位（ｇｒａｎｕｌａｒｉｔｙ）は、周波数／時間ドメインに拡張することができる。また、改善されたＲＮＴＰ内の情報は、送信ｅＮＢのみのための送信電力臨界値を含むことができ、これは多重−レベルに設定されてもよい。また、指示された周波数／時間リソースの使用度状態を交換するために、既存に定義されている状態報告（ｓｔａｔｕｓ  ｒｅｐｏｒｔ）をｅＮＢの間でシグナルすることができる。
−  利益メトリック（ｂｅｎｅｆｉｔ  ｍｅｔｒｉｃ）。
【０２８４】
以下では、上記Ｘｎ−ｓｉｇｎａｌｉｎｇ情報のうち、より具体的に定義する必要がある事項について説明する。
【０２８５】
ＣｏＭＰ仮説
ＣｏＭＰ仮説は、時間／周波数ドメインで少なくとも受信ノードのための仮説的なリソース割当てを含み、これは、中心型調整（ｃｅｎｔｒａｌｉｚｅｄ  ｃｏｏｒｄｉｎａｔｉｏｎ）を支援するためである。このようなＣｏＭＰ仮説のシグナリングは、ＣＣＮによって決定されたリソース調整結果を指示するものとして用いられてもよく、又は（時間／周波数設定単位無しで）利益メトリックシグナリングのために仮定される仮説的な条件として用いられてもよい。
【０２８６】
受信されたＣｏＭＰ仮説シグナリングに対してどのように反応するかは、受信ｅＮＢの具現によるが、受信ｅＮＢが、これに対する受容／無視をそれぞれ意味するフィードバック（例えば、ＹＥＳ／ＮＯ）を送信ノードに送ることもできる。
【０２８７】
ＣｏＭＰ仮説に対して必要な時間／周波数ドメインの設定単位及びシグナリング周期に対しては、ＰＲＢ及びサブフレーム単位に設定し、サブフレームはＬ−ビットサイズのサブフレームビットマップによって指示されるようにすることができる。また、それぞれ異なるＮＩＢ遅延及びシグナリング周期を考慮して、Ｌは最大１０と与えられることを提案する。ＣｏＭＰ仮説に対する適切なシグナリング周期であるＬ値は、送信者ノードによってそれぞれ異なってもよいため、ＣｏＭＰ仮説シグナリング情報にＬ値を含めたり、受信ノードが周期値（すなわち、Ｌ値）を要請するようにすることができる。ＣｏＭＰ仮説情報は、セル別電力割当て情報（ミューティングするか否かを示す情報、又は電力レベルを示す情報など）を含むことができ、これは、セルＩＤによって識別することができる。
【０２８８】
ＣｏＭＰ仮説と関連づく利益メトリック
利益メトリック（ｂｅｎｅｆｉｔ  ｍｅｔｒｉｃ）は、次のように定義することができる。
【０２８９】
利益メトリックは、ＣｏＭＰ仮説と関連づけられ、関連づくＣｏＭＰ仮説を仮定した時に、送信者ノードのセルがそのスケジューリングにおいて期待する利益を定量化した（ｑｕａｎｔｉｆｙｉｎｇ）情報である。
【０２９０】
セル−特定利益メトリックは、当該セル内の全ての活性ＵＥに対して、ＵＥごとに与えられる要素情報から事業者が定義する関数の結果で最大値として計算される。上記要素情報は、関連づくＣｏＭＰ仮説に対応するＣＳＩ報告（ＲＩ、ＰＭＩ、ＣＱＩ）セット、一つ以上の測定報告（ＲＳＲＰ）、平均ユーザ処理率、送信バッファー及びキュー状態情報（Ｔｒａｎｓｍｉｔ  ｂｕｆｆｅｒ  ａｎｄ  ｑｕｅｕｅ  ｓｔａｔｕｓ  ｉｎｆｏｒｍａｔｉｏｎ）、ＱＣＩなどであってもよい。
【０２９１】
図１３は、周波数／時間リソースマップに対してＣｏＭＰ仮説と共にシグナルされる利益メトリックを説明するための図である。
【０２９２】
図１３で、ＣｏＭＰ仮説は、個別ｅＮＢに対する電力割当てリストによって指示することができる。電力割当てリストは、ｅＮＢ１に対する電力割当て値、ｅＮＢ２に対する電力割当て値、…、ｅＮＢＮに対する電力割当て値を明示的に指示する形態で構成することができる。又は、ＣｏＭＰ仮説は、ＮＷ ＣＳＩ−ＩＭインデックスのように、より簡単な形態で指示されるようにすることもできる。すなわち、一つのインデックス値が個別ｅＮＢの動作を指示することができる。
【０２９３】
利益メトリックは、時間／周波数設定単位（ｇｒａｎｕｌａｒｉｔｙ）無しで、関連したＣｏＭＰ仮説と共にシグナルされてもよい。具体的に、シグナルされる利益メトリックは、関連したＣｏＭＰ仮説を仮定した時に（例えば、隣接セルのｍｕｔｉｎｇ／ｎｏｎ−ｍｕｔｉｎｇパターンを仮定して）送信者ノードのセルがそのスケジューリングにおいて期待する定量化された利益値を意味する。
【０２９４】
送信者ノードは複数個の利益メトリックをシグナルすることができ、それぞれの利益メトリックはそれぞれ異なったＣｏＭＰ仮説と関連付けられている。このため、利益メトリックは、ＣｏＭＰ仮説（送信者ｅＮＢの動作だけでなく、他のｅＮＢの動作も示す情報）別の、送信者ｅＮＢ観点における選好度を表現することができる。
【０２９５】
利益メトリックがＣｏＭＰ仮説と共にシグナルされる点を考慮すれば、利益メトリックの送信周期は、前述したＣｏＭＰ仮説の送信周期（例えば、周期値Ｌ）と同一に設定することができる。
【０２９６】
利益メトリックの情報は、０乃至Ｂ（Ｂ＞０）範囲の整数値と定義することができる。利益メトリックがセル内の全ての活性ＵＥを考慮する定量化された値と定義される点を考慮すれば、例えば、Ｂ＝１００に設定することができる。簡単な例示として、関連したＣｏＭＰ仮説に対応する少なくとも一つのＣＳＩ報告セット及び平均ユーザ処理率から導出されるＰＦメトリックを用いて上記の利益メトリックを計算することができる。ここで、ＣＱＩの計算のために、一つ以上の測定報告（ＲＳＲＰ）も用いることができる。このような計算はＣＣＮ以外の送信者ｅＮＢで行われるため、ＱＣＩや送信バッファー及びキュー状態情報のような追加情報が用いられてもよい。複数個の送信者ノードからのそれぞれ異なるＣｏＭＰ仮説に関連づく利益メトリックがＣＣＮに到達すると、ＣＣＮは、メンバー（ｍｅｍｂｅｒ）ｅＮＢから提供された情報を全て用いてリソース調整決定を行うことができる。一方、ＣＣＮのリソース調整決定がメンバーｅＮＢに提供される場合には、利益メトリックがシグナルされなくてもよい。すなわち、ＣＣＮは、メンバーｅＮＢが期待する利益メトリックを考慮してリソース調整決定を行う機能を持つため、ＣＣＮが期待する利益メトリックがメンバーｅＮＢに提供される必要はないわけである。仮にメンバーｅＮＢがＣＣＮに送信するシグナリングとＣＣＮがメンバーｅＮＢに送信するシグナリングが、後述する「統合シグナリングフォーマット」と定義される場合には、利益メトリック情報は、当該シグナリングが、ＣＣＮがメンバーｅＮＢに送信するリソース調整決定の通知／命令タイプであることを示す特別な値に設定されてもよく、省略されてもよく（ｏｍｉｔｔｅｄ）、又は留保されてもよい（ｒｅｓｅｒｖｅｄ）。
【０２９７】
このようなＣｏＭＰ仮説及び利益メトリックのシグナリングは、中心型調整構造の他、分散型調整構造にも適用することができる。例えば、分散型調整構造で送信者がｅＮＢ１であり、受信者がｅＮＢ２である場合、利益メトリックシグナリングは、指示されるＣｏＭＰ仮説をｅＮＢ１の観点で考慮した時のリソース調整要請（又は、リソース調整推薦（ｒｅｃｏｍｍｅｎｄａｔｉｏｎ））シグナリングと理解することができる。この場合、ｅＮＢ２は、ｅＮＢ１から受信された情報を自身のスケジューリング決定に考慮することができる。具体的に、ｅＮＢ２の立場では、送信者ｅＮＢ１の動作に関する情報は、将来ｅＮＢ１が適用すると保障（ｇｕａｒａｎｔｅｅ）するものと考慮することができ、これによって、受信者ｅＮＢ２は、関連ＵＥのＣＳＩフィードバック報告を活用することができる。受信者ｅＮＢ２の動作に関する情報は、ｅＮＢ２が最善の努力（ｂｅｓｔ  ｅｆｆｏｒｔ）方式で動作する時に考慮することもできる。分散型調整構造ではこのようなシグナリングを非常に多く交換することができ、よって、他のｅＮＢの動作に関する情報も受信者ｅＮＢ２が自身のスケジューリングに考慮することができる。例えば、様々なＣｏＭＰ仮説のうち、最も共通的に好まれる（すなわち、多数のｅＮＢが、他のＣｏＭＰ仮説に比べて相対的に高い利益メトリック値を付与した）ＣｏＭＰ仮説を、受信者ｅＮＢ２の最終的なスケジューリング決定の仮定として用いることができる。
【０２９８】
ＣＳＩ及びＲＳＲＰ情報
ＣＳＩ情報の一つ以上のセット及び／又はＵＥのセットに対するＲＳＲＰ情報は、中心型調整構造と分散型調整構造の両方においてＣｏＭＰ動作のためにＸｎ−ｓｉｇｎａｌｉｎｇすることができる。前述したセル−特定利益メトリックは、ＵＥ識別情報（ＩＤ）と共に報告されるＣＳＩ及びそのために仮定されるＮＷ−ＣＳＩ−ｐｒｏｃｅｓｓ識別情報（ＩＤ）のような明示的なＵＥ−特定情報を含まず、、このようなタイプの情報は、利益メトリック情報のシグナリングに基づいて付加的な情報としてＣｏＭＰのために用いることができる。例えば、送信者ｅＮＢでスケジュールされるＵＥに対するＰＭＩを含むＣＳＩ情報が他のｅＮＢに提供される場合、分散型調整構造においても、受信者ｅＮＢは上記ＣＳＩ情報に基づいてＣＢ（Ｃｏｏｒｄｉｎａｔｅｄ  Ｂｅａｍｆｏｒｍｉｎｇ）を含むＣｏＭＰ動作を考慮することができる。
【０２９９】
このようなＵＥ−特定情報のシグナリングは、ｅＮＢ間のＸｎ−ｓｉｇｎａｌｉｎｇのためにより多くのオーバーロードを引き起こすことから、ＱＣＩ、バッファー状態、平均ユーザ処理率などの要素情報が同時にＸｎ−ｓｉｇｎａｌｉｎｇされない場合もある。このため、このようなＵＥ−特定シグナリングは、補助的（ｓｕｐｐｌｅｍｅｎｔａｒｙ）又は選択的（ｏｐｔｉｏｎａｌ）情報として取り扱うことができる。
【０３００】
改善されたＲＮＴＰ
改善されたＲＮＴＰのシグナリングは、指示された周波数／時間リソースマップ上における送信者ｅＮＢの電力レベル及び／又はビームフォーミング情報に関連した自身の動作に対する通知として認識されるため、ＮＩＢ ＣｏＭＰで分散型調整構造を支援することができる。既存のＲＮＴＰ／ＡＢＳ（Ａｌｍｏｓｔ  Ｂｌａｎｋ  Ｓｕｂｆｒａｍｅ）方式のシグナリングとの相違点は、そのリソース設定単位（ｇｒａｎｕｌａｒｉｔｙ）が周波数−時間リソースマップの２次元ドメインに拡張され、多重−レベル電力割当て情報が指示され、空間ドメインにおける指示情報（例えば、プリコーディング情報）を含むということである。
【０３０１】
改善されたＲＮＴＰは、送信電力臨界値及び周波数／時間ドメイン２−次元ビットマップを含むことができる。２−次元ビットマップのそれぞれのビットは、該当の臨界値以下の電力レベルを保障すること、又はそうでないことを示すことができる。リソース設定単位は、周波数上ではＲＢ単位、時間上ではサブフレーム単位と定義することができる。２−次元リソースマップに対して、Ｋ個のＲＢ及びＬ個のサブフレームに対するビットマップは、Ｋ−ビットのビットマップとＬ−ビットのビットマップに設計することができる。この場合、Ｌ−ビットのビットマップで指示される（例えば、１に設定されるビットに該当する）サブフレームでのみＫ−ビットのビットマップが有効であると解釈することができる。多重−レベルの電力臨界値を使用せず、一つの電力臨界値のみを使用することもできる。
【０３０２】
統合Ｘｎ−ｓｉｇｎａｌｉｎｇ
前述した「ＮＷ−ＣＳＩ−ＩＭ指示情報がリソース調整通知／結果を指示する場合」及び「ＮＷ−ＣＳＩ−ＩＭ指示情報がリソース調整要請を指示する場合」に関する説明で言及した干渉調整に対する結果／通知／要請／推薦／命令などを指示するシグナリングを、一つの統合Ｘｎ−ｓｉｇｎａｌｉｎｇフォーマットとして設計することができる。以下では、このような統合シグナリングフォーマットを、ＣｏＭＰ調整ＣＳＩ−ＩＭマップ（ＣｏＭＰ  Ｃｏｏｒｄｉｎａｔｉｏｎ  ＣＳＩ−ＩＭ  ｍａｐ）、すなわち、ＣＣＣマップと称する。表１１に、ＣＣＣマップの一例を示す。
【表１１】
0006514203.tif 000027
【０３０３】
表１１のような統合ＣＣＣマップの場合、ＣｏＭＰクラスター内の送信者ｅＮＢ、受信者ｅＮＢ及び他のｅＮＢの動作を一度で示すという特徴を有する。すなわち、ＣＣＣマップで特定周波数／時間リソース別にリストされたＮＷ−ＣＳＩ−ＩＭインデックス情報から、それぞれのｅＮＢの送信仮定（送信電力（ミューティングするか否かを含む）及び／又はプリコーディング情報）がわかる。そのうち、送信者ｅＮＢに対する送信仮定は、送信者ｅＮＢが、自身が当該送信仮定を上記指示された周波数／時間リソース上で同一に維持するという通知の意味と解釈することができる。これに加えて又は代わりに、受信者ｅＮＢに対する送信仮定は、受信者ｅＮＢが当該送信仮定を上記指示された周波数／時間リソース上で同一に維持させることを、送信者ｅＮＢが（強く）推薦するという意味と解釈することができる。これに加えて又は代わりに、その他のｅＮＢ（すなわち、ＣｏＭＰクラスター内の残りｅＮＢ）に対する送信仮定は、当該ｅＮＢが当該送信仮定を上記指示された周波数／時間リソース上で同一に維持させることを、送信者ｅＮＢが（強く）推薦するという意味と解釈することができる。
【０３０４】
したがって、受信者ｅＮＢは、他のｅＮＢの動作が高い確率でＣＣＣマップによって行われると仮定することができ、該当のＮＷ−ＣＳＩ−ＩＭインデックスに対するＣＳＩフィードバック報告を行ったＵＥをスケジュールする際に、該当のＣＳＩフィードバック情報を考慮した最終スケジューリング決定をすることができる。
【０３０５】
中心型調整構造では、上記の表１１のようなＣＣＣマップシグナリングは、特定ｅＮＢ（例えば、ＣＣＮ又はＭａｒｃｏ−ｅＮＢ）のみが送信するように定義又は設定することができる。この場合、受信者ｅＮＢは、前述したように、他のｅＮＢの動作がＣＣＣマップによって行われると仮定し、該当のＮＷ−ＣＳＩ−ＩＭインデックスに対するＣＳＩフィードバック報告を行ったＵＥをスケジュールする際に、該当のＣＳＩフィードバック情報を考慮した最終スケジューリング決定をすることができる。
【０３０６】
仮に、特定周波数／時間リソースに関連づく複数のＮＷ−ＣＳＩ−ＩＭインデックスが指示され、受信者ｅＮＢ（又は、他のｅＮＢ）に対する送信仮定が、上記指示された複数個のＮＷ−ＣＳＩ−ＩＭインデックス間でそれぞれ異なる場合には、上記受信者ｅＮＢ（又は、他のｅＮＢ）の動作は「ｄｏｎ’ｔ ｃａｒｅ」と解釈されるように定義又は設定することができる。又は、３個以上のＮＷ−ＣＳＩ−ＩＭインデックスが指示される場合には、相対的に多数の同一の送信仮定が指示されたＮＷ−ＣＳＩ−ＩＭインデックスに基づいて受信者ｅＮＢ（又は、他のｅＮＢ）の動作が定義又は設定されてもよい。
【０３０７】
上記の表１１のようなＣＣＣマップの例示に、上記の表９又は表１０のような有用性メトリック（又は、選好度等級、優先順位マップ、又は利益メトリック）情報を含めて統合Ｘｎ−ｓｉｇｎａｌｉｎｇフォーマットを構成することもできる。これに関する例示は、下記の表１２のとおりであり、前述した有用性メトリック、選好度等級、又は優先順位マップという用語は、以下の例示で利益メトリック（ｂｅｎｅｆｉｔ  ｍｅｔｒｉｃ）という用語と総称する。
【表１２】
0006514203.tif 000028
【０３０８】
表１２に、表１１に関する説明をそのまま適用することができ、これに加えて、指示されたＮＷ−ＣＳＩ−ＩＭインデックス別に「利益メトリック」情報を併せて提供することができる。
【０３０９】
分散型調整構造では、表１２の統合シグナリングは、送信ｅＮＢが自身の立場で推薦／所望するＣｏＭＰクラスター内のそれぞれのｅＮＢの動作（すなわち、ＣｏＭＰ仮説）を知らせながら、当該ＣｏＭＰ仮説が送信ｅＮＢにとってどれくらい利益となるかをさらに知らせることと解釈することができる。
【０３１０】
中心型調整構造では、表１２の統合シグナリングは、送信ｅＮＢがＣＣＮ又はＭａｃｒｏ−ｅＮＢである場合には、当該ＣｏＭＰクラスター内のそれぞれのｅＮＢが維持しなければならない動作（すなわち、ＣｏＭＰ仮説）を命令／通知することと解釈することができ、これを受信したそれぞれのｅＮＢは、該当のＮＷ−ＣＳＩ−ＩＭインデックスで適用する送信仮定を、指示された周波数／時間リソースに対して同一に適用することができる。この場合、ＣＣＮが送信する統合シグナリングフォーマットの「利益メトリック」情報は、元来の意味を持たず、統合シグナリングフォーマットで留保されてもよく（又は、含まれなくてもよく）、又は本発明で提案する選択子ビットとして用いられてもよい（例えば、利益メトリック情報の値があらかじめ定められた特別な値を有する場合に、統合シグナリングはリソース調整命令／通知として機能し、その他の値を有する場合には、メンバーネットワークノードがＣＣＮに知らせるシグナリングであることを識別する用途に用いられてもよい）。本発明の範囲は、これに制限されず、統合シグナリングフォーマットで利益メトリック情報以外の他の情報が上記選択子ビットとして機能する例示も全て含む。
【０３１１】
上記の表１１又は表１２の統合シグナリング（又は、ＣＣＣマップ）と類似するが、これらに代えて用いることができる統合シグナリングとして、下記の表１３のような改善されたＲＮＴＰ／改善されたＡＢＳタイプのシグナリングを定義することもできる。
【表１３】
0006514203.tif 000029
【０３１２】
表１３の統合シグナリングの例示を、図１４を参照して説明する。
【０３１３】
図１４は、周波数／時間リソースに対してシグナルされる改善されたＲＮＴＰマップ（又は、改善されたＡＢＳマップ）を説明するための図である。
【０３１４】
例えば、送信者ｅＮＢがｅＮＢ１であり、受信者ｅＮＢがｅＮＢ２であると仮定する。図１４で、Ｍ１値は、ｅＮＢ１が自身の電力割当てがＭ１値を越えないことを通知する意味と解釈される。Ｍ２値は、ｅＮＢ２の電力割当てがＭ２値を越えないことを、ｅＮＢ１がｅＮＢ２に推薦する意味と解釈される。Ｍ３，Ｍ４，．．．の値は、他のｅＮＢ（ｅＮＢ３，ｅＮＢ４，．．．）の電力割当てがそれぞれ該当の値（Ｍ３，Ｍ４，．．．）を越えないことを、ｅＮＢ１が他のｅＮＢに推薦する意味と解釈され、受信者ｅＮＢ２の立場では、他のｅＮＢが該当の電力割当て推薦値によって動作すると仮定し、自身のスケジューリング決定を行うことができる。
【０３１５】
また、図１４の例示で、電力割当て値Ｍ１，Ｍ２，Ｍ３，Ｍ４，．．．に設定可能な候補値又は範囲を事前に定義又は設定することができる。例えば、電力割当て値の可能な範囲は、Ｐ＿ｍｉｎからＰ＿ｍａｘまでと設定することができ、それぞれの値は、最大電力臨界値を意味する（すなわち、上記範囲中の一つの値を指示することは、その指示された値を超えない電力割当てを意味する）。また、電力割当て臨界値が０と指示されること（例えば、Ｐ＿ｍｉｎ＝０と事前に定義されており、Ｐ＿ｍｉｎが指示されること）は、ミューティングすることを意味することができる。
【０３１６】
図１４のような改善されたＲＮＴＰ又は改善されたＡＢＳは、既存のＲＮＴＰ又はＡＢＳに対するシグナリングを、多重レベルに対するシグナリングに拡張するという特徴と、送信者ｅＮＢ自身の電力割当てに関する情報だけでなく、他のｅＮＢに対する電力割当て推薦／要請も含むという特徴を有する。
【０３１７】
前述した本発明の例示で、ｅＮＢ１，ｅＮＢ２，ｅＮＢ３，．．．などの特定ｅＮＢに対する識別は、事前にＣｏＭＰクラスターなどの特定ｅＮＢ集合の形態と定義又は設定されていてもよい。このため、図１４のＭ１，Ｍ２，．．．の値はいかなるｅＮＢに対する値であるかがあらかじめ定義されていてもよく、又はそれぞれの電力割当て値がいかなるｅＮＢに対するものかを示す識別子（例えば、当該ｅＮＢのセルＩＤ）が電力割当て値と対（ｐａｉｒ）の形態でシグナルされてもよい。
【０３１８】
また、前述した本発明の例示で、一つの統合シグナリングで上記のような様々な解釈が適用されることをより明確に指示するために、所定の選択子（ｓｅｌｅｃｔｏｒ）ビットを定義することができる。すなわち、選択子ビットの値によって、上記統合シグナリングがいかなる意味と解釈されなければならないかを知らせることもできる。
【０３１９】
また、前述した本発明の例示において、中心型調整構造では、表１３のようなＸｎ−ｓｉｇｎａｌｉｎｇは、特定ｅＮＢ（例えば、ＣＣＮ又はＭａｃｒｏ−ｅＮＢ）のみが送信できることと限定することもできる。
【０３２０】
また、上記の表１３の例示に上記の表１２の利益メトリック情報を含めた統合シグナリングフォーマットを、下記の表１４のように定義することができる。
【表１４】
0006514203.tif 000030
【０３２１】
下記の表１５に、前述した表７乃至表１４の例示を一般化した、統合一般的なシグナリングフォーマットの例示を示す。
【表１５】
0006514203.tif 000031
【０３２２】
表１５の例示で、リソースマップはｅＩＣＩＣ（Ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）ＡＢＳパターンシグナリングフォーマットを再使用することもできる（例えば、ｅＩＣＩＣのために設計された４０ビットサイズのＡＢＳパターンなど）
【０３２３】
また、アプリケーションタイプがＣｏＭＰである場合に、「関連したパラメータセット」は、｛ＮＷ−ＣＳＩ−ＩＭインデックス、ＮＷ−ＣＳＩ−ＲＳインデックス、ＮＷ−ＣＳＩ−ｐｒｏｃｅｓｓインデックス、改善されたＲＮＴＰマップ（又は、改善されたＡＢＳマップ）、利益メトリック（又は、有用性メトリック、選好度等級、優先順位マップ）、ビーム方向／係数を含むプリコーディング情報、ＮＩＢ ＣｏＭＰ動作に用いられるパラメータ（例えば、ＣＳＩ報告、ＲＳＲＰ、ＳＲＳ電力、ＵＰＴ、ＰＦメトリック、ＱＣＩ）｝のセットの要素のうち一つ以上の要素をリストする形態で構成することができる。
【０３２４】
また、ｅＩＣＩＣ、ｅＩＭＴＡ（Ｅｎｈａｎｃｅｄ  Ｉｎｔｅｒｆｅｒｅｎｃｅ  Ｍｉｔｉｇａｔｉｏｎ  ＆  Ｔｒａｆｆｉｃ  Ａｄａｐｔａｔｉｏｎ）、及びＮＡＩＣＳ（Ｎｅｔｗｏｒｋ−Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ）などの他のアプリケーションタイプの場合にも、当該アプリケーションに関連したパラメータ（例えば、上記ＣｏＭＰアプリケーションタイプ関連パラメータ、プリコーディング情報、多重レベル電力情報、変調次数情報）のうち一つ以上の要素を含むパラメータセットを設定又は指示することができる。
【０３２５】
例えば、「アプリケーションタイプ」がＣｏＭＰ又はｅＩＣＩＣである場合、「関連パラメータセット」は、ＣＳＩ測定パラメータとＣＳＩ−ＩＭマッピング関連情報を含むことができる。
【０３２６】
「アプリケーションタイプ」がＮＡＩＣＳである場合、「関連パラメータセット」は、変調次数、ＣＦＩ、ＰＭＩ、ＲＩ、ＭＣＳ、リソース割当て、ＤＭＲＳポート、ｎＤＭＲＳＩＤ、送信モード（ＴＭ）、ＲＳ設定情報などを含むことができる。また、ＮＡＩＣＳの場合には、上記関連パラメータを、指示された周波数／時間リソースマップに対して適用される情報と解釈することができる。
【０３２７】
また、「アプリケーションタイプ」情報は、あらかじめ定められたインデックス（例えば、００，０１，．．．）によって指示され、インデックス値によって「関連パラメータセット」にいなかる情報が含まれるかが指示される形態に設計されてもよい。又は、「アプリケーションタイプ」情報は、選択的な（ｏｐｔｉｏｎａｌ）ものと定義されてもよく、この場合には、「関連パラメータセット」がいかなる情報を含むか又はどのように解釈されるべきかがデフォルトとして設定されていてもよい。又は、「関連パラメータセット」の情報構成形態によって暗黙的に特定「アプリケーションタイプ」（又は、アプリケーションタイプを指示する特定インデックス）が指示されると定義又は設定されてもよい。
【０３２８】
前述した例示で提案するＸｎ−ｓｉｇｎａｌｉｎｇフォーマットは、基地局と端末間に交換される上位層シグナリング（例えば、ＲＲＣシグナリング）のためのフォーマットとして適用することもできる。例えば、端末がこのようなＲＲＣシグナリングを受信すると、ＣｏＭＰクラスター内のｅＮＢの動作（又は、送信仮定）が確認でき、これを考慮してＣｏＭＰ受信動作を行うことができる。
【０３２９】
ＮＩＢ ＣｏＭＰ ｅＮＢ−間シグナリングに対する追加例示２
ＮＩＢ ＣｏＭＰのために、ｅＮＢ間のＸｎインターフェース（例えば、Ｘ２インターフェース）上で次のような情報をシグナルすることができる。
−  個別ＵＥに対するＣＳＩ報告（ＲＩ、ＰＭＩ、ＣＱＩ）の一つ以上のセット
−  個別ＵＥに対する一つ以上測定報告（ＲＳＲＰ）
−  個別ＵＥに対するＳＲＳ受信電力
−  個別ＵＥに対するＵＰＴ（Ｕｓｅｒ  Ｐｅｒｃｅｉｖｅｄ  Ｔｈｒｏｕｇｈｐｕｔ）
−  セル別リソース活用情報
−  個別ＵＥに対するＰＦメトリック
−  周波数／時間／電力／空間ドメイン上で定義される改善されたＲＮＴＰタイプの情報
−  電力及び空間ドメイン上で定義される改善されたＡＢＳ情報
−  ＱＣＩ
−  リソース調整結果又はリソース調整要請の指示（周波数／時間／電力／空間ドメイン上でのリソース割当て）
−  参照信号、ＣＳＩプロセス及びＣＳＩ−ＩＭ設定対して用いられた設定を示す情報
−  参照信号設定、ＣＳＩプロセス及びＣＳＩ−ＩＭ設定に対して調整結果又は調整要請を示す情報
【０３３０】
ＣｏＭＰのための前提条件
ＮＩＢ ＣｏＭＰ動作のために、ＣｏＭＰクラスター内で所定の前提条件に関する情報（例えば、参照信号、ＣＳＩプロセス及びＣＳＩ−ＩＭ設定に対して用いられた設定に関する情報）が与えられなければならない。たとえ参照信号設定、ＣＳＩプロセス及びＣＳＩ−ＩＭ設定はＵＥ−専用ＲＲＣシグナリングによって結局としてＵＥに与えられるが、ＣＳＩ−ＲＳ及びＣＳＩ−ＩＭ設定などは、Ｏ＆Ｍ（ｏｐｅｒａｔｉｏｎ  ａｎｄ  ｍａｉｎｔｅｎａｎｃｅ）又はバックホールシグナリング支援によって事前にネットワーク−ワイズ（ＮＷ）調整をすることが好ましい。例えば、ＮＷ ＣＳＩ−ＩＭインデックスセットがＣｏＭＰクラスター内であらかじめ定義され、これは、ＣＳＩ−ＩＭリソース別にそれぞれのｅＮＢのｍｕｔｉｎｇ／ｎｏｎ−ｍｕｔｉｎｇ又は「ｄｏｎ’ｔ ｃａｒｅ」動作を指示するものであってもよい。また、それらのＮＷ ＣＳＩ−ＩＭインデックスセットのうちの一部インデックスはｅＮＢによって選択され、当該ｅＮＢに関連づいたＵＥにＲＲＣシグナリングによって設定することができる。
【０３３１】
ＣＳＩ−ＩＭリソース別に個別ｅＮＢの動作に対する柔軟性を向上させるために、例えば、多重−レベル電力割当て及び／又はＣＢのためのプリコーディング情報設定などがＣｏＭＰクラスター内でシグナルされるようにすることができる。ＣＳＩ−ＩＭに対する例示と略同様に、ＮＷ ＲＳ設定インデックス、ＮＷ ＣＳＩプロセス設定インデックスがＣｏＭＰクラスター内で設定されてもよい。
【０３３２】
リソース調整に対する統合シグナリング
ＮＩＢ ＣｏＭＰリソース調整のために必要な情報は共通の目的（例えば、ＣｏＭＰクラスター内におけるリソース調整要請／推薦の目的、又はリソース調整結果／通知の目的）を有する点を考慮すれば、これらの情報のシグナリングを単純化（ｓｉｍｐｌｉｆｙ）し統合化（ｕｎｉｆｙ）することが好ましい。
【０３３３】
リソース調整要請／推薦は、ＣｏＭＰスケジューリングのための要素情報をメンバーｅＮＢからＣＣＮに提供することであり、例えば、個別ＵＥに対するＣＳＩ報告（ＲＩ、ＰＭＩ、ＣＱＩ）の一つ以上のセット、個別ＵＥに対する一つ以上測定報告（ＲＳＲＰ）、個別ＵＥに対するＳＲＳ受信電力、個別ＵＥに対するＵＰＴ（Ｕｓｅｒ  Ｐｅｒｃｅｉｖｅｄ  Ｔｈｒｏｕｇｈｐｕｔ）、セル別リソース活用情報、ＱＣＩ、個別ＵＥに対するＰＦメトリック、リソース調整要請の指示（周波数／時間／電力／空間ドメイン上におけるリソース割当て）、参照信号設定／ＣＳＩプロセス／ＣＳＩ−ＩＭ設定に対する調整要請の指示などを含むことができる。
【０３３４】
リソース調整結果／通知は、調整結果をＣＣＮからメンバーｅＮＢに通知することであり、例えば、リソース調整結果の指示（周波数／時間／電力／空間ドメイン上におけるリソース割当て）、参照信号設定／ＣＳＩプロセス／ＣＳＩ−ＩＭ設定に対する調整結果指示などを含むことができる。
【０３３５】
このような２種類のシグナリングのうち、リソース調整要請／推薦のためのシグナリングは、異なる様々なシグナリングフォーマットを定義せずに、統合シグナリングフォーマットを定義することが好ましい。
【０３３６】
また、「個別ＵＥに対する」情報は、クラスター内で必ずしも共有する必要はない。その代わりに、送信者ｅＮＢの観点で、特定周波数／時間リソースマップ上で「スケジュールされるＵＥに対する」情報を含める方がより効率的であるといえる。それぞれのｅＮＢにおける最終スケジューリング決定（すなわち、スケジュールされるＵＥを最終的に決定）は、個別ｅＮＢが自分で行うことであり、自身の全てのスケジューリング可能なＵＥに関する情報を他のｅＮＢと共有することは、不要な情報交換に対するオーバーヘッドも発生させうるため、最適の（又は、代表的な）ＵＥに関する情報を共有することで十分である。
【０３３７】
また、中心型調整構造でもＵＥ別にＣＳＩ報告情報、ＲＳＲＰ、ＳＲＳ電力、ＵＰＴ、ＱＣＩのような情報が必ずしも必要ではない。周波数／時間リソース別にスケジュールされる最適の代表的なＵＥに対する選好度等級値（又は、有用性メトリック（ｕｔｉｌｉｔｙ  ｍｅｔｒｉｃ）、ＰＦメトリック、又は利益メトリック）を共有することで十分であろう。これは、ＣｏＭＰクラスター内で情報を共有することは、ｅＮＢの間のリソース調整のためのものであり、個別ｅＮＢの最終的なスケジューリング決定を下すためのものではないからである。このため、単純化された選好度等級値（又は、利益メトリック値）を用いることを考慮することができる。
【０３３８】
特定周波数／時間リソースマップに対する単純化された選好度等級情報（又は、利益メトリック情報）は、仮定されるＣｏＭＰ仮説に対する指示と共にシグナルされることが好ましい。ここで、ＣｏＭＰ仮説は、ＣｏＭＰクラスター内のｅＮＢの動作に対する仮定（例えば、ｅＮＢ１はミューティングし、ｅＮＢ２はミューティングをしないなど）であり、これは、あらかじめ定義されたＮＷ−ＣＳＩ−ＩＭインデックス又は個別ｅＮＢに対する明示的な電力割当てリストを用いて簡単に表現することができる。
【０３３９】
図１５は、周波数／時間リソースマップに対してＣｏＭＰ仮説と併せてシグナルされる利益メトリックを説明するための図である。
【０３４０】
図１５で、ＣｏＭＰ仮説は、個別ｅＮＢに対する電力割当てリストによって指示することができる。電力割当てリストは、ｅＮＢ１に対する電力割当て値、ｅＮＢ２に対する電力割当て値、…、ｅＮＢＮに対する電力割当て値を明示的に示す形態で構成することができる。又は、ＣｏＭＰ仮説は、ＮＷ ＣＳＩ−ＩＭインデックスのように、より簡単な形態で示すこともできる。すなわち、一つのインデックス値が個別ｅＮＢの動作を指示することができる。
【０３４１】
選好度等級値は、０乃至Ｌ（Ｌ＞０）間の整数値と定義することができる。例えば、Ｌ＝１００に設定することができる。選好度等級値は、指示されたＣｏＭＰ仮説が適用されると仮定した時の送信者ｅＮＢが予想するスケジューリング利益を考慮した選好度のレベルと表現することができる。又は、図１３などで説明する利益メトリック値が選好度等級値に代えて適用されてもよい。
【０３４２】
図１５の統合シグナリングフォーマットの例示に対する解釈について以下に説明する。
【０３４３】
中心型調整構造で送信者ｅＮＢがＣＣＮではなくメンバーｅＮＢである場合には、図１５の統合シグナリングは、メンバーｅＮＢの観点におけるリソース調整要請／推薦を示すことと解釈される。このため、ＣＣＮは、メンバーｅＮＢから提供された全ての情報に基づいて調整決定を行うことができる。それぞれのメンバーｅＮＢは、複数個のシグナリングを提供することができ、それぞれのシグナリングは、互いに異なるＣｏＭＰ仮説（送信者ｅＮＢの動作だけでなく他のｅＮＢの動作に対する仮説）に対するそれぞれ異なる選好度等級値（又は、利益メトリック値）を表示する情報を含むことができる。
【０３４４】
中心型調整構造で送信者ｅＮＢがＣＣＮである場合には、図１５の統合シグナリングは、ＣＣＮによって決定されたリソース調整結果／通知を示すことと解釈され、これを受信する全てのメンバーｅＮＢは、当該通知内容に従う。具体的に、それぞれの受信ｅＮＢは、図１５で仮定されたＣｏＭＰ仮説を指示するＮＷ−ＣＳＩ−ＩＭインデックスが指示するＣＳＩ−ＩＭリソース上における動作内容（例えば、送信電力値、ミューティングするか否か、プリコーディングなど）と同一に、指示された周波数／時間リソースでの動作を維持しなければならない。これによって、それぞれのｅＮＢが、他のｅＮＢの動作が指示のとおりに保障されたと仮定し、該当のＣＳＩ−ＩＭリソースに基づくＵＥの最近のＣＳＩフィードバック報告を直接的に適用し、指示された周波数／時間リソース上で自身のＵＥスケジューリング決定を最終的にすることができる。また、このような方式によれば、それぞれのｅＮＢがＣＳＩ−ＩＭリソース上で送信される信号の種類を自由に選択することができ、これによって、ＣＢタイプのＣｏＭＰ技法をＮＩＢ条件でも活用することができる。
【０３４５】
図１５で、個別ｅＮＢの（個別ｅＮＢのセルＩＤ指示によって識別される）明示的な電力割当てリストが用いられるフォーマットの場合には、指示された周波数／時間リソース上における当該ｅＮＢの送信電力は、当該ｅＮＢの電力臨界値で指示される値を越えてはならない。このような電力臨界値は互いに異なるレベルに設定されてもよく、ＣＣＮからこのようなシグナリングが送信される場合、これは複数個のｅＮＢの動作を含む改善されたＲＮＴＰ／ＡＢＳシグナリングと解釈されてもよい。
【０３４６】
また、図１５のフォーマットの送信者ｅＮＢがＣＣＮである場合には、選好度等級情報（又は、利益メトリック情報）は、省略（ｏｍｉｔｔｅｄ）されてもよく、固定された値（ｆｉｘｅｄ  ｖａｌｕｅ）に設定されてもよい。これは、中心型調整構造においてＣＣＮからのシグナリングはリソース調整結果／通知として解釈されるためである。すなわち、ＣＣＮは、メンバーｅＮＢが期待する選好度等級情報（又は、利益メトリック情報）を考慮してリソース調整決定を行う機能を持つため、メンバーｅＮＢにＣＣＮが期待する選好度等級情報（又は、利益メトリック情報）が提供される必要はない。本実施例のように、メンバーｅＮＢがＣＣＮに送信するシグナリングとＣＣＮがメンバーｅＮＢに送信するシグナリングとが統合シグナリングフォーマットと定義される場合には、選好度等級情報（又は、利益メトリック情報）は、当該シグナリングが、ＣＣＮがメンバーｅＮＢに送信するリソース調整決定の通知／命令タイプであることを示す固定された／特別な値に設定されてもよく、省略されてもよく（ｏｍｉｔｔｅｄ）、又は留保されてもよい（ｒｅｓｅｒｖｅｄ）。
【０３４７】
分散型調整構造における図１５の統合シグナリングは、上記例示のうち、中心型調整構造で送信者ｅＮＢがＣＣＮでない場合に関する説明をほとんどそのまま適用することができる。例えば、送信者がｅＮＢ１であり、受信者がｅＮＢ２である場合に、図１５の統合シグナリングは、ｅＮＢ１の選好度等級値を含むｅＮＢ１観点におけるリソース調整要請／推薦と解釈される。受信者ｅＮＢ２は、受信した情報を自身のスケジューリング決定のために考慮することができる。
【０３４８】
具体的に、ｅＮＢ２の立場では、送信者ｅＮＢ１の動作に関する情報は、将来ｅＮＢ１が適用すると保障（ｇｕａｒａｎｔｅｅ）するものと考慮することができ、これによって、受信者ｅＮＢ２は関連ＵＥのＣＳＩフィードバック報告を活用することができる。受信者ｅＮＢ２の動作に関する情報は、ｅＮＢ２が最善の努力（ｂｅｓｔ  ｅｆｆｏｒｔ）方式で動作する時に考慮することもできる。分散型調整構造ではこのようなシグナリングを非常に多く交換するとができ、よって、他のｅＮＢの動作に関する情報も受信者ｅＮＢ２が自身のスケジューリングに考慮することができる。例えば、様々なＣｏＭＰ仮説のうち、最も共通に好まれる（すなわち、多数のｅＮＢが他のＣｏＭＰ仮説に比べて相対的に高い選好度等級値を付与した）ＣｏＭＰ仮説を、受信者ｅＮＢ２の最終的なスケジューリング決定の仮定として用いることができる。
【０３４９】
分散型調整構造に適用されるシグナリング
分散型調整構造において、改善されたＲＮＴＰ−タイプ情報（例えば、周波数／時間／電力／空間ドメイン）及び改善されたＡＢＳ情報（例えば、電力／空間ドメイン）をシグナルすることができ、これらの情報は、指示された周波数／時間リソース上における送信者ｅＮＢの電力レベル及び／又はビームフォーミング情報に関連した自身の動作に対する通知として認識される。
【０３５０】
既存のＲＮＴＰ／ＡＢＳ（Ａｌｍｏｓｔ  Ｂｌａｎｋ  Ｓｕｂｆｒａｍｅ）方式のシグナリングとの相違点は、そのリソース設定単位（ｇｒａｎｕｌａｒｉｔｙ）が周波数−時間リソースマップの２次元ドメインに拡張され、多重−レベル電力割当て情報が指示され、空間ドメインにおける指示情報（例えば、プリコーディング情報）を含むということである。
【０３５１】
図１５の統合シグナリングフォーマットは、中心型調整構造（例えば、送信者ｅＮＢがＣＣＮである場合、ＣＣＮでない場合）又は分散型調整構造のいずれに適用されてもよく、送信者ｅＮＢの動作を通知する用途に用いられうるため、改善されたＲＮＴＰ／ＡＢＳシグナリングも含むことができる。また、図１５の統合シグナリングフォーマットは、他のｅＮＢの動作を要請／推薦する目的に用いられてもよい。このため、改善されたＲＮＴＰ／ＡＢＳタイプ情報は、統合シグナリングフォーマットのサブセット情報に対するシグナリングと見なすことができる。すなわち、図１５の統合シグナリングにおいて選好度等級値に関する情報要素及び／又は他のｅＮＢの動作を要請／推薦する情報要素を選択的な（ｏｐｔｉｏｎａｌ）要素として設計すると、ネットワーク事業者が中心型調整構造や分散型調整構造のいずれにも使用可能な柔軟なシグナリングフォーマットを定義することができる。
【０３５２】
しかし、分散型調整構造にのみ適用可能なシグナリングを導入すると、上記のような改善されたＲＮＴＰ／ＡＢＳタイプ情報シグナリングは別個として定義され、また、図１５のような統合シグナリングフォーマットは、ＮＩＢ ＣｏＭＰの中心型調整構造を適切に支援するものと定義することもできる。
【０３５３】
この場合、指示された周波数／時間リソース上における使用度（ｕｓａｇｅ）に対する状態報告シグナリング（すなわち、受信者ｅＮＢからのフィードバック情報）が必要とされてもよい。例えば、送信者ｅＮＢが指示した情報がｎｏｎ−ＣｏＭＰ ＵＥ及びＣｏＭＰ ＵＥスケジューリングのためにどれくらい使われるかをフィードバック報告することができる。このようなフィードバック情報は、既存のＡＢＳ状態報告と略同様に、それぞれのｅＮＢが他のｅＮＢからのフィードバック情報を考慮して次のバックホールシグナリングメッセージを決定する上で用いることができる。
【０３５４】
Ｘｎ−ｓｉｇｎａｌｉｎｇに対する設定単位（ｇｒａｎｕｌａｒｉｔｙ）
前述した本発明の例示で説明したとおり、利益メトリックをＣｏＭＰ仮説と関連付けてＸｎ−シグナルすることができる。
【０３５５】
ＣｏＭＰ仮説は、時間／周波数ドメインで少なくとも受信ノードのための仮説的なリソース割当てを含む。
【０３５６】
受信されたＣｏＭＰ仮説シグナリングに対してどのように反応するかは受信ｅＮＢの具現によるが、受信ｅＮＢがこれに対する受容／無視をそれぞれ意味するフィードバック（例えば、ＹＥＳ／ＮＯ）を送信ノードに送ることもできる。
【０３５７】
時間／周波数ドメイン上でＣｏＭＰ仮説に必要な設定単位（ｇｒａｎｕｌａｒｉｔｙ）及びレートは、次のように与えることができる。例えば、ＣｏＭＰ仮説は、最大Ｔ（Ｔ＝５）ｍｓのシグナリング周期を有することができる。また、シグナリング周期と同一のサブフレーム個数に基づいて定義されるサブフレームインデックスによって識別されるサブフレーム単位に、調整領域（例えば、ＣｏＭＰクラスター）内でセルＩＤによって識別されるセル単位に、一つのＲＢの設定単位にＣｏＭＰ仮説がビットマップの形態でシグナルされてもよい。
【０３５８】
ここで、シグナリング設定単位は、上記のＳＳＰＭに対する１−ｗａｙシグナリング、２−ｗａｙシグナリングの例示で説明した特定時間区間及び／又は特定帯域に対する実施例と見なすことができる。
【０３５９】
また、一つのＲＢではなく一つのサブ帯域（ｓｕｂｂａｎｄ）に対する設定単位にＣｏＭＰ仮説がビットマップの形態でシグナルされてもよい。これは、ＵＥのＣＳＩフィードバックの最小設定単位がサブ帯域単位である点を考慮したものである。また、ＣｏＭＰ仮説のＸｎ−ｓｉｇｎａｌｉｎｇに対する設定単位としてのサブ帯域は、送信ノード（すなわち、送信者ｅＮＢ）が自身のシステム帯域幅（ｓｙｓｔｅｍ  ｂａｎｄｗｉｄｔｈ）をＣｏＭＰ仮説が伝達されるＸｎ−ｓｉｇｎａｌｉｎｇと共に又は別のＸｎ−ｓｉｇｎａｌｉｎｇで伝達することができる。
【０３６０】
例えば、システム帯域幅によって定義されるサブ帯域サイズは、下記の表１６又は表１７のように定義することができる。
【表１６】
0006514203.tif 000032
【表１７】
0006514203.tif 000033
【０３６１】
表１６は、システム帯域幅によるサブ帯域のサイズ（ＲＢ単位）を定義するものであり、表１７は、周期的ＣＳＩ報告の場合に、下りリンクシステム帯域幅、帯域幅部分及びサブ帯域のサイズ（ＲＢ単位）の関係を定義するものである。
【０３６２】
又は、システム帯域幅によって定義されるサブ帯域サイズは、下記の表１８のように定義することもできる。
【表１８】
0006514203.tif 000034
【０３６３】
表１８は、非周期的ＣＳＩ報告の場合に、下りリンクシステム帯域幅、帯域幅部分及びサブ帯域のサイズ（ＲＢ単位）の関係を定義するものである。表１６又は表１７の例示と比較して、同一システム帯域幅に対してサブ帯域のサイズがより小さく設定されるため、サブ帯域の設定単位がより細かいと理解することができる。
【０３６４】
上記の例示のようなサブ帯域設定単位を用いて、ＣｏＭＰ仮説の周波数ドメイン設定単位を定義することができる。
【０３６５】
また、ＵＥセットに対するＣＳＩ情報がＸｎ−ｓｉｇｎａｌｉｎｇされてもよいが、そのための設定単位を、上記の表１６、表１７又は表１８のようなサブ帯域設定単位と定義することもできる。
【０３６６】
例えば、ＵＥのセットに対してＣＳＩ情報の一つ以上のセットがＸｎ−ｓｉｇｎａｌｉｎｇされてもよい。上記ＣＳＩ情報の一つ以上のセットの交換に対する必要なレートは、次のように与えることができる。例えば、最大５ｍｓのシグナリング周期を有することができ、さらに、ｅＮＢの要請に応じてＣＳＩ報告を提供する非周期的方式が支援されてもよい。また、シグナリング周期と同一のサブフレーム個数に基づいて定義されるサブフレームインデックスによって識別されるサブフレーム単位に、セルＩＤによって識別されるセル単位に、サブ帯域インデックスによって識別されるサブ帯域（ここで、サブ帯域のサイズは、上記の表１６、表１７又は表１８に従うことができる）単位に、ＵＥ ＩＤによって識別されるＵＥ単位に、ＣＳＩ情報の一つ以上のセット（最大４個のセット）及びそれぞれのＣＳＩ情報セットに関連づくＣＳＩプロセス（これは、セル−特定ＣＳＩプロセスＩＤによって識別される）に対する仮定がシグナルされてもよい。
【０３６７】
ここで、ＣＳＩ情報に関連づくＣＳＩプロセスに対する仮定をシグナルするために、当該ＵＥに設定されたＣＳＩプロセスＩＤごとに含まれた情報（例えば、一つのＮＺＰ ＣＳＩ−ＲＳリソース、一つのＣＳＩ−ＩＭリソースなど）を、ＣＳＩ情報セットに対するＸｎ−ｓｉｇｎａｌｉｎｇと併せて又は別にシグナルすることができる。又は、個別ＵＥごとのＣＳＩプロセス設定情報及び該当のＣＳＩプロセスＩＤを複数個のｅＮＢ間であらかじめ交換又は知っている状態で（例えば、ＯＡＭ（Ｏｐｅｒａｔｉｏｎ  Ａｎｄ  Ｍａｎａｇｅｍｅｎｔ）などによって「セル−特定ＣＳＩプロセスＩＤ」のようにネットワーク−ワイズ（ＮＷ）でｅＮＢ間に固有に（ｕｎｉｑｕｅ）識別可能なＣＳＩプロセスＩＤがｅＮＢ間にあらかじめ設定されている状態で）、「関連したＣＳＩプロセスに対する仮定」は、ＣＳＩプロセスＩＤ（すなわち、ＮＷ−ＣＳＩ−ｐｒｏｃｅｓｓ  ＩＤ）のみをシグナルすることで十分である。
【０３６８】
また、「それぞれのＣＳＩ情報セットに関連したＣＳＩプロセスに対する仮定」をシグナルするために、（周波数／時間リソース設定単位にかかわらず）ＣｏＭＰ仮説に対する仮定をシグナルするフォーマットを用いることができる。すなわち、特定ＣｏＭＰ仮説に該当するＣＳＩ情報セットであることをシグナルする形態に拡張されてもよい。ここで、元来のＣｏＭＰ仮説は周波数／時間リソース設定単位に基づいて定義されるが、ＣＳＩ情報セットのシグナルにおいては、それぞれのｅＮＢの電力割当て状態のみに基づくため（すなわち、ＣＳＩプロセスに含まれたＣＳＩ−ＩＭ設定のように、いずれのセルがミューティングを行うかを表現する目的にのみＣｏＭＰ仮説が必要であり、いずれの周波数／時間リソース上でそれぞれのセルの動作を表現する必要はないため）、ＣｏＭＰ仮説に関連したＣＳＩ情報セットのシグナルには、「周波数／時間リソース設定単位にかかわらず」という定義を追加することができる。
【０３６９】
また、ＣｏＭＰ仮説の設定単位及びレートに対する追加例示として、個別ＵＥごとに設定されたフィードバック周期を考慮してＣｏＭＰ仮説シグナリング周期（すなわち、Ｔｍｓ）が設定されてもよい。例えば、上記Ｔ値は、あらかじめ定義されたものではなく、送信者ｅＮＢが決定してシグナル（ＣｏＭＰ仮説及び利益メトリックのシグナリングと併せて又は別に）することができる。送信者ｅＮＢがＣｏＭＰ仮説及び利益メトリックを含むシグナリングを送信する度に（又は、複数個のシグナリングごとに１回ずつ）上記Ｔ値を知らせるようにすると、Ｔ値が変更される度に、変更されたＴｍｓの周期でＣｏＭＰ仮説及び利益メトリックなどを含むシグナリングが送信されるということを表現することができる。すなわち、Ｔ値が含まれないと、以前にシグナルされたＴ値と同一のＴ値が適用されることを表現することができる。例えば、Ｔ１値がシグナルされた後に、変更されたＴ２値がシグナルされると、この時点から更に他の変更されたＴ３値がシグナルされるまでは、周期Ｔ２によってＣｏＭＰ仮説及び利益メトリックなどを含むシグナリングが送信されることを意味する。
【０３７０】
又は、ＣｏＭＰ仮説及び利益メトリックなどを含むシグナリングの周期Ｔ値を、受信者ｅＮＢ側で要請／指定してシグナルすることもできる。これは、受信者ｅＮＢの立場でＣｏＭＰ仮説及び利益メトリックなどを含むシグナリングを受信することを希望する周期を知らせることを意味し、送信者ｅＮＢはこのようなＴ値を反映してシグナリングを送信することができる。又は、送信者ｅＮＢは、受信者ｅＮＢが所望するＴ１値を必ずしも反映する必要はなく、Ｔ１値を考慮して、送信者ｅＮＢが所望する周期Ｔ２によってシグナリングを送信することができる。仮に受信者ｅＮＢが所望するＴ１値と異なる周期Ｔ２によってシグナリングを送信する場合には、シグナリング周期Ｔ２に関する情報を受信者ｅＮＢに知らせることもできる。
【０３７１】
周期ＴによってＣｏＭＰ仮説，ＣＳＩ情報セット及び利益メトリックなどを含むシグナリングが送信される状況で、ＣＳＩ情報セットはＵＥのセットに関する情報を含むが、シグナリング送信時点ごとに上記ＵＥのセットに含まれるＵＥが異なってもよい。これは、ＵＥ別にフィードバック周期が異なりうるためである。例えば、ＵＥ１のフィードバック周期は５ｍｓであり、ＵＥ２のフィードバック周期は１０ｍｓだとすれば、Ｔ＝５ｍｓと設定し、上記ＣＳＩ情報セットを含むシグナリングを送信するが、特定送信時点のＣＳＩ情報セットに関連した「ＵＥのセット」にはＵＥ１のみが含まれており、その次の５ｍｓ以降の送信時点のＣＳＩ情報セットに関連した「ＵＥのセット」にはＵＥ２のみが含まれていてもよい。
【０３７２】
ＣＢ技法
図１６は、ＣＢ技法を説明するための図である。
【０３７３】
ＣＢは、ＣｏＭＰに参加するあるＴＰが送信するビームの方向が、他のＴＰがサービングするＵＥに及ぼす干渉を最小化する技法である。例えば、図１６に示すように、ＴＰ２が自身に関連したＵＥ２にデータ送信を行う際に使用するプリコーダを選択するにあって、ＴＰ１によってサービングされるＵＥ１に及ぼす干渉量を最小化するように、ビーム回避が可能なプリコーダを選択（例えば、ＰＭＩ ２を選択）することができる。そのために、ＴＰ１とＴＰ２はＮＩＢ環境でＸｎ−ｓｉｇｎａｌｉｎｇでＰＭＩなどのチャネル状態情報を互いに交換することが要求される。
【０３７４】
ＣＢ開始のための１−ｗａｙ Ｘｎ−ｓｉｇｎａｌｉｎｇ方案
ＣＢのためのＸｎ−ｓｉｇｎａｌｉｎｇは、特定ＴＰ（例えば、図１６のＴＰ２）が一方向（１−ｗａｙ）にブロードキャスト（又は、一つ以上の他のＴＰにユニキャスト又はマルチキャスト）することと定義することができる。
【０３７５】
このとき、Ｘｎ−ｓｉｇｎａｌｉｎｇを送信するＴＰが提供する情報は、「特定時間区間」で「特定帯域」に対して自身が適用するＰＭＩを知らせるメッセージであってもよい。
【０３７６】
上記Ｘｎ−ｓｉｇｎａｌｉｎｇに含まれるＰＭＩ情報は、単一ＰＭＩであってもよく、２つ以上のＰＭＩを含むＰＭＩセットであってもよい。ＰＭＩ情報を受信する他のＴＰは、ＰＭＩセットによって形成されるビームによって可能なかぎり干渉を少なく受けるＵＥを選択してスケジュールすることができる。又は、ＴＰ２によって送信されたＸｎ−ｓｉｇｎａｌｉｎｇに含まれた「ＰＭＩセット」と、ＵＥがＴＰ２に対して測定した最適のＰＭＩ ２とをＴＰ１が比較し、「ＰＭＩセット」と最大限に直交するＰＭＩ ２を報告するＵＥをスケジューリングの対象として選択することによって、ＴＰ２からの干渉を最小化するＵＥをスケジュールすることができる。これによって、ビーム回避による信号品質改善の効果を期待することができる。
【０３７７】
ここで、「特定時間区間」は、所定の時間単位（例えば、サブフレーム）によって表現される値であってもよい。また、「特定時間区間」は、ＴＰ間に互いに確実に知っている基準時間に基づいて、いつからＣＢを始め、いつまで終えるかを示す時間情報（例えば、サブフレームビットマップの形態で構成され、連続的又は不連続的な時間情報）で表現することもできる。また、上記のようなサブフレームビットマップ形態に加えて、いずれの時点（例えば、特定サブフレームインデックスなど）から当該「特定時間区間」が始まるかを明示的に示すこともでき、上記サブフレームビットマップが何回循環した後にいずれの時点（例えば、特定サブフレームインデックスなど）で「特定時間区間」が終了するかを明示的に示すこともできる。
【０３７８】
このような「特定時間区間」を表現するために、ＣｏＭＰ動作（ｍｕｔｉｎｇ／ｎｏｎ−ｍｕｔｉｎｇなど）が適用される（又は、始まる）フレーム番号（ｆｒａｍｅ  ｎｕｍｂｅｒ）（例えば、システムフレーム番号（ＳＦＮ））を用いることができる。例えば、Ｘｎ−ｓｉｇｎａｌｉｎｇに含まれたＳＦＮが明示的に示す無線フレームでＣｏＭＰ動作が適用されることを表すことができる。この時のフレーム番号（例えば、ＳＦＮ）は、Ｘｎ−ｓｉｇｎａｌｉｎｇを送信するＴＰのタイミングを基準とするものと定義することができる。又は、Ｘｎ−ｓｉｇｎａｌｉｎｇを受信するＴＰのタイミングに関する情報を、Ｘｎ−ｓｉｇｎａｌｉｎｇを送信するＴＰが知っている場合には、上記ＳＦＮ値をＸｎ−ｓｉｇｎａｌｉｎｇを受信するＴＰのタイミングを基準とする値に設定して送信することもできる。
【０３７９】
また、「特定帯域」は、所定の周波数単位（例えば、ＲＢ単位）によって表現される値であってもよい。
【０３８０】
ＣＢ開始のための２−ｗａｙ Ｘｎ−ｓｉｇｎａｌｉｎｇ方案
ＣＢのためのＸｎ−ｓｉｇｎａｌｉｎｇは、ＴＰ１がＴＰ２に特定ＰＭＩセット（一つ以上のＰＭＩに関する情報）を用いてＣＢを行うことを要請（ｒｅｑｕｅｓｔ）し、ＴＰ２がこれに対してＴＰ１に応答する形態の両−方向（２−ｗａｙ）シグナリングと定義されることができる。このとき、ＴＰ２が送信する応答メッセージは、ＴＰ１及び他のＴＰ（例えば、ＴＰ３、ＴＰ４、．．．）にもマルチキャスト／ブロードキャスト方式で伝達されてもよく、又はＴＰ２がＴＰ１及び他のＴＰに個別にユニキャスト方式で伝達することもできる。
【０３８１】
このとき、ＴＰ１が送信する要請メッセージに含まれる情報は、「特定時間区間」で「特定帯域」に対して特定ＰＭＩセット（一つ以上のＰＭＩに関する情報）を用いてＣＢを行うことを要請するメッセージであってもよい。
【０３８２】
また、「特定時間区間」及び「特定帯域」は、上記ＣＢのための１−ｗａｙ Ｘｎ−ｓｉｇｎａｌｉｎｇ方案で説明した事項を同一に適用することができる。
【０３８３】
上記の例示で、ＴＰ１が要請メッセージを送信するための「特定条件」を定義することができる。
【０３８４】
例えば、ＴＰ１とＴＰ２が互いのトラフィックロード状況を比較し（相互間のＸｎ−ｓｉｇｎａｌｉｎｇ交換によって）、ローディング状況に所定の基準値以上の差が出る場合、上記要請メッセージ送信に対する条件を満たすということができる。
【０３８５】
ここで、ＴＰ２のローディング状況が所定の基準値よりも余裕がある場合にのみ、上記要請を許容することと定義することができる。又は、ＴＰ２のローディング状況が所定の基準値よりも混雑している場合には、上記要請が伝達されてもＴＰ２がそれを拒絶することができる。
【０３８６】
また、このような「特定条件」としては、ＴＰ間に事前に優先順位が設定されるようにし（例えば、ＴＰ１がマスター（ｍａｓｔｅｒ）であり、ＴＰ２がスレーブ（ｓｌａｖｅ）である関係とあらかじめ設定されてもよい）、この優先順位によってＴＰ１が上記要請を送ると、ＴＰ２は必ず従わなければならない方式と定義することもできる。
【０３８７】
上記ローディング情報、一つ以上のＣＳＩ−ＲＳ設定情報、一つ以上のＣＳＩ−ＩＭ（又は、ＩＭＲ）設定情報、又はＤＭＲＳ設定情報のようにＸｎ−ｓｉｇｎａｌｉｎｇで事前に交換される情報を用いて、ＴＰ２が上記のような要請を受け入れるという事前確認（ｃｏｎｆｉｒｍ）に該当する情報をＴＰ１にあらかじめ提供した場合、ＴＰ１がＴＰ２に送るＣＢのためのミューティング要請だけでも（すなわち、ＴＰ２の応答がなくても）ＣＢ動作を開始することができる。
【０３８８】
上記のような要請メッセージ送信に対する特定条件が定義されており、当該条件を満たしてＴＰ１から上記要請メッセージが送信される場合には、このような要請メッセージを受信するＴＰ２はそれをそのまま受け入れるようにすることもできる。このように、特定条件を満たすと、ＴＰ２がＴＰ１の要請に必ず従うべき場合（又は、ＴＰ２がＴＰ１に応答メッセージを送信せずにも上記要請に従う場合）を、条件付き１−ｗａｙ方式のＸｎ−ｓｉｇｎａｌｉｎｇと表現することもできる。
【０３８９】
ＣＢ動作の中のＸｎ−ｓｉｇｎａｌｉｎｇ方案
前述したような１−ｗａｙ又は２−ｗａｙ Ｘｎ−ｓｉｇｎａｌｉｎｇなどによって特定時間区間に特定帯域におけるＣＢが始まった場合、当該時間区間が終了すると自動でＣＢは終了することと定義することができる。又は、当該時間区間が終了する前に追加のＸｎ−ｓｉｇｎａｌｉｎｇ（例えば、１−ｗａｙ方式又は２−ｗａｙ方式）で当該時間区間の延長が成立するようにすることもできる。延長される時間区間に関する情報は、新しい形態の時間情報で更新されてもよく、帯域情報も新しい形態の帯域情報に更新されてもよい。
【０３９０】
ＣＢに対するフィードバックのためのＸｎ−ｓｉｇｎａｌｉｎｇ方案
ＣＢ時間区間に又は時間区間が終了した後に、当該ＣＢを考慮してＣｏＭＰ ＵＥをスケジュールした（例えば、ＣＢを考慮したＭＣＳ設定など）ＰＤＳＣＨ送信が行われたかに対する活用度情報をフィードバックするＸｎ−ｓｉｇｎａｌｉｎｇがさらに定義されてもよい。
【０３９１】
これによって、隣接ＴＰがＣＢを行った時間区間及び帯域が実際に当該ＣｏＭＰ ＵＥをスケジュールするために使用されるかの活用度を把握することによって、不要なＣＢ動作が適用されることを防止する効果を期待することができる。
【０３９２】
ＳＳＰＳとＣＢの結合
前述したＣＢ動作は、基本的に、ＰＤＳＣＨを送信するＴＰは固定（例えば、図１６のＴＰ１）しており、隣接ＴＰ（例えば、ＴＰ２）で、ＣＢによるビーム回避が適用されたＰＭＩを使用する形態を有することができる。ここに、ＳＳＰＳ（Ｓｅｍｉ−ｓｔａｔｉｃ  Ｐｏｉｎｔ  Ｓｗｉｔｃｈｉｎｇ）方式が結合され、ＰＤＳＣＨを送信するＴＰがＳＳＰＳ（例えば、特定リソースでＴＰ１とＴＰ２が交互にＰＤＳＣＨを送信）によって変更され（例えば、ＴＰ２）、隣接ＴＰ（例えば、ＴＰ１）でＣＢを適用する形態にも拡張して適用することができる。このように、前述した説明でＴＰ１とＴＰ２の役割を切り替えることができる。
【０３９３】
図１７は、本発明に係るシグナリング方法を説明するためのフローチャートである。
【０３９４】
図１７で、第１ネットワークノードと第２ネットワークノードはＮＩＢネットワークでＣｏＭＰに参加する又は関与するネットワークノードである。例えば、第１及び第２ネットワークノードは、分散型調整構造でＣｏＭＰに参加するネットワークノードであってもよく、第１及び第２ネットワークノードのそれぞれは中心型調整構造でメンバーノード及びＣＣＮに該当してもよい。
【０３９５】
段階Ｓ１７１０で、第１ネットワークノードは第２ネットワークノードに第１タイプシグナリングを送信することができる。第１タイプシグナリングは、第１ネットワークノードの立場でにおける一つ以上のＣｏＭＰ仮説（すなわち、第１のＣｏＭＰ仮説）を含むことができ、さらにそれぞれのＣｏＭＰ仮説に対する利益メトリックを含むことができる。このような第１タイプシグナリングは、リソース調整要請／推薦シグナリングとして理することができる。
【０３９６】
段階Ｓ１７２０で、第１ネットワークノードは第２ネットワークノードから第２タイプシグナリングを受信することができる。第２タイプシグナリングは、第２ネットワークノード立場における一つ以上のＣｏＭＰ仮説（すなわち、第２のＣｏＭＰ仮説）を含むことができ、さらにそれぞれのＣｏＭＰ仮説に対する利益メトリックを含むことができる。分散型調整構造で第２タイプシグナリングは、第２ネットワークノード立場におけるリソース調整要請／推薦シグナリングであってもよく、第１ネットワークノードに対するリソース調整結果／通知シグナリングであってもよい。
【０３９７】
中心型調整構造で、第１タイプシグナリングは、メンバーノードがＣＣＮに送るリソース調整要請／推薦シグナリングであってもよく、第２タイプシグナリングは、ＣＣＮがメンバーノードに送るリソース調整結果／通知シグナリングであってもよい。
【０３９８】
第１及び第２タイプのシグナリングは、本発明で提案する統合シグナリングフォーマット（又は、情報要素フォーマット）によって構成することができる。すなわち、第１及び第２タイプは同一のシグナリングフォーマットを使用するが、そのシグナリング内容物によって識別／区別することができる。例えば、統合シグナリングフォーマットの特定ビットが、第１タイプ／第２タイプシグナリングを識別する機能することができる（例えば、中心型調整構造では、利益メトリック情報が第１タイプシグナリングでのみ意味を有するため、第２タイプシグナリングでは利益メトリック情報に該当するビットを特別な値に設定することによって、第２タイプシグナリングであることを表示することができる）。
【０３９９】
また、第１又は第２のＣｏＭＰ仮説のそれぞれは、ＣＳＩ−プロセスインデックス別にＣｏＭＰネットワークノードのそれぞれの送信仮定に関する情報を含むことができる。すなわち、特定ＣＳＩ−プロセスを仮定した時のＣｏＭＰネットワークノードのそれぞれの送信電力レベル（ミューティングするか否かを含む）、プリコーディング情報などがＣｏＭＰ仮説情報を構成することができる。ここで、ＣＳＩ−プロセスインデックスは、ネットワーク内で固有に識別される値として定義（すなわち、ネットワーク−ワイズ（ＮＷ）インデックスとして定義）することができる。さらに、ＣＳＩ−プロセスを構成するＮＺＰ ＣＳＩ−ＲＳインデックス及びＣＳＩ−ＩＭインデックスのそれぞれも、ＮＷ−ＮＺＰ−ＣＳＩ−ＲＳインデックス及びＮＷ−ＣＳＩ−ＩＭインデックスとして定義することができる。
【０４００】
また、上記ＣｏＭＰ仮説のそれぞれは、該当のＣｏＭＰネットワークノードを識別するＩＤ（例えば、セルＩＤ）情報と共に「ＣｏＭＰ仮説セット」として定義することができる。すなわち、いずれのセルに対するＣｏＭＰ仮説であるかを明示する情報を、上記第１又は第２タイプシグナリングに含めることができる。
【０４０１】
図１７を参照して説明したＰＤＳＣＨ信号送受信方法に対して、前述した本発明の様々な実施例で説明した事項が独立して適用されてもよく、２以上の実施例が同時に適用されてもよい。ここで、重複する説明は省略する。
【０４０２】
図１７で説明する例示的な方法は、説明の簡明さのために動作のシリーズで表現されているが、これは、段階が行われる順序を制限するためのものではなく、必要な場合には、それぞれの段階が同時に又は異なった順序で行われてもよい。また、図１７で例示する全ての段階が、本発明で提案する方法を具現する上で必ずしも必要であるわけではない。
【０４０３】
図１８は、本発明に係るネットワークノード装置の好適な実施例の構成を示す図である。
【０４０４】
図１８を参照すると、本発明に係るネットワークノード装置１００は、送受信器１１０、プロセッサ１２０、メモリ１３０、複数個のアンテナを備えることができる。送受信器１１０は外部装置（例えば、端末、又は他のネットワークノード装置）と各種の信号、データ及び情報を交換することができる。プロセッサ１２０は、ネットワークノード装置１００の動作全般を制御することができる。複数個のアンテナは、ネットワークノード装置１００がＭＩＭＯ送受信を支援することを意味する。
【０４０５】
本発明の一例に係るネットワークノード装置１００は、無線通信ネットワークでＣｏＭＰ送信を実行又は支援するように設定することができる。プロセッサ１２０は、一つ以上の第１のＣｏＭＰ仮説セット（ｈｙｐｏｔｈｅｓｉｓ  ｓｅｔ）を含む第１タイプシグナリングを、第１ネットワークノードから第２ネットワークノードに送受信器１１０を用いて送信するように設定することができる。また、プロセッサ１２０は、一つ以上の第２のＣｏＭＰ仮説セットを含む第２タイプシグナリングを、第１ネットワークノードで第２ネットワークノードから送受信器１１０を用いて受信するように設定することができる。
【０４０６】
ネットワークノード装置１００のプロセッサ１２０は、その他にも、ネットワークノード装置１００が外部から受信した情報、外部に送信する情報などを演算処理する機能を果たし、メモリ１３０は、演算処理された情報などを所定時間に記憶することができ、バッファー（図示せず）などの構成要素に取り替えられてもよい。
【０４０７】
ネットワークノード装置１００は、ＣｏＭＰ動作に参加する基地局、ＴＰなどに該当してもよい。
【０４０８】
このようなネットワークノード装置１００の具体的な構成は、前述した本発明の様々な実施例で説明した事項が独立して適用されたり又は２以上の実施例が同時に適用されるように具現することができ、重複する内容については説明を省略する。
【０４０９】
また、本発明の様々な実施例の説明において、下りリンク送信主体（ｅｎｔｉｔｙ）又は上りリンク受信主体は主に基地局を例に挙げて説明し、下りリンク受信主体又は上りリンク送信主体は主に端末を例に挙げて説明したが、本発明の範囲がこれに制限されるものではない。例えば、基地局に関する説明は、セル、アンテナポート、アンテナポートグループ、ＲＲＨ、送信ポイント、受信ポイント、アクセスポイント、中継機などが端末への下りリンク送信主体となったり、端末からの上りリンク受信主体となる場合にも同一に適用することができる。また、中継機が端末への下りリンク送信主体となったり端末からの上りリンク受信主体となる場合、又は中継機が基地局への上りリンク送信主体となったり基地局からの下りリンク受信主体となる場合にも、本発明の様々な実施例で説明した本発明の原理を同一に適用することができる。
【０４１０】
上述した本発明の実施例は様々な手段によって具現することができる。例えば、本発明の実施例は、ハードウェア、ファームウェア（ｆｉｒｍｗａｒｅ）、ソフトウェア又はそれらの結合などによって具現することができる。
【０４１１】
ハードウェアによる具現の場合、本発明の実施例に係る方法は、一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現することができる。
【０４１２】
ファームウェアやソフトウェアによる具現の場合、本発明の一実施例は、以上で説明された機能又は動作を実行するモジュール、手順、関数などの形態として具現することができる。ソフトウェアコードは、メモリユニットに記憶させ、プロセッサによって駆動することができる。メモリユニットは、プロセッサの内部又は外部に設けられ、公知の様々な手段によってプロセッサとデータを授受することができる。
【０４１３】
以上開示した本発明の好ましい実施例についての詳細な説明は、当業者が本発明を具現して実施できるように提供された。以上では本発明の好適な実施例を参照して説明したが、当該技術の分野における熟練した当業者にとっては本発明の領域から逸脱しない範囲内で本発明を様々に修正及び変更できるということは明らかである。例えば、当業者にとっては上記の実施例に記載された各構成を互いに組み合わせる方式で用いることができる。したがって、本発明は、ここに開示されている実施の形態に制限されるものではなく、ここに開示されている原理及び新規な特徴と一致する最も広い範囲を与えるためのものである。
【０４１４】
本発明は、本発明の精神及び必須特徴から逸脱しない範囲で他の特定の形態として具体化できる。したがって、上記の詳細な説明は、いずれの面においても制約的に解釈してはならず、例示的なものとして考慮しなければならない。本発明の範囲は、添付した請求項の合理的な解釈によって決定しなければならず、本発明の等価的範囲内における変更はいずれも本発明の範囲に含まれる。本発明は、ここに開示されている実施の形態に制限されるものではなく、ここに開示されている原理及び新規な特徴と一致する最も広い範囲を与えるためのものである。また、特許請求の範囲で明示的な引用関係にない請求項を結合して実施例を構成してもよく、出願後の補正によって新しい請求項として含めてもよい。
【産業上の利用可能性】
【０４１５】
上述したような本発明の実施の形態は、様々な移動通信システムに適用可能である。
【図１】
0006514203.tif 000035
【図２】
0006514203.tif 000036
【図３】
0006514203.tif 000037
【図４】
0006514203.tif 000038
【図５（ａ）】
0006514203.tif 000039
【図５（ｂ）】
0006514203.tif 000040
【図６】
0006514203.tif 000041
【図７】
0006514203.tif 000042
【図８】
0006514203.tif 000043
【図９】
0006514203.tif 000044
【図１０】
0006514203.tif 000045
【図１１】
0006514203.tif 000046
【図１２】
0006514203.tif 000047
【図１３】
0006514203.tif 000048
【図１４】
0006514203.tif 000049
【図１５】
0006514203.tif 000050
【図１６】
0006514203.tif 000051
【図１７】
0006514203.tif 000052
【図１８】
0006514203.tif 000053